(57)【要約】【解決手段】  新無線チャネル設計が、同期信号の間に伝送される物理チャネルにマップされた上位層チャネルを伴う同期信号バーストシリーズフレーム構造を組み込み、ユーザー端末が、ページング情報についてその間に受信するビームを選択することを可能にする。物理共通制御チャネル構成情報要素が、システム情報の一部として、ページング構成を通知するのに使用され得る。ページングは、ユーザー端末支援を用いてまたは用いずに行われ得る。【選択図】図８
2020507980.tif 000002
【特許請求の範囲】
【請求項１】
プロセッサと、メモリと、通信回路と、を備える第１装置であって、
前記第１装置は、前記通信回路を介して通信ネットワークに連結可能であり、
前記第１装置の前記プロセッサによって実行されると、前記第１装置に、
第２装置から、１つまたは複数のスイープ下りリンクビームを検出することと、ここで前記スイープ下りリンクビームの各々は同期信号ブロックを含み、
前記検出された各スイープ下りリンクビームの前記同期信号ブロック内に含まれる信号の測定を行うことと、
前記検出された各スイープ下りリンクビームの前記同期信号ブロック内に含まれるメッセージを復号することと、
前記測定および前記復号されたメッセージに基づいて、同期信号ブロックを選択することと、
前記選択された同期信号ブロックに基づいて、ページングブロックを決定することと、
前記ページングブロック内の、ページングインジケーションを検出することと、
前記ページングインジケーションに基づいて、ページングメッセージを受信することと、
を実施させる、前記第１装置の前記メモリに格納されたコンピュータ実行可能命令をさらに含む、第１装置。
【請求項２】
前記コンピュータ実行可能命令は前記第１装置に、さらに関連付けに基づいて前記ページングブロックを決定することを実施させ、前記関連付けは前記選択された同期信号ブロックに関する、請求項１に記載の第１装置。
【請求項３】
前記関連付けは、前記選択された同期信号ブロックと前記ページングインジケーションまたは前記ページングメッセージとの間の準同一位置である、請求項２に記載の第１装置。
【請求項４】
前記関連付けは、前記選択された同期信号ブロックと前記ページングインジケーションまたは前記ページングメッセージとの間の空間的準同一位置である、請求項３に記載の第１装置。
【請求項５】
前記準同一位置は、前記選択された同期信号ブロック内の物理ブロードキャストチャネルと物理下りリンク制御チャネルとの間で復調参照信号ポートを共有し、その際、前記物理下りリンク制御チャネルが前記ページングブロック内の前記ページングインジケーションを搬送する、請求項３に記載の第１装置。
【請求項６】
前記準同一位置は、前記選択された同期信号ブロック内の物理ブロードキャストチャネルと物理下りリンク制御チャネルとの間で復調参照信号ポートを共有し、その際、前記物理下りリンク制御チャネルが前記ページングブロック内の前記ページングメッセージを搬送する、請求項３に記載の第１装置。
【請求項７】
前記関連付けは、前記ページングインジケーションを含む前記ページングブロックが位置している場所のインジケーションを含む、請求項２に記載の第１装置。
【請求項８】
前記ページングインジケーションは、ページング下りリンク制御情報のための制御リソースセットを含む、請求項７に記載の第１装置。
【請求項９】
前記ページング下りリンク制御情報のための前記制御リソースセットの場所の前記インジケーションは、時間もしくはスロットまたはミニスロットのシンボルのインジケーションを含む、請求項８に記載の第１装置。
【請求項１０】
前記ページングインジケーションを含む前記ページング下りリンク制御情報のための前記制御リソースセットの場所の前記インジケーションは、周波数および物理リソースブロックまたは物理リソースブロックグループを含む、請求項８に記載の第１装置。
【請求項１１】
前記関連付けは、前記選択された同期信号ブロックの物理ブロードキャストチャネル内で指示される、請求項７に記載の第１装置。
【請求項１２】
前記関連付けは、前記選択された同期信号ブロックに関連付けられた残りの最小システム情報内で指示される、請求項７に記載の第１装置。
【請求項１３】
ページング下りリンク制御情報は、時間もしくはスロットまたはミニスロットのシンボルのインジケーションを含む、請求項１２に記載の第１装置。
【請求項１４】
前記コンピュータ実行可能命令が、さらに前記第１装置に、
前記ページングブロックの間にページング下りリンク制御情報を受信することと、
前記第２装置に、前記ページング下りリンク制御情報に基づいてページング支援の伝送することと、
を実施させる、請求項１に記載の第１装置。
【請求項１５】
前記ページング支援は、予め指定されるプリアンブルを含み、前記予め指定されるプリアンブルは、１つまたは複数のランダムアクセスチャネルリソースを使用することを含み、前記１つまたは複数のランダムアクセスチャネルリソースは、前記選択された同期信号ブロックに関連付けられる、請求項１４に記載の第１装置。
【請求項１６】
前記コンピュータ実行可能命令は、さらに前記第１装置に、システム情報を受信することを実施させ、前記システム情報は、前記予め指定されるプリアンブルのインジケーションを含む、請求項１５に記載の第１装置。
【請求項１７】
プロセッサと、メモリと、通信回路と、を備える第２装置であって、
前記第２装置は、前記通信回路を介して通信ネットワークに連結可能であり、
前記第２装置の前記プロセッサによって実行されると、前記第２装置に、ページングオケージョンの間に、複数のページングバーストを含むページングバーストシリーズを伝送することを実施させる、記第２装置の前記メモリに格納されたコンピュータ実行可能命令をさらに含み、
前記ページングバーストの各々は、１つもしくは複数のページングブロックを含み、
前記ページングブロックの各々は、別個のビームで伝送され、
前記１つまたは複数のページングブロックの各々は、ページングインジケーションまたはページングメッセージを含み、
前記ページングインジケーションまたは前記ページングメッセージは、第１装置向けのものである、第２装置。
【請求項１８】
前記コンピュータ実行可能命令は、さらに前記第２装置に、
前記ページングオケージョンの全てのページングブロックの間にページング下りリンク制御情報を伝送することと、
ページング支援を検出することと、ここで、そのページング監視メッセージは前記第１装置からのものであり、
前記ページング支援によって指示された下りリンクビームによって前記ページングメッセージを伝送することと、
を実施させる、請求項１７に記載の第２装置。
【請求項１９】
前記コンピュータ実行可能命令は、さらに前記第２装置に、
ページング支援メッセージ内の予め指定されたプリアンブルを検出することを実施させ、前記予め指定されたプリアンブルは、前記ページングオケージョンの前記ページングブロックに関連付けられたランダムアクセスチャネルリソースに関する、請求項１８に記載の第２装置。
【発明の詳細な説明】
【技術分野】
【０００１】
本願は、その開示内容の全てが参照により本明細書に組み入れられている、２０１７年２月２日付けで出願された米国仮特許出願６２／４５３８８０、２０１７年５月４日付けで出願された米国仮特許出願６２／５０１５４７、２０１７年９月２８日付けで出願された米国仮特許出願６２／５６４４７６、２０１７年１１月１５日付けで出願された米国仮特許出願６２／５８６５５２の利益を主張する。
【背景技術】
【０００２】
新無線（New  Radio：ＮＲ）では、ＬＴＥにおけるページングのためのメカニズムと類似のものが採用される可能性がある。ブロードキャストまたはマルチキャストページングインジケーションに応答することでユーザー端末（User  Equipment：ＵＥ）がページングを支援できるようにトリガされるメカニズムを使用して、ページングスイープおよび制御／メッセージオーバーヘッドの程度を低減し得る。
【発明の概要】
【課題を解決するための手段】
【０００３】
ＵＥ、ｇＮＢ、またはＴＲＰノード間の新無線（ＮＲ）システムにおけるページングは、ＰＨＹ層、ＭＡＣ層、およびＲＲＣ層に、またはそれらにわたって実装される各種方法を介して達成され得る。ＮＲチャネル設計は、同期信号（Synchronization  Signal：ＳＳ）バーストシリーズフレーム構造を組み込み得る。ＳＳバーストシリーズは、ＮＲネットワークにおいて同期信号の伝送のために使用され得る。上位層チャネルは、ＳＳブロックの間に伝送される物理チャネルにマップされ得る。
【０００４】
ＮＲページングバーストシリーズフレーム構造は、ＮＲネットワーク内で、例えば、ページング用の間欠受信（Discontinuous  Reception：ＤＲＸ）フレームワーク内でページングメッセージの伝送のために使用され得る。
【０００５】
ＮＲ物理共通制御チャネル構成情報要素（Physical  Common  Control  Channel  Configuration  Information  Element：ＰＣＣＨ−Ｃｏｎｆｉｇ  ＩＥ）は、システム情報の一部として、ページング構成を通知するのに使用され得る。
【０００６】
ページングは、ユーザー端末（ＵＥ）支援なしに、マルチビームおよびマルチＢＷＰ展開内で、例えば、ページングＣＯＲＥＳＥＴとＳＳＢとのＱＣＬ関係の適切な設計を介して可能にされ得る。
【０００７】
ページングは、ｇＮＢへのビームまたは他の情報を提供するＵＥ支援を用いても動作し得る。例えば、ページングインジケーションは、プリアンブル伝送を用いて応答するようにＵＥをトリガし得る。ｇＮＢは、プリアンブルが受信されるビームおよびＢＷＰでページングメッセージを伝送し得る。
【０００８】
Ｐ−ＲＮＴＩおよびＰＩ−ＲＮＴＩ構成がページングＣＯＲＥＳＥＴおよびページングオケージョン内で使用されてよく、ＲＡＣＨプリアンブルベースのグルーピング方法が、セル内のシグナリング負荷低減のために、ならびにページングＣＯＲＥＳＥＴおよびページングメッセージ構成のために使用され得る。
【０００９】
圧縮ＵＥ  ＩＤが、複数のビームおよび複数のＢＷＰを介してページングメッセージを伝送する際に、オーバーヘッドを低減するように伝送され得る。ＵＥごとの複数のページングインデックスが、シグナリングオーバーヘッドを低減するためにさらに使用され得る。
【００１０】
ＵＥ非支援型およびＵＥ支援型ページングプロシージャがネットワークに共存してよく、その場合、ページングのタイプ（ＵＥ支援型／ＵＥ非支援型）は、ＳＩ構成またはＲＮＴＩを通した識別によって提供される。
【００１１】
ＵＥは、例えば、低遅延または高信号品質ビーム／ＢＷＰを通して複数のプリアンブル伝送および単一のプリアンブル伝送を使用して、複数のビームまたは複数のＢＷＰから同一のページングメッセージを受信し得る。
【００１２】
グループベースのページングは、例えば、複数のページングＤＣＩまたは複数のページングインジケーションＤＣＩがシステム内で規定される場合に実装され得る。ＵＥは、自身のページングについて監視するページンググループの１つのＲＮＴＩにマップし得る。これにより、システム内の誤った警告および過剰なシグナリングを低減することができる。
【００１３】
ＵＥ向けのＰＢＷＰ（ページングＢＷＰ）が、デフォルトＢＷＰ内のページングについて監視を可能にするために使用され得る。
【００１４】
柔軟なページングバーストシリーズ構造が、ＵＥのページングを可能にするように使用され得る。
【００１５】
ＵＥは、ＵＥがページングについて監視することになる、または監視が望まれるページングブロックを指示するＲＲＣページング支援メッセージを介して、ページング支援情報をネットワークに通知し得る。同様に、ＵＥがページングについて監視することになる、または監視が望まれるページングブロックを指示するのにＭＡＣコントロールエレメント（Control  Element：ＣＥ）が使用され得る。ページング支援は、予め指定されるプリアンブルを用いてランダムアクセスプロシージャを使用してネットワークに通知され得る。
【００１６】
ＮＲページングメッセージは、ＣＮまたはＲＡＮ  ＵＥ識別情報を使用してＵＥをページングするために使用され得る。
【図面の簡単な説明】
【００１７】
以下の詳細な説明は、添付図面と共に読むことでより良く理解される。説明のために、図中に例を示す。しかし、主題は、開示される特定の要素および手段に限定されない。
【００１８】
【図１Ａ】図１Ａは、通信システムの一例を示す図である。
【図１Ｂ】図１Ｂは、例えば、無線伝送／受信ユニット（Wireless  Transmit/Receive  Unit：ＷＴＲＵ）等のような無線通信用に構成される装置またはデバイスの一例のブロック図である。
【図１Ｃ】図１Ｃは、無線アクセスネットワーク（Radio  Access  Network：ＲＡＮ）およびコアネットワークの第１の例の系統図である。
【図１Ｄ】図１Ｄは、無線アクセスネットワーク（ＲＡＮ）およびコアネットワークの第２の例の系統図である。
【図１Ｅ】図１Ｅは、無線アクセスネットワーク（ＲＡＮ）およびコアネットワークの第３の例の系統図である。
【図１Ｆ】図１Ｆは、ＲＡＮ、コアネットワーク、公衆交換電話網（Public  Switched  Telephone  Network：ＰＳＴＮ）、インターネットまたは他のネットワーク内のある種のノードまたは機能性エンティティ等の通信ネットワークの１つまたは複数の装置がその中に具現化され得る、例示的コンピューティングシステムのブロック図である。
【図２】図２は、ＲＲＣプロトコル状態マシンの一例を示す図である。
【図３】図３は、ページング方法の一例を示す図である。
【図４】図４は、セクタビームおよび複数の高利得狭ビームを用いるセルカバレッジの一例を示す図である。
【図５】図５は、例示的ページングバーストシリーズを示す図である。
【図６】図６は、ページングブロック群が２つの連続するスロット群のシンボル３〜１０を占める場合のページングバーストの一例を示す図である。
【図７】図７は、ページングブロック群が２つの連続するスロット群の全シンボルを占める場合のページングバーストの一例を示す図である。
【図８】図８は、単一ビーム伝送を用いる例示的ページングバーストシリーズを示す図である。
【図９】図９は、各ページングブロックの間に伝送される単一のビームおよび各ページングバーストの間に完了されるフルスイープを用いるページングバーストシリーズの一例を示す図である。
【図１０】図１０は、マルチビーム伝送を用いる例示的ページングバーストシリーズを示す図である。
【図１１】図１１は、各ページングブロックの間に伝送される複数のビームおよび各ページングバーストの間に完了されるフルスイープを用いるページングバーストシリーズの一例を示す図である。
【図１２】図１２は、単一ビーム伝送および繰り返しを用いる例示的ページングバーストシリーズを示す図である。
【図１３】図１３は、マルチビーム伝送および繰り返しを用いる例示的ページングバーストシリーズを示す図である。
【図１４】図１４は、ＳＦＮ伝送および単一ビーム伝送を用いる例示的セクタビーム展開を示す図である。
【図１５】図１５は、ＳＦＮ伝送および単一ビーム伝送を用いるセクタビーム展開用の例示的ページングバーストシリーズを示す図である。
【図１６Ａ】図１６Ａは、多重化されるＳＳブロック群およびページングブロック群の一例を示す図である。
【図１６Ｂ】図１６Ｂは、多重化されるＳＳブロック群およびページングブロック群の一例を示す図である。
【図１６Ｃ】図１６Ｃは、多重化されるＳＳブロック群およびページングブロック群の一例を示す図である。
【図１７】図１７は、ページングブロック群に対するスイーピングの分割「ラウンド」の一例を示す図である。
【図１８】図１８は、ページングオケージョンのページングブロックと関連付けられたＤＬリソースを使用したページングメッセージ伝送のための例示的時間領域構造を示す図である。
【図１９】図１９は、ページングバーストシリーズにマップされる例示的ページングオケージョンを示す図である。
【図２０】図２０は、ページングバーストシリーズ内のページングバースト群のサブセットにマップされる例示的ページングオケージョンを示す図である。
【図２１】図２１は、ページングバーストシリーズ内のページングブロック群のサブセットにマップされる例示的ページングオケージョンを示す図である。
【図２２】図２２は、ＮＲページングフレームごとに、１つのＮＲ−ＰＯのページング容量をサポートするために使用され得るＤＲＸ構成の場合のＮＲ−ＰＯ計算の結果の図である。
【図２３】図２３は、ＮＲページングフレームごとに、２つのＮＲ−ＰＯのページング容量をサポートするために使用され得るＤＲＸ構成の場合のＮＲ−ＰＯ計算の結果の図である。
【図２４】図２４は、ＮＲページングフレームごとに、４つのＮＲ−ＰＯのページング容量をサポートするために使用され得るＤＲＸ構成の場合のＮＲ−ＰＯ計算の結果の図である。
【図２５】図２５は、ＮＲページングフレームごとに、８つのＮＲ−ＰＯのページング容量をサポートするために使用され得るＤＲＸ構成の場合のＮＲ−ＰＯ計算の結果の図である。
【図２６】図２６は、各ＳＳブロックの間に伝送される単一ビームを伴うＳＳバーストシリーズの一例を示す図である。
【図２７】図２７は、各ＳＳブロックの間に伝送される単一のビームおよび各ＳＳバーストの間に完了されるフルスイープを伴うＳＳバーストシリーズの一例を示す図である。
【図２８】図２８は、各ＳＳブロックの間に伝送される複数のビームを伴うＳＳバーストシリーズの一例を示す図である。
【図２９】図２９は、各ＳＳブロックの間に伝送される複数のビームおよび各ＳＳバーストの間に完了されるフルスイープを伴うＳＳバーストシリーズの一例を示す図である。
【図３０】図３０は、ＳＳブロックの間に伝送される物理チャネルの多重化方法の例を示す図である。
【図３１】図３１は、異なるＰ−ＲＮＴＩを用いてＵＥの複数のグループをページングするための一例を示す図である。
【図３２】図３２は、異なるＰＩ−ＲＮＴＩを用いるＵＥの複数のグループへのページングインジケーションの一例を示す図である。
【図３３】図３３は、ＰＤＣＣＨの中のグループ用の複数のＰ−ＲＮＴＩの一例を示す図である。
【図３４】図３４は、ＰＤＣＣＨの中のグループ用の複数のＰＩ−ＲＮＴＩの一例を示す図である。
【図３５】図３５は、ＳＳブロックの間に伝送されるチャネルに対するマッピングの一例を示す図である。
【図３６】図３６は、セカンダリＮＲ−ＰＢＣＨと共にＳＳブロックの間に伝送されるチャネルに対するマッピングの一例を示す図である。
【図３７】図３７は、例示的ＮＲチャネルマッピングを示す図である。
【図３８】図３８は、ＮＲ−ＰＩＣＨを伴う例示的ＮＲチャネルマッピングを示す図である。
【図３９Ａ】図３９Ａは、ＳＳバーストを伴う例示的ＰＯバーストセットを示す図である。
【図３９Ｂ】図３９Ｂは、ＳＳバーストを伴う例示的ＰＯバーストセットを示す図である。
【図３９Ｃ】図３９Ｃは、ＳＳバーストを伴う例示的ＰＯバーストセットを示す図である。
【図４０Ａ】図４０Ａは、ＳＳバーストを伴わない例示的ＰＯバーストセットを示す図である。
【図４０Ｂ】図４０Ｂは、ＳＳバーストを伴わない例示的ＰＯバーストセットを示す図である。
【図４０Ｃ】図４０Ｃは、ＳＳバーストを伴わない例示的ＰＯバーストセットを示す図である。
【図４１Ａ】図４１Ａは、ページングＤＣＩ／メッセージとＳＳＢとの間の多重化およびＱＣＬ、ＳＳＢを先導するページングＣＯＲＥＳＥＴを伴うＴＤＭの例を示す図である。
【図４１Ｂ】図４１Ｂは、ページングＤＣＩ／メッセージとＳＳＢとの間の多重化およびＱＣＬ、ＳＳＢに追従するページングＣＯＲＥＳＥＴを伴うＴＤＭの例を示す図である。
【図４１Ｃ】図４１Ｃは、ページングＤＣＩ／メッセージとＳＳＢとの間の多重化およびＱＣＬ、ＳＳＳに隣接するリソースを占めるページングＣＯＲＥＳＥＴを伴うＦＤＭの例を示す図である。
【図４１Ｄ】図４１Ｄは、ページングＤＣＩ／メッセージとＳＳＢとの間の多重化およびＱＣＬ、異なるＰＲＢ内のページングＣＯＲＥＳＥＴを伴うＦＤＭの例を示す図である。
【図４１Ｅ】図４１Ｅは、ページングＤＣＩ／メッセージとＳＳＢとの間の多重化およびＱＣＬ、ページングＤＣＩスイープに続く別々のＰＤＳＣＨ割り当ての例を示す図である。
【図４２】図４２は、複数のビーム上のページングＤＣＩ、それ以外に単一の幅広ビーム内のページングメッセージの一例を示す図である。
【図４３Ａ】図４３Ａは、ページングＣＯＲＥＳＥＴの例示的関連付けを示す図である。
【図４３Ｂ】図４３Ｂは、ページングＣＯＲＥＳＥＴの例示的関連付けを示す図である。
【図４３Ｃ】図４３Ｃは、ページングＣＯＲＥＳＥＴの例示的関連付けを示す図である。
【図４４Ａ】図４４Ａは、複数のＰＯバーストセットを用いるページングＣＯＲＥＳＥＴ構成の例示的関連付けを示す図である。
【図４４Ｂ】図４４Ｂは、複数のＰＯバーストセットを用いるページングＣＯＲＥＳＥＴ構成の例示的関連付けを示す図である。
【図４４Ｃ】図４４Ｃは、複数のＰＯバーストセットを用いるページングＣＯＲＥＳＥＴ構成の例示的関連付けを示す図である。
【図４５Ａ】図４５Ａは、ＳＳＢとページングＣＯＲＥＳＥＴとの間の例示的関連付けを示す図である。
【図４５Ｂ】図４５Ｂは、ＳＳＢとページングＣＯＲＥＳＥＴとの間の例示的関連付けを示す図である。
【図４５Ｃ】図４５Ｃは、ＳＳＢとページングＣＯＲＥＳＥＴとの間の例示的関連付けを示す図である。
【図４６Ａ】図４６Ａは、周波数分割多重化（Frequency  Division  Multiplexing：ＦＤＭ）または空間分割多重化（Space  Division  Multiplexing：ＳＤＭ）ＰＯバーストとインターリーブされるＮＲ−ＳＳブロックの可能な選択肢の１つを示す図である。
【図４６Ｂ】図４６Ｂは、周波数分割多重化（Frequency  Division  Multiplexing：ＦＤＭ）または空間分割多重化（Space  Division  Multiplexing：ＳＤＭ）ＰＯバーストとインターリーブされるＮＲ−ＳＳブロックの可能な選択肢の１つを示す図である。
【図４６Ｃ】図４６Ｃは、周波数分割多重化（Frequency  Division  Multiplexing：ＦＤＭ）または空間分割多重化（Space  Division  Multiplexing：ＳＤＭ）ＰＯバーストとインターリーブされるＮＲ−ＳＳブロックの可能な選択肢の１つを示す図である。
【図４７Ａ】図４７Ａは、非空間分割多重化（ＳＤＭされない）ＰＯバーストとインターリーブされるＮＲ−ＳＳブロックの可能な選択肢の１つを示す図である。
【図４７Ｂ】図４７Ｂは、非空間分割多重化（ＳＤＭされない）ＰＯバーストとインターリーブされるＮＲ−ＳＳブロックの可能な選択肢の１つを示す図である。
【図４７Ｃ】図４７Ｃは、非空間分割多重化（ＳＤＭされない）ＰＯバーストとインターリーブされるＮＲ−ＳＳブロックの可能な選択肢の１つを示す図である。
【図４８Ａ】図４８Ａは、例示的なインターリーブされないＮＲ−ＳＳバーストおよびＰＯバーストを示す図である。
【図４８Ｂ】図４８Ｂは、例示的なインターリーブされないＮＲ−ＳＳバーストおよびＰＯバーストを示す図である。
【図４８Ｃ】図４８Ｃは、例示的なインターリーブされないＮＲ−ＳＳバーストおよびＰＯバーストを示す図である。
【図４９Ａ】図４９Ａは、ＰＯバーストブロックと周波数分割多重化（ＦＤＭされた）ＳＳブロックを示す図である。
【図４９Ｂ】図４９Ｂは、ＰＯバーストブロックと周波数分割多重化（ＦＤＭされた）ＳＳブロックを示す図である。
【図４９Ｃ】図４９Ｃは、ＰＯバーストブロックと周波数分割多重化（ＦＤＭされた）ＳＳブロックを示す図である。
【図５０】図５０は、例示的開ループＵＥベースのページングブロック選択を示す図である。
【図５１】図５１は、例示的閉ループＵＥベースのページングブロック選択を示す図である。
【図５２】図５２は、ネットワークベースのページングブロック選択のための例示的モデルを示す図である。
【図５３】図５３は、例示的閉ループネットワークベースのページングブロック選択を示す図である。
【図５４】図５４は、例示的なＵＥ支援型応答方式ページングを示す図である。
【図５５Ａ】図５５Ａは、ＵＥページング支援が報告されるときに、ＮＲページングメッセージを構築するための例示的アルゴリズムを示す図である。
【図５５Ｂ】図５５Ｂは、ＵＥページング支援が報告されるときに、ＮＲページングメッセージを構築するための例示的アルゴリズムを示す図である。
【図５６】図５６は、ＲＡＣＨベースのＵＥ支援型応答方式ページングプロシージャのためのシグナリングの図である。
【図５７】図５７は、ＮＲページング方法の一例を示す図である。
【図５８】図５８は、オンデマンドページングを用いるＮＲページング方法の一例を示す図である。
【図５９】図５９は、ＵＥ支援型ページングを示すプロシージャの一例を示す図である。
【図６０Ａ】図６０Ａは、ＰＲＡＣＨリソースが各ＳＳＢに関連付けられる場合の、ページングインジケーター、ページングメッセージＤＣＩおよびページングメッセージの構成の一例を示す図である。
【図６０Ｂ】図６０Ｂは、ＰＲＡＣＨリソースの共通セットがＳＳＢのセットに割り当てられる場合の、ページングインジケーター、ページングメッセージＤＣＩおよびページングメッセージの構成の一例を示す図である。
【図６０Ｃ】図６０Ｃは、広帯域ＰＲＡＣＨリソース（異なるＳＳＢに対する各ＰＲＡＣＨリソースがＴＤＭしている）の拡大図と共に、ページングインジケーター、ページングメッセージＤＣＩおよびページングメッセージの構成の一例を示す図である。
【図６０Ｄ】図６０Ｄは、広帯域ＰＲＡＣＨリソース（異なるＳＳＢに対する各ＰＲＡＣＨリソースがＦＤＭしている）の拡大図と共に、ページングインジケーター、ページングメッセージＤＣＩおよびページングメッセージの構成の一例を示す図である。
【図６０Ｅ】図６０Ｅは、広帯域ＰＲＡＣＨリソース（ＳＳＢを指示する異なるプリアンブルを用いる共通ＰＲＡＣＨリソース）の拡大図と共に、ページングインジケーター、ページングメッセージＤＣＩおよびページングメッセージの構成の一例を示す図である。
【図６１】図６１は、ページングされるＵＥからのプリアンブル伝送に応答するＭＡＣ  ＰＤＵの構成の一例を示す図である。
【図６２】図６２は、ｇＮＢが、ページングされることになるＵＥのＩＤを伝送する場合の、ＵＥ支援型ページングの一例を示す図である。
【図６３】図６３は、ｇＮＢが、ページングされることになるＵＥのＩＤの圧縮形態を伝送する場合の、ＵＥ支援型ページングの一例を示す図である。
【図６４Ａ】図６４Ａは、Ｐ＝１のときのプリアンブル構成の一例を示す図である。
【図６４Ｂ】図６４Ｂは、Ｐ＝３のときのプリアンブル構成の一例を示す図である。
【図６５】図６５は、Ｌ＝２の場合のページングプリアンブル構成およびＵＥの時間変動マッピングの一例を示す図である。
【図６６】図６６は、同一のＣＯＲＥＳＥＴ内で異なるＲＮＴＩを伴うページングインジケーションおよびページングメッセージＤＣＩの一例を示す図である。
【図６７】図６７は、異なるＵＥ向けのページングインジケーションおよびページングメッセージのための単一のＰＤＣＣＨを示す図である。
【図６８】図６８は、ページングインジケーションおよびページングメッセージＤＣＩのための異なるＰＤＣＣＨであるが、ＲＮＴＩは同じ場合を示す図である。
【図６９Ａ】図６９Ａは、ページングメッセージＤＣＩ構成の一例を示す図である。
【図６９Ｂ】図６９Ｂは、ページングメッセージＤＣＩ構成の一例を示す図である。
【図６９Ｃ】図６９Ｃは、ページングメッセージＤＣＩ構成の一例を示す図である。
【図７０Ａ】図７０Ａは、ページングメッセージの伝送に使用されるページングブロックとＤＬリソースとの間の関連付けの一例を示す図である。
【図７０Ｂ】図７０Ｂは、ページングメッセージの伝送に使用されるページングブロックとＤＬリソースとの間の関連付けの一例を示す図である。
【図７１】図７１は、例示的ページング支援ＭＡＣ  ＣＥを示す図である。
【図７２】図７２は、例示的代替のページング支援ＭＡＣ  ＣＥを示す図である。
【図７３】図７３は、ページングブロックとＵＬリソースとの間の例示的関連付けを示す図である。
【図７４】図７４は、ページングブロックとＵＬリソースとの間の例示的代替の関連付けを示す図である。
【図７５】図７５は、どのＵＥがページングに対して応答する必要があるかを指示するために使用されるページングビットマップを含むページングＤＣＩペイロードの図である。
【図７６】図７６は、Ｐ個のビットを用いるページングビットマップの図である。
【図７７Ａ】図７７Ａは、ページングビットマップに含まれ得るページング種類インジケーターフィールドを示す図である。
【図７７Ｂ】図７７Ｂは、ページングビットマップに含まれ得るページング種類インジケーターフィールドを示す図である。
【図７８Ａ】図７８Ａは、ページングプリアンブルが、ＵＥフィードバック支援型ページングの場合に、どのように割り当てられ得るかを示す図である。
【図７８Ｂ】図７８Ｂは、ページングプリアンブルが、ＵＥフィードバック支援型ページングの場合に、どのように割り当てられ得るかを示す図である。
【図７８Ｃ】図７８Ｃは、ページングプリアンブルが、ＵＥフィードバック支援型ページングの場合に、どのように割り当てられ得るかを示す図である。
【図７９】図７９は、ＵＥが異なるページングインデックスを有する複数のビームからページングメッセージを受信するときに、ＵＥがそのＩＤを再構築し、誤った警告を低減する、ＵＥ  ＩＤ圧縮スキームの一例を示す図である。
【図８０Ａ】図８０Ａは、マルチビーム構成内の複数のページングインジケーション／ページングメッセージＤＣＩを受信するＵＥの一例を示す図である。
【図８０Ｂ】図８０Ｂは、マルチＢＷＰ構成内の複数のページングインジケーション／ページングメッセージＤＣＩを受信するＵＥの一例を示す図である。
【図８１Ａ】図８１Ａは、マルチビームの場合における受信されるページングインジケーション／ページングメッセージに対応する全てのＲＡＣＨ機会内にプリアンブルを送信するＵＥの一例を示す図である。
【図８１Ｂ】図８１Ｂは、マルチＢＷＰの場合における受信されるページングインジケーション／ページングメッセージに対応する全てのＲＡＣＨ機会内にプリアンブルを送信するＵＥの一例を示す図である。
【図８２Ａ】図８２Ａは、ＵＥからの複数のプリアンブルを処理するためのプロシージャの一例を示す図である。
【図８２Ｂ】図８２Ｂは、ＵＥからの複数のプリアンブルを処理するためのプロシージャの一例を示す図である。
【図８３】図８３は、ＳＳＢを伴わないＢＷＰに対するＰＢＷＰ構成とＱＣＬの一例を示す図である。
【図８４】図８４は、デフォルトＰＢＷＰ構成の一例を示す図である。
【図８５】図８５は、ニューメロロジーおよびＵＥ能力に依存するＰＢＷＰへのＵＥの割り当ての一例を示す図である。
【図８６】図８６は、ＵＥが最初のＰＢＷＰにおいて不十分な信号品質を経験するときのＢＷＰＴＧ更新の例を示す図である。
【図８７】図８７は、ＮＲ−ＰＦまたはページングスイーピングフレーム（Paging  Sweeping  Frame：ＰＳＦ）の一例を示す図である。
【図８８】図８８は、ＤＲＸサイクル内のＰＢＳの繰り返しを示す図である。
【図８９】図８９は、ＤＲＸサイクル内のＰＢＳの繰り返しを示す図である。
【図９０】図９０は、モビリティシグナリング負荷低減の方法およびシステムに基づいて生成され得る、例示的ディスプレイ（例えば、グラフィカルユーザーインターフェース）を示す図である。
【発明を実施するための形態】
【００１９】
５Ｇの将来的展開に向けて、以下の課題／問題が考慮される必要がある。第１の問題に関しては、高周波領域における５Ｇの予想される展開を踏まえると、ＬＴＥのページングカバレッジと同等のページングカバレッジを達成することが課題になる。ビームベースのセルアーキテクチャページングおよび単一周波数ネットワーク（Single  Frequency  Network：ＳＦＮ）ページングが５Ｇに向けて検討される場合、問題が起こる可能性がある。したがって、この文脈において取り組むべき問題の１つは、ＬＴＥページングスキームと同じくらい効率的で、同レベルのページングカバレッジに対する無線リソース使用量を基準にしたページングスキームの設計である。例えば、ＬＴＥの場合と同じように同レベルのページングカバレッジを同等のレベルの無線リソース（周波数／時間）使用量でそのセル内でどのように達成するか、ビームベースのセルアーキテクチャが考慮される。
【００２０】
第２の問題に関しては、ＩＮＡＣＴＩＶＥのＵＥがＲＡＮ開始の通知およびＣＮ開始のページングを介して通信可能であることをＲＡＮ２が認識していたことである。ページングプロシージャおよびページングオケージョンは、ＵＥ消費電力への不利な影響を回避または最小限に抑えるのと同時に、ＲＡＮおよびコアネットワークの両方によって非アクティブ状態ＵＥのページングを可能にするように設計される必要がある。例えば、ＵＥが、ＲＡＮレベルページング用のページングオケージョンのセットとＣＮレベルページング用の完全に異なるページングオケージョンのセットとを監視する必要がある場合は、ＵＥ消費電力に不利な影響を及ぼすことになる。したがって、ＲＡＮとＣＮページングオケージョンとが部分的に共通し、同一のページング／通知メカニズムが使用されるように解決策を打ち立てる必要がある。
【表１−１】
2020507980.tif 000003
【表１−２】
2020507980.tif 000004
【表１−３】
2020507980.tif 000005
【表１−４】
2020507980.tif 000006
【００２１】
第３世代パートナーシッププロジェクト（3rd  Generation  Partnership  Project：３ＧＰＰ）は、無線アクセス、コアトランスポートネットワーク、およびサービス能力（コーデック、セキュリティ、およびサービスの品質に作用するものを含む）を含む、セルラー電気通信ネットワーク技術のための技術的規格を開発している。最近の無線アクセス技術（ＲＡＴ）規格は、ＷＣＤＭＡ（一般に、３Ｇと称される）、ＬＴＥ（一般に、４Ｇと称される）、およびＬＴＥ−アドバンスト規格を含む。３ＧＰＰは、「５Ｇ」とも称される、新無線（ＮＲ）と呼ばれる、次世代セルラー技術の標準化への取り組みを開始している。３ＧＰＰ  ＮＲ規格開発は、次世代無線アクセス技術（新しいＲＡＴ）の定義を含むことが予期され、これは、６ＧＨｚを下回る新規のフレキシブルな無線アクセスの提供と、６ＧＨｚを上回る新規のウルトラモバイルブロードバンド無線アクセスの提供とを含むことが予期されている。フレキシブルな無線アクセスは、６ＧＨｚを下回る新しいスペクトルにおける新しい非後方互換性無線アクセスからなることが予期され、同一スペクトル内で共に多重化され、多様な要件を伴う３ＧＰＰ  ＮＲユースケースの広範なセットに対処し得る、異なる動作モードを含むことが予期される。ウルトラモバイルブロードバンドは、ウルトラモバイルブロードバンドアクセス、例えば、屋内用途およびホットスポット向けの機会を提供する、センチ波およびミリ波スペクトルを含むことが予期されている。特に、ウルトラモバイルブロードバンドは、センチ波およびミリ波特有設計最適化を伴って、共通設計フレームワークを６ＧＨｚを下回るフレキシブル無線アクセスと共有することが予期されている。
【００２２】
３ＧＰＰは、データレート、遅延、およびモビリティのための様々なユーザー体験要件をもたらす、ＮＲでサポートすることが予期される種々のユースケースを特定している。ユースケースは、以下の一般的カテゴリ、すなわち、高度化モバイルブロードバンド（例えば、高密度エリアにおけるブロードバンドアクセス、屋内超高ブロードバンドアクセス、群集の中のブロードバンドアクセス、あらゆる場所における５０＋Ｍｂｐｓ、超低コストブロードバンドアクセス、車両内のモバイルブロードバンド）、重要通信、大規模マシンタイプ通信、ネットワークオペレーション（例えば、ネットワークスライシング、ルーティング、移行およびインターワーキング、エネルギー節約）、および拡張ビークルツーエブリシング（ｅＶ２Ｘ）間の通信を含む。これらのカテゴリにおける具体的サービスおよびアプリケーションは、例えば、いくつか例を挙げると、監視およびセンサネットワーク、デバイス遠隔制御、双方向遠隔制御、パーソナルクラウドコンピューティング、ビデオストリーミング、無線クラウドベースのオフィス、緊急対応者コネクティビティ、自動車ｅコール、災害警告、リアルタイムゲーム、多人数ビデオコール、自律運転、拡張現実、触知インターネット、および仮想現実を含む。これらのユースケースの全ておよび他のものが、本明細書で検討される。
【００２３】
図１Ａは、本明細書で説明および請求される方法および装置がその中で具現化され得る例示的通信システム１００の一実施形態を示す。示すように、例示的通信システム１００は、無線伝送／受信ユニット（ＷＴＲＵ）１０２ａ、１０２ｂ、１０２ｃ、および／または１０２ｄ（概して、または集合的に、ＷＴＲＵ１０２と称され得る）と、無線アクセスネットワーク（ＲＡＮ）１０３／１０４／１０５／１０３ｂ／１０４ｂ／１０５ｂと、コアネットワーク１０６／１０７／１０９と、公衆交換電話ネットワーク（ＰＳＴＮ）１０８と、インターネット１１０と、他のネットワーク１１２とを含み得るが、開示される実施形態は、任意の数のＷＴＲＵ、基地局、ネットワーク、および／またはネットワーク要素を検討することを理解されよう。ＷＴＲＵ１０２ａ、１０２ｂ、１０２ｃ、１０２ｄ、１０２ｅはそれぞれ、無線環境で動作および／または通信するように構成される任意のタイプの装置またはデバイスであり得る。各ＷＴＲＵ１０２ａ、１０２ｂ、１０２ｃ、１０２ｄ、１０２ｅは、ハンドヘルド無線通信装置として図１Ａ〜１Ｅに描写されるが、５Ｇ無線通信のために検討される様々なユースケースに伴って、各ＷＴＲＵは一例にすぎないが、ユーザー端末（ＵＥ）、移動局、固定またはモバイルサブスクライバユニット、ポケットベル、セルラー電話、携帯情報端末（Personal  Digital  Assistant：ＰＤＡ）、スマートフォン、ラップトップ、タブレット、ネットブック、ノートブックコンピュータ、パーソナルコンピュータ、無線センサ、大衆消費電子製品、スマートウォッチまたはスマート衣類等のウェアラブルデバイス、医療またはｅ健康デバイス、ロボット、産業機器、ドローン、例えば、車、トラック、電車、または飛行機の乗り物等を含む、無線信号を伝送および／または受信するように構成される任意のタイプの装置またはデバイスを備えている、またはそれらで具現化され得ることを理解されよう。
【００２４】
通信システム１００はまた、基地局１１４ａと、基地局１１４ｂとを含み得る。基地局１１４ａは、ＷＴＲＵ１０２ａ、１０２ｂ、１０２ｃのうちの少なくとも１つと無線でインターフェースをとり、コアネットワーク１０６／１０７／１０９、インターネット１１０、および／またはその他のネットワーク１１２等の１つまたは複数の通信ネットワークへのアクセスを促進するように構成される任意のタイプのデバイスであり得る。基地局１１４ｂは、ＲＲＨ（遠隔無線ヘッド）１１８ａ、１１８ｂおよび／またはＴＲＰ（送受信ポイント）１１９ａ、１１９ｂのうちの少なくとも１つと有線および／または無線でインターフェースをとり、コアネットワーク１０６／１０７／１０９、インターネット１１０、および／またはその他のネットワーク１１２等の１つまたは複数の通信ネットワークへのアクセスを促進するように構成される任意のタイプのデバイスであり得る。ＲＲＨ１１８ａ、１１８ｂは、ＷＴＲＵ１０２ｃのうちの少なくとも１つと無線でインターフェースをとり、コアネットワーク１０６／１０７／１０９、インターネット１１０、および／またはその他のネットワーク１１２等の１つまたは複数の通信ネットワークへのアクセスを促進するように構成される任意のタイプのデバイスであり得る。ＴＲＰ１１９ａ、１１９ｂは、ＷＴＲＵ１０２ｄのうちの少なくとも１つと無線でインターフェースをとり、コアネットワーク１０６／１０７／１０９、インターネット１１０、および／またはその他のネットワーク１１２等の１つまたは複数の通信ネットワークへのアクセスを促進するように構成される任意のタイプのデバイスであり得る。一例として、基地局１１４ａ、１１４ｂは、送受信機基地局（Base  Transceiver  Station：ＢＴＳ）、Ｎｏｄｅ−Ｂ、ｅＮｏｄｅ  Ｂ、ホームＮｏｄｅ  Ｂ、ホームｅＮｏｄｅ  Ｂ、サイトコントローラ、アクセスポイント（Access  Point：ＡＰ）、無線ルータ等であり得る。基地局１１４ａ、１１４ｂはそれぞれ単一の要素として描写されるが、基地局１１４ａ、１１４ｂは、任意の数の相互接続される基地局および／またはネットワーク要素を含み得ることを理解されよう。
【００２５】
基地局１１４ａは、ＲＡＮ１０３／１０４／１０５の一部であり得、それらＲＡＮは、基地局コントローラ（Base  Station  Controller：ＢＳＣ）、無線ネットワークコントローラ（Radio  Network  Controller：ＲＮＣ）、中継ノード等の他の基地局および／またはネットワーク要素（図示せず）も含み得る。基地局１１４ｂは、ＲＡＮ１０３ｂ／１０４ｂ／１０５ｂの一部であり得、それらＲＡＮは、基地局コントローラ（ＢＳＣ）、無線ネットワークコントローラ（ＲＮＣ）、中継ノード等の他の基地局および／またはネットワーク要素（図示せず）も含み得る。基地局１１４ａは、特定の地理的領域内で無線信号を伝送および／または受信するように構成され得、その地理的領域はセル（図示せず）と称され得る。基地局１１４ｂは、特定の地理的領域内で有線および／または無線信号を伝送および／または受信するように構成され得、その地理的領域はセル（図示せず）と称され得る。セルはさらに、セルセクタに分割され得る。例えば、基地局１１４ａに関連付けられたセルは、３つのセクタに分割され得る。したがって、一実施形態では、基地局１１４ａは、例えば、セルのセクタごとに１つの、３つの送受信機を含み得る。一実施形態では、基地局１１４ａは、多入力多出力（Multiple-Input  Multiple  Output：ＭＩＭＯ）技術を採用し得、したがって、セルのセクタごとに複数の送受信機を利用し得る。
【００２６】
基地局１１４ａは、エアインターフェース１１５／１１６／１１７を介して、ＷＴＲＵ１０２ａ、１０２ｂ、１０２ｃのうちの１つまたは複数と通信し得、そのエアインターフェースは、任意の好適な無線通信リンク（例えば、無線周波数（Radio  Frequency：ＲＦ）、マイクロ波、赤外線（Infrared：ＩＲ）、紫外線（Ultraviolet：ＵＶ）、可視光、センチ波、ミリ波等）であり得る。エアインターフェース１１５／１１６／１１７は、任意の好適な無線アクセス技術（ＲＡＴ）を使用して確立され得る。
【００２７】
基地局１１４ｂは、有線インターフェースまたはエアインターフェース１１５ｂ／１１６ｂ／１１７ｂを介してＲＲＨ１１８ａ、１１８ｂおよび／またはＴＲＰ１１９ａ、１１９ｂのうちの１つまたは複数と通信し得、その有線インターフェースまたはエアインターフェースは、任意の好適な有線（例えば、ケーブル、光ファイバ等）または無線通信リンク（例えば、無線周波数（ＲＦ）、マイクロ波、赤外線（ＩＲ）、紫外線（ＵＶ）、可視光、センチ波、ミリ波等）であり得る。エアインターフェース１１５ｂ／１１６ｂ／１１７ｂは、任意の好適な無線アクセス技術（ＲＡＴ）を使用して確立され得る。
【００２８】
ＲＲＨ１１８ａ、１１８ｂおよび／またはＴＲＰ１１９ａ、１１９ｂは、エアインターフェース１１５ｃ／１１６ｃ／１１７ｃを介してＷＴＲＵ１０２ｃ、１０２ｄのうちの１つまたは複数と通信し得、そのエアインターフェースは、任意の好適な無線通信リンク（例えば、無線周波数（ＲＦ）、マイクロ波、赤外線（ＩＲ）、紫外線（ＵＶ）、可視光、センチ波、ミリ波等）であり得る。エアインターフェース１１５ｃ／１１６ｃ／１１７ｃは、任意の好適な無線アクセス技術（ＲＡＴ）を使用して確立され得る。
【００２９】
通信システム１００は、複数のアクセスシステムであり得、かつＣＤＭＡ、ＴＤＭＡ、ＦＤＭＡ、ＯＦＤＭＡ、ＳＣ−ＦＤＭＡ等の１つまたは複数のチャネルアクセススキームを採用し得る。例えば、ＲＡＮ１０３／１０４／１０５内の基地局１１４ａとＷＴＲＵ１０２ａ、１０２ｂ、１０２ｃとは、または、ＲＡＮ１０３ｂ／１０４ｂ／１０５ｂ内のＲＲＨ１１８ａ、１１８ｂおよびＴＲＰ１１９ａ、１１９ｂとＷＴＲＵ１０２ｃ、１０２ｄとは、ユニバーサルモバイル電気通信システム（Universal  Mobile  Telecommunications  System：ＵＭＴＳ）、地上無線アクセス（Terrestrial  Radio  Access：ＵＴＲＡ）等の無線技術を実装してよく、それにより、広帯域ＣＤＭＡ（Wideband  CDMA：ＷＣＤＭＡ）を使用して、それぞれ、エアインターフェース１１５／１１６／１１７または１１５ｃ／１１６ｃ／１１７ｃを確立し得る。ＷＣＤＭＡは、高速パケットアクセス（High-Speed  Packet  Access：ＨＳＰＡ）および／または発展型ＨＳＰＡ（Evolved  HSPA：ＨＳＰＡ＋）等の通信プロトコルを含み得る。ＨＳＰＡは、高速下りリンクパケットアクセス（High-Speed  Downlink  Packet  Access：ＨＳＤＰＡ）および／または高速上りリンクパケットアクセス（High-Speed  Uplink  Packet  Access：ＨＳＵＰＡ）を含み得る。
【００３０】
一実施形態では、基地局１１４ａとＷＴＲＵ１０２ａ、１０２ｂ、１０２ｃとは、またはＲＡＮ１０３ｂ／１０４ｂ／１０５ｂ内のＲＲＨ１１８ａ、１１８ｂおよびＴＲＰ１１９ａ、１１９ｂとＷＴＲＵ１０２ｃ、１０２ｄとは、発展型ＵＭＴＳ地上無線アクセス（Ｅ−ＵＴＲＡ）等の無線技術を実装し得、それにより、ロングタームエボリューション（ＬＴＥ）および／またはＬＴＥ−アドバンスト（LTE-Advanced：ＬＴＥ−Ａ）を使用して、それぞれ、エアインターフェース１１５／１１６／１１７または１１５ｃ／１１６ｃ／１１７ｃを確立し得る。将来、エアインターフェース１１５／１１６／１１７は、３ＧＰＰ  ＮＲ技術を実装し得る。
【００３１】
一実施形態では、ＲＡＮ１０３／１０４／１０５内の基地局１１４ａとＷＴＲＵ１０２ａ、１０２ｂ、１０２ｃとは、またはＲＡＮ１０３ｂ／１０４ｂ／１０５ｂ内のＲＲＨ１１８ａ、１１８ｂおよびＴＲＰ１１９ａ、１１９ｂとＷＴＲＵ１０２ｃ、１０２ｄとは、ＩＥＥＥ８０２．１６（例えば、ワールドワイド・インターオペラビリティ・フォー・マイクロウェーブ・アクセス（Worldwide  Interoperability  for  Microwave  Access：ＷｉＭＡＸ））、ＣＤＭＡ２０００、ＣＤＭＡ２０００  １Ｘ、ＣＤＭＡ２０００  ＥＶ−ＤＯ、暫定規格２０００（Interim  Standard  ２０００：ＩＳ−２０００）、暫定規格９５（ＩＳ−９５）、暫定規格８５６（ＩＳ−８５６）、モバイル通信用グローバルシステム（ＧＳＭ（登録商標））、ＧＳＭ進化型高速データレート（Enhanced  Data  Rates  for  GSM  Evolution：ＥＤＧＥ）、ＧＳＭ  ＥＤＧＥ（ＧＥＲＡＮ）等の無線技術を実装し得る。
【００３２】
図１Ａにおける基地局１１４ｃは、無線ルータ、ホームＮｏｄｅ  Ｂ、ホームｅＮｏｄｅ  Ｂ、またはアクセスポイントであり得、例えば、会社、自宅、車両、キャンパス等の場所の局所エリア内の無線コネクティビティを促進するための任意の好適なＲＡＴを利用し得る。一実施形態では、基地局１１４ｃとＷＴＲＵ１０２ｅとは、ＩＥＥＥ８０２．１１等の無線技術を実装して、無線ローカルエリアネットワーク（Wireless  Local  Area  Network：ＷＬＡＮ）を確立し得る。一実施形態では、基地局１１４ｃとＷＴＲＵ１０２ｄとは、ＩＥＥＥ８０２．１５等の無線技術を実装して、無線パーソナルエリアネットワーク（Wireless  Personal  Area  Network：ＷＰＡＮ）を確立し得る。さらに別の実施形態では、基地局１１４ｃとＷＴＲＵ１０２ｅとは、セルラーベースのＲＡＴ（例えば、ＷＣＤＭＡ、ＣＤＭＡ２０００、ＧＳＭ、ＬＴＥ、ＬＴＥ−Ａ等）を利用して、ピコセルまたはフェムトセルを確立し得る。図１Ａに示すように、基地局１１４ｂは、インターネット１１０への直接接続を有し得る。したがって、基地局１１４ｃは、コアネットワーク１０６／１０７／１０９を介してインターネット１１０にアクセスする必要がない場合がある。
【００３３】
ＲＡＮ１０３／１０４／１０５および／またはＲＡＮ１０３ｂ／１０４ｂ／１０５ｂは、コアネットワーク１０６／１０７／１０９と通信し得、そのコアネットワークは、音声、データ、アプリケーション、および／またはボイスオーバーインターネットプロトコル（Voice  Over  Internet  Protocol：ＶｏＩＰ）サービスをＷＴＲＵ１０２ａ、１０２ｂ、１０２ｃ、１０２ｄのうちの１つまたは複数に提供するように構成される任意のタイプのネットワークであり得る。例えば、コアネットワーク１０６／１０７／１０９は、コール制御、請求サービス、モバイル位置ベースのサービス、プリペイドコール、インターネットコネクティビティ、ビデオ配信等を提供し、および／またはユーザー認証等の高レベルセキュリティ機能を実施し得る。
【００３４】
図１Ａでは図示されないが、ＲＡＮ１０３／１０４／１０５および／またはＲＡＮ１０３ｂ／１０４ｂ／１０５ｂおよび／またはコアネットワーク１０６／１０７／１０９は、ＲＡＮ１０３／１０４／１０５および／またはＲＡＮ１０３ｂ／１０４ｂ／１０５ｂと同一ＲＡＴまたは異なるＲＡＴを採用する他のＲＡＮと直接または間接通信し得ることを理解されよう。例えば、Ｅ−ＵＴＲＡ無線技術を利用し得る、ＲＡＮ１０３／１０４／１０５および／またはＲＡＮ１０３ｂ／１０４ｂ／１０５ｂに接続されることに加え、コアネットワーク１０６／１０７／１０９はまた、ＧＳＭ無線技術を採用する別のＲＡＮ（図示せず）と通信し得る。
【００３５】
コアネットワーク１０６／１０７／１０９はまた、ＷＴＲＵ１０２ａ、１０２ｂ、１０２ｃ、１０２ｄ、１０２ｅがＰＳＴＮ１０８、インターネット１１０、および／または他のネットワーク１１２にアクセスするためのゲートウェイとして機能し得る。ＰＳＴＮ１０８は、基本電話サービス（Plain  Old  Telephone  Service：ＰＯＴＳ）を提供する、回線交換電話ネットワークを含み得る。インターネット１１０は、伝送制御プロトコル（Transmission  Control  Protocol：ＴＣＰ）、ユーザーデータグラムプロトコル（User  Datagram  Protocol：ＵＤＰ）、およびＴＣＰ／ＩＰインターネットプロトコルスイートにおけるインターネットプロトコル（Internet  Protocol：ＩＰ）等の共通通信プロトコルを使用する、相互接続されるコンピュータネットワークおよびデバイスのグローバルシステムを含み得る。ネットワーク１１２は、他のサービスプロバイダによって所有および／または運営される、有線または無線通信ネットワークを含み得る。例えば、ネットワーク１１２は、ＲＡＮ１０３／１０４／１０５および／またはＲＡＮ１０３ｂ／１０４ｂ／１０５ｂと同一ＲＡＴまたは異なるＲＡＴを採用し得る、１つまたは複数のＲＡＮに接続される別のコアネットワークを含み得る。
【００３６】
通信システム１００内のＷＴＲＵ１０２ａ、１０２ｂ、１０２ｃ、１０２ｄの一部または全部は、マルチモード能力を含み得る。例えば、ＷＴＲＵ１０２ａ、１０２ｂ、１０２ｃ、１０２ｄ、および１０２ｅは、異なる無線リンクを介して異なる無線ネットワークと通信するための複数の送受信機を含み得る。例えば、図１Ａに示されるＷＴＲＵ１０２ｅは、セルラーベースの無線技術を採用し得る基地局１１４ａと、およびＩＥＥＥ８０２無線技術を採用し得る基地局１１４ｃと通信するように構成され得る。
【００３７】
図１Ｂは、例えば、ＷＴＲＵ１０２等の本明細書に図示される実施形態に従って無線通信のために構成される例示的装置またはデバイスのブロック図である。図１Ｂに示すように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケーター１２８と、非取り外し可能メモリ１３０と、取り外し可能メモリ１３２と、電源１３４と、全地球測位システム（Global  Positioning  System：ＧＰＳ）チップセット１３６と、他の周辺機器１３８とを含み得る。ＷＴＲＵ１０２は、実施形態と一致したままで、上述の要素の任意の副次的組み合わせを含み得ることを理解されたい。また、実施形態は、限定ではないが、とりわけ、送受信機基地局（ＢＴＳ）、Ｎｏｄｅ−Ｂ、サイトコントローラ、アクセスポイント（ＡＰ）、ホームＮｏｄｅ−Ｂ、発展型ホームＮｏｄｅ−Ｂ（evolved  Home  Node-B：ｅＮｏｄｅＢ）、ホーム発展型Ｎｏｄｅ−Ｂ（Home  evolved  Node-B：ＨｅＮＢ）、ホーム発展型Ｎｏｄｅ−Ｂゲートウェイ、およびプロキシノード等の基地局１１４ａおよび１１４ｂ、および／または基地局１１４ａおよび１１４ｂが表し得るノードは、図１Ｂに描写され、本明細書に説明される要素の一部または全部を含み得ることを想定する。
【００３８】
プロセッサ１１８は、汎用プロセッサ、特殊目的プロセッサ、従来のプロセッサ、デジタル信号プロセッサ（Digital  Signal  Processor：ＤＳＰ）、複数のマイクロプロセッサ、ＤＳＰコアに関連付けられた１つまたは複数のマイクロプロセッサ、コントローラ、マイクロコントローラ、特定用途向け集積回路（Application  Specific  Integrated  Circuits：ＡＳＩＣ）、フィールドプログラマブルゲートアレイ（Field  Programmable  Gate  Array：ＦＰＧＡ）回路、任意の他のタイプの集積回路（Integrated  Circuit：ＩＣ）、状態マシン等であり得る。プロセッサ１１８は、信号コーディング、データ処理、電力制御、入力／出力処理、および／またはＷＴＲＵ１０２が無線環境内で動作することを可能にする任意の他の機能性を果たし得る。プロセッサ１１８は、伝送／受信要素１２２に結合され得る、送受信機１２０に結合され得る。図１Ｂは、プロセッサ１１８と送受信機１２０とを別個のコンポーネントとして描写するが、プロセッサ１１８および送受信機１２０は、電子パッケージまたはチップ内に一緒に統合され得ることを理解されよう。
【００３９】
伝送／受信要素１２２は、エアインターフェース１１５／１１６／１１７を介して、基地局（例えば、基地局１１４ａ）へ信号を伝送する、またはそこから信号を受信するように構成され得る。例えば、一実施形態では、伝送／受信要素１２２は、ＲＦ信号を伝送および／または受信するように構成されるアンテナであり得る。図１Ａでは図示されないが、ＲＡＮ１０３／１０４／１０５および／またはコアネットワーク１０６／１０７／１０９は、ＲＡＮ１０３／１０４／１０５と同一ＲＡＴまたは異なるＲＡＴを採用する、他のＲＡＮと直接または間接通信し得ることを理解されよう。例えば、Ｅ−ＵＴＲＡ無線技術を利用し得る、ＲＡＮ１０３／１０４／１０５に接続されることに加え、コアネットワーク１０６／１０７／１０９はまた、ＧＳＭ無線技術を採用する別のＲＡＮ（図示せず）と通信し得る。
【００４０】
コアネットワーク１０６／１０７／１０９はまた、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとして機能し得る。ＰＳＴＮ１０８は、基本電話サービス（ＰＯＴＳ）を提供する、回線交換電話ネットワークを含み得る。インターネット１１０は、伝送制御プロトコル（ＴＣＰ）、ユーザーデータグラムプロトコル（ＵＤＰ）、およびＴＣＰ／ＩＰインターネットプロトコルスイートにおけるインターネットプロトコル（ＩＰ）等の共通通信プロトコルを使用する、相互接続されるコンピュータネットワークおよびデバイスのグローバルシステムを含み得る。ネットワーク１１２は、他のサービスプロバイダによって所有および／または運営される、有線または無線通信ネットワークを含み得る。例えば、ネットワーク１１２は、ＲＡＮ１０３／１０４／１０５と同一ＲＡＴまたは異なるＲＡＴを採用し得る、１つまたは複数のＲＡＮに接続される別のコアネットワークを含み得る。
【００４１】
通信システム１００内のＷＴＲＵ１０２ａ、１０２ｂ、１０２ｃ、１０２ｄの一部または全部は、マルチモード能力を含み得る。例えば、ＷＴＲＵ１０２ａ、１０２ｂ、１０２ｃ、および１０２ｄは、異なる無線リンクを介して異なる無線ネットワークと通信するための複数の送受信機を含み得る。例えば、図１Ａに示されるＷＴＲＵ１０２ｃは、セルラーベースの無線技術を採用し得る基地局１１４ａと、およびＩＥＥＥ８０２無線技術を採用し得る基地局１１４ｂと通信するように構成され得る。
【００４２】
図１Ｂは、例えば、ＷＴＲＵ１０２等の本明細書に図示される実施形態に従って無線通信のために構成される例示的装置またはデバイスのブロック図である。図１Ｂに示すように、例示的ＷＴＲＵ１０２は、プロセッサ１１８と、送受信機１２０と、伝送／受信要素１２２と、スピーカ／マイクロホン１２４と、キーパッド１２６と、ディスプレイ／タッチパッド／インジケーター１２８と、非取り外し可能メモリ１３０と、取り外し可能メモリ１３２と、電源１３４と、全地球測位システム（ＧＰＳ）チップセット１３６と、他の周辺機器１３８とを含み得る。ＷＴＲＵ１０２は、実施形態と一致したままで、上述の要素の任意の副次的組み合わせを含み得ることを理解されたい。また、実施形態は、限定ではないが、とりわけ、送受信機基地局（ＢＴＳ）、Ｎｏｄｅ−Ｂ、サイトコントローラ、アクセスポイント（ＡＰ）、ホームＮｏｄｅ−Ｂ、発展型ホームＮｏｄｅ−Ｂ（ｅＮｏｄｅＢ）、ホーム発展型Ｎｏｄｅ−Ｂ（ＨｅＮＢ）、ホーム発展型Ｎｏｄｅ−Ｂゲートウェイ、およびプロキシノード等の基地局１１４ａおよび１１４ｂ、および／または基地局１１４ａおよび１１４ｂが表し得るノードは、図１Ｂに描写され、本明細書に説明される要素の一部または全部を含み得ることを想定する。
【００４３】
プロセッサ１１８は、汎用プロセッサ、特殊目的プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ１１８は、信号コーディング、データ処理、電力制御、入力／出力処理、および／またはＷＴＲＵ１０２が無線環境内で動作することを可能にする任意の他の機能性を果たし得る。プロセッサ１１８は、伝送／受信要素１２２に結合され得る、送受信機１２０に結合され得る。図１Ｂは、プロセッサ１１８と送受信機１２０とを別個のコンポーネントとして描写するが、プロセッサ１１８および送受信機１２０は、電子パッケージまたはチップ内に一緒に統合され得ることを理解されよう。
【００４４】
伝送／受信要素１２２は、エアインターフェース１１５／１１６／１１７を介して、基地局（例えば、基地局１１４ａ）へ信号を伝送する、またはそこから信号を受信するように構成され得る。例えば、一実施形態では、伝送／受信要素１２２は、ＲＦ信号を伝送および／または受信するように構成されるアンテナであり得る。一実施形態では、伝送／受信要素１２２は、例えば、ＩＲ、ＵＶ、もしくは可視光信号を伝送および／または受信するように構成されるエミッタ／検出器であり得る。さらなる一実施形態では、伝送／受信要素１２２は、ＲＦおよび光信号の両方を伝送ならびに受信するように構成され得る。伝送／受信要素１２２は、無線信号の任意の組み合わせを伝送および／または受信するように構成され得ることを理解されよう。
【００４５】
加えて、伝送／受信要素１２２は、単一の要素として図１Ｂで描写されているが、ＷＴＲＵ１０２は、任意の数の伝送／受信要素１２２を含み得る。より具体的には、ＷＴＲＵ１０２は、ＭＩＭＯ技術を採用し得る。したがって、一実施形態では、ＷＴＲＵ１０２は、エアインターフェース１１５／１１６／１１７を介して無線信号を伝送および受信するための２つ以上の伝送／受信要素１２２（例えば、複数のアンテナ）を含み得る。
【００４６】
送受信機１２０は、伝送／受信要素１２２によって伝送されることになる信号を変調するように、および伝送／受信要素１２２によって受信される信号を復調するように構成され得る。ＷＴＲＵ１０２は、マルチモード能力を有し得る。したがって、送受信機１２０は、ＷＴＲＵ１０２が、例えば、ＵＴＲＡおよびＩＥＥＥ８０２．１１等の複数のＲＡＴを介して通信することを可能にするための複数の送受信機を含み得る。
【００４７】
ＷＴＲＵ１０２のプロセッサ１１８は、スピーカ／マイクロホン１２４、キーパッド１２６、および／またはディスプレイ／タッチパッド／インジケーター１２８（例えば、液晶ディスプレイ（Liquid  Crystal  Display：ＬＣＤ）ディスプレイユニットまたは有機発光ダイオード（Organic  Light-Emitting  Diode：ＯＬＥＤ）ディスプレイユニット）に結合され、そこからユーザー入力データを受信し得る。プロセッサ１１８はまた、ユーザーデータをスピーカ／マイクロホン１２４、キーパッド１２６、および／またはディスプレイ／タッチパッド／インジケーター１２８に出力し得る。加えて、プロセッサ１１８は、非取り外し可能メモリ１３０および／または取り外し可能メモリ１３２等の任意のタイプの好適なメモリから情報にアクセスし、そこにデータを記憶し得る。非取り外し可能メモリ１３０は、ランダムアクセスメモリ（Random-Access  Memory：ＲＡＭ）、読み取り専用メモリ（Read-Only  Memory：ＲＯＭ）、ハードディスク、または任意の他のタイプのメモリ記憶デバイスを含み得る。取り外し可能メモリ１３２は、加入者識別モジュール（Subscriber  Identity  Module：ＳＩＭ）カード、メモリスティック、セキュアデジタル（Secure  Digital：ＳＤ）メモリカード等を含み得る。一実施形態では、プロセッサ１１８は、サーバまたは家庭用コンピュータ（図示せず）上等のＷＴＲＵ１０２上に物理的に位置しないメモリから情報にアクセスし、そこにデータを記憶し得る。
【００４８】
プロセッサ１１８は、電源１３４から電力を受電し得、ＷＴＲＵ１０２内のその他のコンポーネントへの電力を分配および／または制御するように構成され得る。電源１３４は、ＷＴＲＵ１０２に給電するための任意の好適なデバイスであり得る。例えば、電源１３４は、１つまたは複数の乾電池、太陽電池、燃料電池等を含み得る。
【００４９】
プロセッサ１１８はまた、ＷＴＲＵ１０２の現在位置に関する位置情報（例えば、経度および緯度）を提供するように構成され得る、ＧＰＳチップセット１３６に結合され得る。ＧＰＳチップセット１３６からの情報に加え、またはその代わりに、ＷＴＲＵ１０２は、エアインターフェース１１５／１１６／１１７を介して、基地局（例えば、基地局１１４ａ、１１４ｂ）から位置情報を受信し、および／または２つ以上の近傍基地局から受信されている信号のタイミングに基づいて、その場所を決定し得る。ＷＴＲＵ１０２は、実施形態と一致したままで任意の好適な位置決定方法を介して位置情報を取得し得ることを理解されるであろう。
【００５０】
プロセッサ１１８はさらに、追加の特徴、機能性、および／または有線もしくは無線コネクティビティを提供する、１つまたは複数のソフトウェアならびに／もしくはハードウェアモジュールを含み得る、他の周辺機器１３８に結合され得る。例えば、周辺機器１３８は、加速度計、バイオメトリック（例えば、指紋）センサ等の種々のセンサ、ｅ−コンパス、衛星送受信機、デジタルカメラ（写真またはビデオ用）、ユニバーサルシリアルバス（Universal  Serial  Bus：ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（Frequency  Modulated：ＦＭ）無線ユニット、デジタル音楽プレーヤ、メディアプレーヤ、ビデオゲームプレーヤモジュール、インターネットブラウザ等を含み得る。
【００５１】
ＷＴＲＵ１０２は、センサ、大衆消費電子製品、スマートウォッチまたはスマート衣類等のウェアラブルデバイス、医療またはｅ健康デバイス、ロボット、産業機器、ドローン、車、トラック、電車、または飛行機等の乗り物等の他の装置もしくはデバイスで具現化され得る。ＷＴＲＵ１０２は、周辺機器１３８のうちの１つを備え得る相互接続インターフェース等の１つまたは複数の相互接続インターフェースを介して、そのような装置もしくはデバイスの他のコンポーネント、モジュール、またはシステムに接続し得る。
【００５２】
図１Ｃは、一実施形態による、ＲＡＮ１０３およびコアネットワーク１０６の系統図である。ＲＡＮ１０３は、ＵＴＲＡ無線技術を採用し、エアインターフェース１１５を介して、ＷＴＲＵ１０２ａ、１０２ｂ、および１０２ｃと通信し得る。ＲＡＮ１０３はまた、コアネットワーク１０６と通信し得る。図１Ｃに示すように、ＲＡＮ１０３は、エアインターフェース１１５を介して、ＷＴＲＵ１０２ａ、１０２ｂ、１０２ｃと通信するための１つまたは複数の送受信機をそれぞれ含み得る、Ｎｏｄｅ−Ｂ１４０ａ、１４０ｂ、１４０ｃを含み得る。Ｎｏｄｅ−Ｂ１４０ａ、１４０ｂ、１４０ｃはそれぞれ、ＲＡＮ１０３内の特定のセル（図示せず）に関連付けられ得る。ＲＡＮ１０３はまた、ＲＮＣ１４２ａ、１４２ｂを含み得る。ＲＡＮ１０３は、実施形態と一致したままで、任意の数のＮｏｄｅ−ＢおよびＲＮＣを含み得ることを理解されよう。
【００５３】
図１Ｃに示すように、Ｎｏｄｅ−Ｂ１４０ａ、１４０ｂは、ＲＮＣ１４２ａと通信し得る。加えて、Ｎｏｄｅ−Ｂ１４０ｃは、ＲＮＣ１４２ｂと通信し得る。Ｎｏｄｅ−Ｂ１４０ａ、１４０ｂ、１４０ｃは、Ｉｕｂインターフェースを介して、それぞれのＲＮＣ１４２ａ、１４２ｂと通信し得る。ＲＮＣ１４２ａ、１４２ｂは、Ｉｕｒインターフェースを介して、相互に通信し得る。ＲＮＣ１４２ａ、１４２ｂのそれぞれは、接続されるそれぞれのＮｏｄｅ−Ｂ１４０ａ、１４０ｂ、１４０ｃを制御するように構成され得る。加えて、ＲＮＣ１４２ａ、１４２ｂのそれぞれは、アウターループ電力制御、負荷制御、受付制御、パケットスケジューリング、ハンドオーバ制御、マクロダイバーシチ、セキュリティ機能、データ暗号化等の他の機能性を果たすまたはサポートするように構成され得る。
【００５４】
図１Ｃに示されるコアネットワーク１０６は、メディアゲートウェイ（Media  Gateway：ＭＧＷ）１４４、移動通信交換局（Mobile  Switching  Center：ＭＳＣ）１４６、サービングＧＰＲＳサポートノード（Serving  GPRS  Support  Node：ＳＧＳＮ）１４８、および／またはゲートウェイＧＰＲＳサポートノード（Gateway  GPRS  Support  Node：ＧＧＳＮ）１５０を含み得る。上述の要素のそれぞれが、コアネットワーク１０６の一部として描写されるが、これらの要素のうちの任意の１つは、コアネットワークオペレータ以外のエンティティによって所有および／または運営され得ることを理解されよう。
【００５５】
ＲＡＮ１０３内のＲＮＣ１４２ａは、ＩｕＣＳインターフェースを介して、コアネットワーク１０６内のＭＳＣ１４６に接続され得る。ＭＳＣ１４６は、ＭＧＷ１４４に接続され得る。ＭＳＣ１４６およびＭＧＷ１４４は、ＷＴＲＵ１０２ａ、１０２ｂ、１０２ｃに、ＰＳＴＮ１０８等の回線交換ネットワークへのアクセスを提供し、ＷＴＲＵ１０２ａ、１０２ｂ、１０２ｃと従来の地上通信デバイスとの間の通信を促進し得る。
【００５６】
ＲＡＮ１０３内のＲＮＣ１４２ａはまた、ＩｕＰＳインターフェースを介して、コアネットワーク１０６内のＳＧＳＮ１４８に接続され得る。ＳＧＳＮ１４８は、ＧＧＳＮ１５０に接続され得る。ＳＧＳＮ１４８およびＧＧＳＮ１５０は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。
【００５７】
コアネットワーク１０６はまた、他のサービスプロバイダによって所有および／または運営される他の有線または無線ネットワークを含み得る、ネットワーク１１２に接続され得る。
【００５８】
図１Ｄは、一実施形態による、ＲＡＮ１０４およびコアネットワーク１０７の系統図である。ＲＡＮ１０４は、Ｅ−ＵＴＲＡ無線技術を採用し、エアインターフェース１１６を介して、ＷＴＲＵ１０２ａ、１０２ｂ、および１０２ｃと通信し得る。ＲＡＮ１０４はまた、コアネットワーク１０７と通信し得る。
【００５９】
ＲＡＮ１０４は、ｅＮｏｄｅ−Ｂ１６０ａ、１６０ｂ、１６０ｃを含み得るが、ＲＡＮ１０４は、実施形態と一致したままで、任意の数のｅＮｏｄｅ−Ｂを含み得ることを理解されるであろう。ｅＮｏｄｅ−Ｂ１６０ａ、１６０ｂ、１６０ｃはそれぞれ、エアインターフェース１１６を介して、ＷＴＲＵ１０２ａ、１０２ｂ、１０２ｃと通信するための１つまたは複数の送受信機を含み得る。一実施形態では、ｅＮｏｄｅ−Ｂ１６０ａ、１６０ｂ、１６０ｃは、ＭＩＭＯ技術を実装し得る。したがって、ｅＮｏｄｅ−Ｂ１６０ａは、例えば、複数のアンテナを使用して、ＷＴＲＵ１０２ａに無線信号を伝送し、ＷＴＲＵ１０２ａから無線信号を受信し得る。
【００６０】
ｅＮｏｄｅ−Ｂ１６０ａ、１６０ｂ、および１６０ｃのそれぞれは、特定のセル（図示せず）に関連付けられ得、無線リソース管理決定、ハンドオーバ決定、上りリンクおよび／または下りリンクにおけるユーザーのスケジューリング等をハンドリングするように構成され得る。図１Ｄに示すように、ｅＮｏｄｅ−Ｂ１６０ａ、１６０ｂ、１６０ｃは、Ｘ２インターフェースを介して、相互に通信し得る。
【００６１】
図１Ｄに示されるコアネットワーク１０７は、モビリティ管理ゲートウェイ（Mobility  Management  Gateway：ＭＭＥ）１６２と、サービングゲートウェイ１６４と、パケットデータネットワーク（Packet  Data  Network：ＰＤＮ）ゲートウェイ１６６とを含み得る。上述の要素のそれぞれは、コアネットワーク１０７の一部として描写されるが、これらの要素のうちの任意の１つは、コアネットワークオペレータ以外のエンティティによって所有および／または運営され得ることを理解されよう。
【００６２】
ＭＭＥ１６２は、Ｓ１インターフェースを介して、ＲＡＮ１０４内のｅＮｏｄｅ−Ｂ１６０ａ、１６０ｂ、および１６０ｃのそれぞれに接続され得、制御ノードとして機能し得る。例えば、ＭＭＥ１６２は、ＷＴＲＵ１０２ａ、１０２ｂ、１０２ｃのユーザーの認証、ベアラアクティブ化／非アクティブ化、ＷＴＲＵ１０２ａ、１０２ｂ、１０２ｃの初期アタッチの間の特定のサービングゲートウェイの選択等に責任があり得る。ＭＭＥ１６２はまた、ＲＡＮ１０４とＧＳＭまたはＷＣＤＭＡ等の他の無線技術を採用する他のＲＡＮ（図示せず）との間の切り替えのための制御プレーン機能を提供し得る。
【００６３】
サービングゲートウェイ１６４は、Ｓ１インターフェースを介して、ＲＡＮ１０４内のｅＮｏｄｅ−Ｂ１６０ａ、１６０ｂ、および１６０ｃのそれぞれに接続され得る。サービングゲートウェイ１６４は、概して、ユーザーデータパケットをＷＴＲＵ１０２ａ、１０２ｂ、１０２ｃへ／ＷＴＲＵ１０２ａ、１０２ｂ、１０２ｃからルーティングおよび転送をし得る。サービングゲートウェイ１６４はまた、ｅＮｏｄｅＢ間ハンドオーバの間のユーザープレーンのアンカ、下りリンクデータがＷＴＲＵ１０２ａ、１０２ｂ、１０２ｃのために利用可能であるときのページングのトリガ、ＷＴＲＵ１０２ａ、１０２ｂ、１０２ｃのコンテキストの管理および記憶等の他の機能を実施し得る。
【００６４】
サービングゲートウェイ１６４はまた、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る、ＰＤＮゲートウェイ１６６に接続され得る。
【００６５】
コアネットワーク１０７は、他のネットワークとの通信を促進し得る。例えば、コアネットワーク１０７は、ＷＴＲＵ１０２ａ、１０２ｂ、１０２ｃに、ＰＳＴＮ１０８等の回線交換ネットワークへのアクセスを提供し、ＷＴＲＵ１０２ａ、１０２ｂ、１０２ｃと従来の地上通信デバイスとの間の通信を促進し得る。例えば、コアネットワーク１０７は、コアネットワーク１０７とＰＳＴＮ１０８との間のインターフェースとして機能する、ＩＰゲートウェイ（例えば、ＩＰマルチメディアサブシステム（IP  Multimedia  Subsystem：ＩＭＳ）サーバ）を含み得る、またはそれと通信し得る。加えて、コアネットワーク１０７は、ＷＴＲＵ１０２ａ、１０２ｂ、１０２ｃに、他のサービスプロバイダによって所有および／または運営される他の有線または無線ネットワークを含み得る、ネットワーク１１２へのアクセスを提供し得る。
【００６６】
図１Ｅは、一実施形態による、ＲＡＮ１０５およびコアネットワーク１０９の系統図である。ＲＡＮ１０５は、ＩＥＥＥ８０２．１６無線技術を採用し、エアインターフェース１１７を介して、ＷＴＲＵ１０２ａ、１０２ｂ、および１０２ｃと通信する、アクセスサービスネットワーク（Access  Service  Network：ＡＳＮ）であり得る。ＷＴＲＵ１０２ａ、１０２ｂ、１０２ｃ、ＲＡＮ１０５の異なる機能エンティティとコアネットワーク１０９との間の通信リンクは、参照点として定義され得る。
【００６７】
図１Ｅに示すように、ＲＡＮ１０５は、基地局１８０ａ、１８０ｂ、１８０ｃと、ＡＳＮゲートウェイ１８２とを含み得るが、ＲＡＮ１０５は、実施形態と一致したままで、任意の数の基地局およびＡＳＮゲートウェイを含み得ることを理解されるであろう。基地局１８０ａ、１８０ｂ、１８０ｃはそれぞれ、ＲＡＮ１０５内の特定のセルに関連付けられ得、エアインターフェース１１７を介してＷＴＲＵ１０２ａ、１０２ｂ、１０２ｃと通信するための１つまたは複数の送受信機を含み得る。一実施形態では、基地局１８０ａ、１８０ｂ、１８０ｃは、ＭＩＭＯ技術を実装し得る。したがって、基地局１８０ａは、例えば、複数のアンテナを使用して、ＷＴＲＵ１０２ａに無線信号を伝送し、ＷＴＲＵ１０２ａから無線信号を受信し得る。基地局１８０ａ、１８０ｂ、１８０ｃはまた、ハンドオフトリガ、トンネル確立、無線リソース管理、トラフィック分類、サービスの品質（ＱｏＳ）ポリシ強制等のモビリティ管理機能を提供し得る。ＡＳＮゲートウェイ１８２は、トラフィック集約点としての役割を果たし得、ページング、加入者プロファイルのキャッシュ、コアネットワーク１０９へのルーティング等に責任があり得る。
【００６８】
ＷＴＲＵ１０２ａ、１０２ｂ、１０２ｃとＲＡＮ１０５との間のエアインターフェース１１７は、ＩＥＥＥ８０２．１６仕様を実装する、Ｒ１参照点として定義され得る。加えて、ＷＴＲＵ１０２ａ、１０２ｂ、および１０２ｃのそれぞれは、論理インターフェース（図示せず）をコアネットワーク１０９と確立し得る。ＷＴＲＵ１０２ａ、１０２ｂ、１０２ｃとコアネットワーク１０９との間の論理インターフェースは、認証、認可、ＩＰホスト構成管理、および／またはモビリティ管理のために使用され得る、Ｒ２参照点として定義され得る。
【００６９】
基地局１８０ａ、１８０ｂ、および１８０ｃのそれぞれ間の通信リンクは、基地局間のＷＴＲＵハンドオーバおよびデータの転送を促進するためのプロトコルを含む、Ｒ８参照点として定義され得る。基地局１８０ａ、１８０ｂ、１８０ｃとＡＳＮゲートウェイ１８２との間の通信リンクは、Ｒ６参照点として定義され得る。Ｒ６参照点は、ＷＴＲＵ１０２ａ、１０２ｂ、１０２ｃのそれぞれに関連付けられたモビリティイベントに基づいてモビリティ管理を促進するためのプロトコルを含み得る。
【００７０】
図１Ｅに示すように、ＲＡＮ１０５は、コアネットワーク１０９に接続され得る。ＲＡＮ１０５とコアネットワーク１０９との間の通信リンクは、例えば、データ転送およびモビリティ管理能力を促進するためのプロトコルを含む、Ｒ３参照点として定義され得る。コアネットワーク１０９は、モバイルＩＰホームエージェント（Mobile  IP  Home  Agent：ＭＩＰ−ＨＡ）１８４と、認証、認可、課金（Authentication,  Authorization,  Accounting：ＡＡＡ）サーバ１８６と、ゲートウェイ１８８とを含み得る。上述の要素のそれぞれは、コアネットワーク１０９の一部として描写されるが、これらの要素のうちの任意の１つは、コアネットワークオペレータ以外のエンティティによって所有および／または運営され得ることを理解されよう。
【００７１】
ＭＩＰ−ＨＡは、ＩＰアドレス管理に責任があり得、ＷＴＲＵ１０２ａ、１０２ｂ、および１０２ｃが、異なるＡＳＮおよび／または異なるコアネットワーク間でローミングすることを可能にし得る。ＭＩＰ−ＨＡ１８４は、ＷＴＲＵ１０２ａ、１０２ｂ、１０２ｃに、インターネット１１０等のパケット交換ネットワークへのアクセスを提供し、ＷＴＲＵ１０２ａ、１０２ｂ、１０２ｃとＩＰ対応デバイスとの間の通信を促進し得る。ＡＡＡサーバ１８６は、ユーザー認証およびユーザーサービスをサポートすることに責任があり得る。ゲートウェイ１８８は、他のネットワークとのインターワーキングを促進し得る。例えば、ゲートウェイ１８８は、ＷＴＲＵ１０２ａ、１０２ｂ、１０２ｃに、ＰＳＴＮ１０８等の回線交換ネットワークへのアクセスを提供し、ＷＴＲＵ１０２ａ、１０２ｂ、１０２ｃと従来の地上通信デバイスとの間の通信を促進し得る。加えて、ゲートウェイ１８８は、ＷＴＲＵ１０２ａ、１０２ｂ、１０２ｃに、他のサービスプロバイダによって所有および／または運営される他の有線または無線ネットワークを含み得る、ネットワーク１１２へのアクセスを提供し得る。
【００７２】
図１Ｅでは図示されないが、ＲＡＮ１０５は、他のＡＳＮに接続され得、コアネットワーク１０９は、他のコアネットワークに接続され得ることを理解されよう。ＲＡＮ１０５と他のＡＳＮとの間の通信リンクは、ＲＡＮ１０５とその他のＡＳＮとの間のＷＴＲＵ１０２ａ、１０２ｂ、１０２ｃのモビリティを協調するためのプロトコルを含み得る、Ｒ４参照点として定義され得る。コアネットワーク１０９とその他のコアネットワークとの間の通信リンクは、ホームコアネットワークと在圏コアネットワークとの間のインターワーキングを促進するためのプロトコルを含み得る、Ｒ５参照点として定義され得る。
【００７３】
本明細書に記載され、図１Ａ、１Ｃ、１Ｄ、および１Ｅに図示される、コアネットワークエンティティは、ある既存の３ＧＰＰ仕様におけるそれらのエンティティに与えられる名称によって識別されるが、将来において、それらのエンティティおよび機能性は、他の名称によって識別され得、あるエンティティまたは機能は、将来的３ＧＰＰ  ＮＲ仕様を含む、３ＧＰＰによって公開される将来的な仕様において組み合わせられ得ることを理解されたい。したがって、図１Ａ、１Ｂ、１Ｃ、１Ｄ、および１Ｅに説明および図示される特定のネットワークエンティティおよび機能性は、一例としてのみ提供され、本明細書で開示および請求される主題は、現在規定されているか、または将来的に規定されるかどうかにかかわらず、任意の類似通信システムにおいて具現化または実装され得ることを理解されたい。
【００７４】
図１Ｆは、ＲＡＮ１０３／１０４／１０５、コアネットワーク１０６／１０７／１０９、ＰＳＴＮ１０８、インターネット１１０、または他のネットワーク１１２内のあるノードまたは機能エンティティ等、図１Ａ、１Ｃ、１Ｄ、および１Ｅに図示される通信ネットワークの１つまたは複数の装置がその中で具現化され得る、例示的コンピューティングシステム９０のブロック図である。コンピューティングシステム９０は、コンピュータまたはサーバを備えてもよく、ソフトウェアの形態であり得る（そのようなソフトウェアが記憶されるまたはアクセスされる場所もしくは手段がいかなるものであっても）コンピュータ可読命令によって主に制御され得る。そのようなコンピュータ可読命令は、コンピューティングシステム９０を稼働させるように、プロセッサ９１内で実行され得る。プロセッサ９１は、汎用プロセッサ、特殊目的プロセッサ、従来のプロセッサ、デジタル信号プロセッサ（ＤＳＰ）、複数のマイクロプロセッサ、ＤＳＰコアに関連付けられた１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ９１は、信号コーディング、データ処理、電力制御、入力／出力処理、および／またはコンピューティングシステム９０が通信ネットワーク内で動作することを可能にする、任意の他の機能性を果たし得る。コプロセッサ８１は、追加の機能を果たす、またはプロセッサ９１を支援し得る、主要プロセッサ９１とは異なる、任意選択のプロセッサである。プロセッサ９１および／またはコプロセッサ８１は、本明細書に開示される方法および装置に関連するデータを受信、生成、ならびに処理し得る。
【００７５】
動作時、プロセッサ９１は、命令をフェッチ、復号、および実行し、コンピューティングシステムの主要データ転送パスであるシステムバス８０を介して、情報を他のリソースへ転送する、かつ他のリソースから転送する。そのようなシステムバスは、コンピューティングシステム９０内のコンポーネント同士を接続し、データ交換のための媒体を定義する。システムバス８０は、典型的には、データを送信するためのデータラインと、アドレスを送信するためのアドレスラインと、インタラプトを送信するため、およびシステムバスを動作させるための制御ラインとを含む。そのようなシステムバス８０の一例は、ＰＣＩ（周辺コンポーネント相互接続）バスである。
【００７６】
システムバス８０に結合されるメモリは、ランダムアクセスメモリ（ＲＡＭ）８２と、読み取り専用メモリ（ＲＯＭ）９３とを含む。そのようなメモリは、情報が記憶されて読み出されることを可能にする回路を含む。ＲＯＭ９３は、概して、容易に修正され得ない、記憶されたデータを含む。ＲＡＭ８２内に記憶されたデータは、プロセッサ９１または他のハードウェアデバイスによって読み取られる、もしくは変更され得る。ＲＡＭ８２および／またはＲＯＭ９３へのアクセスは、メモリコントローラ９２によって制御され得る。メモリコントローラ９２は、命令が実行されると、仮想アドレスを物理的アドレスに変換する、アドレス変換機能を提供し得る。メモリコントローラ９２はまた、システム内のプロセスを隔離し、ユーザープロセスからシステムプロセスを隔離する、メモリ保護機能を提供し得る。したがって、第１のモードで起動するプログラムは、それ自体のプロセス仮想アドレス空間によってマップされるメモリのみにアクセスすることができ、プロセス間のメモリ共有が設定されていない限り、別のプロセスの仮想アドレス空間内のメモリにアクセスすることができない。
【００７７】
加えて、コンピューティングシステム９０は、プロセッサ９１からプリンタ９４、キーボード８４、マウス９５、およびディスクドライブ８５等の周辺機器に命令を通信する責任がある、周辺機器コントローラ８３を含み得る。
【００７８】
ディスプレイコントローラ９６によって制御されるディスプレイ８６は、コンピューティングシステム９０によって生成される視覚出力を表示するために使用される。そのような視覚出力は、テキスト、グラフィックス、動画グラフィックス、およびビデオを含み得る。視覚出力は、グラフィカルユーザーインターフェース（Graphical  User  Interface：ＧＵＩ）の形態で提供され得る。ディスプレイ８６は、ＣＲＴベースのビデオディスプレイ、ＬＣＤベースのフラットパネルディスプレイ、ガスプラズマベースのフラットパネルディスプレイ、またはタッチパネルを用いて実装され得る。ディスプレイコントローラ９６は、ディスプレイ８６に送信されるビデオ信号を生成するために要求される、電子コンポーネントを含む。
【００７９】
さらに、コンピューティングシステム９０は、コンピューティングシステム９０をＲＡＮ１０３／１０４／１０５、コアネットワーク１０６／１０７／１０９、ＰＳＴＮ１０８、インターネット１１０、または図１Ａ、１Ｂ、１Ｃ、１Ｄ、および１Ｅの他のネットワーク１１２等の外部通信ネットワークに接続するために使用され得る、例えば、ネットワークアダプタ９７等の通信回路を含み、コンピューティングシステム９０がそれらのネットワークの他のノードまたは機能エンティティと通信することを可能にし得る。通信回路は、単独で、またはプロセッサ９１と組み合わせて、本明細書に説明されるある種の装置、ノード、または機能エンティティの伝送および受信ステップを実施するために使用され得る。
【００８０】
本明細書に説明される装置、システム、方法、およびプロセスのうちのいずれかまたは全ては、コンピュータ可読記憶媒体上に記憶されたコンピュータ実行可能命令（例えば、プログラムコード）の形態で具現化され得、その命令は、プロセッサ１１８または９１等のプロセッサによって実行されると、プロセッサに、本明細書にて説明されるシステム、方法、およびプロセスを実施および／または実装させることを理解されたい。具体的には、本明細書に説明されるステップ、動作、または機能のうちのいずれも、そのようなコンピュータ実行可能命令の形態で実装され、無線および／または有線ネットワーク通信のために構成される装置またはコンピューティングシステムのプロセッサ上で実行し得る。コンピュータ可読記憶媒体は、情報を記憶するための任意の非一時的（すなわち、有形または物理的）方法もしくは技術に実装される揮発性および不揮発性媒体、取り外し可能および非取り外し可能媒体を含むが、そのようなコンピュータ可読記憶媒体は信号を含まない。コンピュータ可読記憶媒体は、ＲＡＭ、ＲＯＭ、ＥＥＰＲＯＭ、フラッシュメモリまたは他のメモリ技術、ＣＤ−ＲＯＭ、デジタル多用途ディスク（Digital  Versatile  Disks：ＤＶＤ）または他の光学ディスク記憶装置、磁気カセット、磁気テープ、磁気ディスク記憶装置または他の磁気記憶デバイス、もしくは所望の情報を記憶するために使用され得、かつコンピューティングシステムによってアクセスされ得る任意の他の有形もしくは物理的媒体を含むが、それらに限定されない。
【００８１】
ＬＴＥでは、端末は、図２に示すように、ＲＲＣ＿ＣＯＮＮＥＣＴＥＤおよびＲＲＣ＿ＩＤＬＥの２つの異なる状態であり得る。３ＧＰＰ  ＴＳ  ３６．３３１，  Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ  （Ｒｅｌｅａｓｅ  １３），  Ｖ１３．０．０を参照されたい。
【００８２】
ＲＲＣ＿ＣＯＮＮＥＣＴＥＤ状態では、無線リソース制御（ＲＲＣ）コンテキストが存在する。ユーザー端末（ＵＥ）が属するセルは認識されており、ＵＥとネットワークとの間のシグナリング目的のために使用されるＵＥの識別情報であるセル無線ネットワーク一時識別子（Ｃ−ＲＮＴＩ）が、構成されている。ＲＲＣ＿ＣＯＮＮＥＣＴＥＤは、ＵＥへ／ＵＥからのデータ転送向けのものである。
【００８３】
ＲＲＣ＿ＩＤＬＥ状態では、無線アクセスネットワーク（ＲＡＮ）内にＲＲＣコンテキストが存在せず、ＵＥは特定のセルに属さない。データ転送は、ＲＲＣ＿ＩＤＬＥでは生じ得ない。ＲＲＣ＿ＩＤＬＥのＵＥは、着信コールとシステム情報に対する変化を検出するためにページングチャネルを監視する。間欠受信（ＤＲＸ）が、ＵＥ電力を節約するために使用される。ＲＲＣ＿ＣＯＮＮＥＣＴＥＤに遷移すると、ＲＲＣコンテキストは、ＲＡＮおよびＵＥの両方で確立される必要がある。
【００８４】
システム情報（ＳＩ）は、ネットワーク内でアクセスおよび動作が可能になるＵＥによって入手される必要がある、発展型ユニバーサル地上無線アクセスネットワーク（Ｅ−ＵＴＲＡＮ）によってブロードキャストされる情報である。ＳＩは、マスタ情報ブロック（ＭＩＢ）と複数のシステム情報ブロック（ＳＩＢ）に分割される。ＭＩＢおよびＳＩＢの概要の説明は、３ＧＰＰ  ＴＳ  ３６．３００  Ｏｖｅｒａｌｌ  ｄｅｓｃｒｉｐｔｉｏｎ；  Ｓｔａｇｅ  ２  （Ｒｅｌｅａｓｅ  １３），  Ｖ１３．３．０にて提供される。詳細な説明は、３ＧＰＰ  ＴＳ  ３６．３３１にて入手可能である。
【００８５】
システム内のページング構成は、ＳＩＢ２のＲａｄｉｏＲｅｓｏｕｒｃｅＣｏｎｆｉｇＣｏｍｍｏｎ  ＩＥのＰＣＣＨ−Ｃｏｎｆｉｇフィールドで規定される。
【表２】
2020507980.tif 000007
【表３】
2020507980.tif 000008
ページングおよびページングフレームワーク
【００８６】
ＬＴＥにおいて、ページングのためのＵＥプロシージャは、以下の４つの大まかなステップに分けることができる。ステップ１、ＵＥがページングフレームを選択する。ステップ２、ＵＥがページングフレーム内のサブフレームまたはページングオケージョンを選択する。ステップ３、ＵＥがページングオケージョン内でページングメッセージの受信を試みる。ステップ４、ＵＥは、ページングオケージョン以外は、ＤＲＸサイクルの間、スリープする。
【００８７】
ＵＥは、例えば、アイドルモードおよび／または接続モードで、例えば、Ｐ−ＲＮＴＩ（ページング  ＲＮＴＩ）を用いてＰＤＣＣＨ上にマスクされているＤＬ制御情報（ＤＣＩ）またはＤＬ割り当てについてＰＤＣＣＨを定期的に監視し得る。ＵＥがＰ−ＲＮＴＩを使用してＤＣＩまたはＤＬ割り当てを検出または受信すると、ＵＥは、関連付けられたまたは指示されたＰＤＳＣＨ  ＲＢを復調し得、および／または関連付けられたまたは指示されたＰＤＳＣＨ上で搬送され得るページングチャネル（Paging  Channel：ＰＣＨ）を復号し得る。ＰＣＨを搬送し得るＰＤＳＣＨは、ＰＣＨ  ＰＤＳＣＨと呼ばれることもある。ページング、ページングメッセージおよびＰＣＨは、同じ意味で用いられ得る。
【００８８】
例えば、ページングフレーム（ＰＦ）およびそのＰＦ内のサブフレーム、例えばアイドルモードで、ＵＥがページングチャネルについて監視し得るページングオケージョン（ＰＯ）は、ネットワークによって規定され得るＵＥ  ＩＤ（例えば、ＵＥ＿ＩＤ）およびパラメータに基づいて決定され得る。パラメータは、ＤＲＸサイクルと同一であり得るページングサイクル（ＰＣ）長（例えば、フレーム単位）、および例えばセル内に存在し得るＰＣごとのＰＦの数およびＰＦごとのＰＯの数を共に決定可能にし得るｎＢ等の他のパラメータを含み得る。ＵＥ  ＩＤは、UE  IMSI  mod  1024であり得る。
【００８９】
ネットワークの観点から、ページングサイクルごとに複数のＰＦおよびＰＦ内に複数のＰＯが存在し得、例えば、ページングサイクルごとに２つ以上のサブフレームがＰ−ＲＮＴＩを用いてマスクされるＰＤＣＣＨを搬送し得る。さらに、ＵＥの観点から、ＵＥはページングサイクルごとに１つのＰＯを監視し得、そのようなＰＯは、本明細書で規定されたパラメータに基づいて決定され得、そのパラメータはシステム情報、専用のシグナリング情報等を介してＵＥに提供され得る。ＰＯは１つもしくは複数の特定のＵＥ向けのページを含み得、またはＰＯは各ＵＥに向けられ得るシステム情報変更ページを含み得る。アイドルモードでは、ＵＥは、着信コールまたはシステム情報更新変更等の理由用のページを受信し得る。
【００９０】
アイドルモード（例えば、ＲＲＣアイドルモードおよび／またはＥＣＭアイドルモード）では、ＵＥは、着信コール、システム情報変更、ＥＴＷＳ（地震津波警告システム）対応ＵＥに向けたＥＴＷＳ通知、ＣＭＡＳ（商用モバイル警告システム）通知、拡張アクセス制限パラメータ修正、および、Ｅ−ＵＴＲＡＮ周波数間再分配プロシージャ実行のうち１つまたは複数について認識するようにページングメッセージを監視または受信し得る。
【００９１】
ＵＥは、例えば、ＵＥ向けのページがない場合には、バッテリ消費量を低減するために、Ｐ−ＲＮＴＩについてＰＤＣＣＨを不連続的に監視し得る。間欠受信（ＤＲＸ）は、不連続的にＰＤＣＣＨを監視するプロセスであり得る、またはそれを含み得る。アイドルモードでは、ＤＲＸは、例えば、ＲＲＣアイドル状態中にページングメッセージを監視する、または受信するようにＰ−ＲＮＴＩについて不連続的にＰＤＣＣＨを監視するプロセスであり得る、またはそれを含み得る。
【００９２】
アイドルモード、アイドル状態、ＲＲＣアイドルモード、ＲＲＣアイドル状態、およびＲＲＣ＿ＩＤＬＥモードまたはＲＲＣ＿ＩＤＬＥ状態は、同じ意味で用いられ得る。ＲＲＣアイドルおよびＥＣＭアイドルは、同じ意味で用いられ得る。ＤＲＸは、接続モードでも有効および／または使用され得る。接続モードのときで、ＤＲＸが構成されている場合、ＭＡＣエンティティは、例えば、ＤＲＸオペレーションを用いて不連続的にＰＤＣＣＨを監視し得る。接続モード、接続状態、およびＲＲＣ＿ＣＯＮＮＥＣＴＥＤモードまたはＲＲＣ＿ＣＯＮＮＥＣＴＥＤ状態は、同じ意味で用いられ得る。
【００９３】
アイドルモードＤＲＸ
ＵＥは、例えば、ＳＩＢ２等のシステム情報ブロック（ＳＩＢ）でブロードキャストされ得る１つまたは複数のＤＲＸパラメータを使用して、ＰＦおよび／またはＰＯを決定し、ページングを監視し得る。あるいは、ＵＥは、例えばＮＡＳシグナリングを通してＭＭＥによってＵＥに通知され得る１つまたは複数のＵＥ固有ＤＲＸサイクルパラメータを使用し得る。
【００９４】
表３は、範囲の例およびパラメータソース例（例えば、ｅＮＢまたはＭＭＥ）を含むＤＲＸパラメータの例を提供する。
【表４】
2020507980.tif 000009
【００９５】
ＵＥのＤＲＸサイクルＴは、ページングサイクル内の無線フレームの数を示し得る。より大きな値のＴは、ＵＥバッテリ消費電力の減少をもたらし得る。より小さな値のＴは、ＵＥバッテリ消費電力を増加し得る。ＤＲＸサイクルは、セル固有またはＵＥ固有であってよい。
【００９６】
ｅＮＢにより提供されるＤＲＸサイクルは、セル固有であり得、セル内の少なくともいくつか（例えば全て）のＵＥに提供され得る。ｅＮＢによって提供され得るＤＲＸサイクルは、デフォルトのページングサイクルであり得る。ＭＭＥによって提供されるＤＲＸサイクルは、ＵＥ固有であり得る。ＵＥは、自身のＤＲＸサイクルまたはページングサイクルとしてデフォルトページングサイクルおよびＵＥ固有ＤＲＸサイクルのうち小さい方を使用し得る。ＭＭＥは、ＵＥ固有ＤＲＸサイクルを、例えば「ＵＥ固有ＤＲＸサイクル」として、ＵＥにＮＡＳシグナリングで提供し得る。ＭＭＥは、ＵＥ固有ＤＲＸサイクルを、例えばＵＥを対象とし得るＭＭＥ開始型ページングメッセージ用の「ページングＤＲＸ」としてｅＮＢにＰＡＧＩＮＧ  Ｓ１ＡＰメッセージで提供し得る。
【００９７】
ＵＥおよび／またはｅＮＢは、デフォルトのＤＲＸサイクルおよび固有のＤＲＸサイクルのうち最小のものを使用し得る。例えば、無線フレーム単位で、Ｔ＝Ｍｉｎ（ＴＵＥ，ＴＣＥＬＬ）である。Ｎ（例えば、１２８）無線フレームのＤＲＸサイクルを用いるＵＥでは、Ｎｘフレーム時間（例えば、１０ｍｓのフレーム時間の場合は１．２８秒）ごとに起動し、ページングメッセージを探す必要があり得る。
【００９８】
パラメータｎＢは、セル固有ＤＲＸサイクル内のページングオケージョンの数を指示し得る。パラメータは、セル固有であり得る。ｎＢ値の構成は、セル内で所望され得るまたは使用され得るページング容量に依存し得る。より大きな値のｎＢは、例えば、ページング容量を増加するために使用され得る。より小さな値のｎＢは、例えば、より小さなページング容量に対して使用され得る。
【００９９】
ｅＮＢおよび／またはＵＥは、下記比較式に従ってＵＥのＰＦを計算し得る。
ＰＦ＝ＳＦＮｍｏｄＴ＝（ＴｄｉｖＮ）＊（ＵＥ＿ＩＤｍｏｄＮ）
式中、Ｎ＝ｍｉｎ（Ｔ，ｎＢ）である。ＰＦ内のＵＥ固有ＰＯは、ページングサブフレームのセットから決定され得る。このセットは、ページングのために予め定められ許容されるサブフレームに応じて変化するものであり得、および／または少なくともｎＢおよび／またはＴに応じて変化し得るＰＦごとのＰＯの数であり得る。ＳＦＮ（システムフレーム番号）は、０〜１０２３等の値の幅を有し得る。ＬＴＥにおいて、表４および表５で規定されるサブフレームパターンによるＰＯを指し示すインデックスｉ＿ｓは、下記計算で導出される。
ｉ＿ｓ＝ｆｌｏｏｒ（ＵＥ＿ＩＤ／Ｎ）ｍｏｄＮｓ
式中、Ｎｓ＝ｍａｘ（１，ｎＢ／Ｔ）である。
【表５】
2020507980.tif 000010
【表６】
2020507980.tif 000011
【０１００】
ＬＴＥでは、ネットワークは、ＵＥのページングオケージョンでページングメッセージを伝送することによって、ページングプロシージャを開始する。ネットワークは、各ＵＥに対して１つのページングレコードを含むことによってページングメッセージ内で複数のＵＥをアドレス付けし得る。各ページングレコードは、ＵＥ識別情報、および、コアネットワーク（Core  Network：ＣＮ）ドメイン、例えば、パケット交換（Packet  Switch：ＰＳ）ドメインまたは回線交換（Circuit  Switch：ＣＳ）ドメインのタイプを含む。
【０１０１】
Ｅ−ＵＴＲＡＮは、３ＧＰＰ  ＴＳ  ３６．３０４にて規定されているＵＥのページングオケージョンでページングメッセージを伝送することによって、ページングプロシージャを開始する。Ｅ−ＵＴＲＡＮは、各ＵＥに対して１つのページングレコードを含むことによってページングメッセージ内で複数のＵＥをアドレス付けし得る。ページングプロシージャの一例を、図３に示す。
【０１０２】
ＮＲビームフォーミングアクセス
現在、３ＧＰＰ標準化の取り組みは、ビームフォーミングアクセス用のフレームワークを設計するように進行中である。より高周波数における無線チャネルの特徴は、ＬＴＥでは現在展開されている６ＧＨｚ以下のチャネルとは明らかに異なるものである。より高い周波数のための新しい無線アクセス技術（ＲＡＴ）設計の主要な課題は、より高い周波数帯でのより大きなパス損失を克服することである。このより大きなパス損失に加えてより高い周波数では、不良回析によって生じる妨害に起因して、好ましくない散乱環境を被る。したがって、ＭＩＭＯ／ビームフォーミングは、受信機側での十分な信号レベルを保証することが必要である。
【０１０３】
デジタルＢＦによって使用されるＭＩＭＯデジタルプリコーディングのみに依存して、より高い周波数での追加のパス損失を補うことは、６ＧＨｚを下回るものと同等のカバレッジを提供するには十分でない場合がある。したがって、追加の利得を達成するためのアナログビームフォーミングの使用が、デジタルビームフォーミングと併用して代替となり得る。十分な狭ビームは多量のアンテナ素子を用いて形成される必要があり、その結果、ＬＴＥ評価で想定されたものとは、著しく異なるものになる可能性がある。大ビームフォーミング利得の場合、ビーム幅はそれに応じて低減される傾向があり、したがって、大きな指向性アンテナ利得を伴うビームは、特に、３−セクタ構成の水平セクタエリア全体をカバーできない。同時に動作する高利得ビームの数を制限する要因には、送受信機アーキテクチャのコストおよび複雑性が含まれる。
【０１０４】
したがって、異なるサービングエリアをカバーするように操向される狭カバレッジビームを用いた時間領域における複数の伝送が必要である。本質的に、サブアレイのアナログビームは、ＯＦＤＭシンボルの時間分解能で、またはセル内の異なるサービングエリアにわたるビーム操向の目的のために規定された任意の適切な時間間隔単位で、単一方向に向かって操向され得、したがって、サブアレイの数が、ビーム方向の数、および各ＯＦＤＭシンボルまたはビーム操向の目的のために規定された時間間隔単位に対応するカバレッジを決定する。いくつかの文献において、この目的のための複数の狭カバレッジビームのプロビジョンは、「ビームスイーピング」と称されている。アナログおよびハイブリッドビームフォーミングに関しては、ビームスイーピングは、ＮＲにおいて基本カバレッジを提供するために必要になる可能性がある。セクタビームおよび複数の高利得狭ビームを用いてセクタレベルセルのカバレッジが達成されるこの構想を、図４に図示する。また、大規模ＭＩＭＯを用いるアナログおよびハイブリッドビームフォーミングでは、異なるサービングエリアをカバーするように操向される狭カバレッジビームを用いる時間領域における複数の伝送が、ＮＲにおけるサービングセル内のカバレッジエリア全体をカバーするために必要である。
【０１０５】
ビームスイーピングに密接に関係した一構想は、ＵＥとそのサービングセルとの間の最良のビームペアを選択するように使用されるビームペアリング構想であり、このビームペアリングは、制御シグナリングまたはデータ転送用に使用され得る。下りリンク伝送用には、ビームペアはＵＥ  ＲＸビームとＮＲ−Ｎｏｄｅ  ＴＸビームとで構成され、その一方で、上りリンク伝送用には、ビームペアはＵＥ  ＴＸビームとＮＲ−Ｎｏｄｅ  ＲＸビームとで構成される。
【０１０６】
別の関連する構想は、ビーム洗練（ｂｅａｍ  ｒｅｆｉｎｅｍｅｎｔ）のために使用されるビームトレーニング構想である。例えば、図４に示すように、ビームスイーピングおよびセクタビームペアリングプロシージャの間に、より粗いセクタビームフォーミングが施され得る。次に、例えば、アンテナ重みベクトルが洗練されるビームトレーニングが続き、続いてＵＥとＮＲ−Ｎｏｄｅとの間の高利得狭ビームのペアリングが行われてよい。
【０１０７】
フレーム構造
ページングバーストシリーズ。低電力状態（例えば、ＲＲＣ＿ＩＤＬＥまたはＲＲＣ＿ＩＮＡＣＴＩＶＥ）のＵＥは、電力を節約するために間欠受信（ＤＲＸ）を使用し得る。ＤＲＸサイクルは、１つまたは複数のページングオケージョン（ＰＯ）を含み得、ここで、ＰＯは、ネットワークによってページングメッセージがその間にわたって伝送され得る時間間隔と定義される。ＰＯは、本明細書でページングブロックと定義される複数の時間スロットから構成されてよい。ページングブロックは、１つまたは複数のミニスロット、スロット、サブフレーム等に相当し得る１つまたは複数の直交周波数分割多重（ＯＦＤＭ）シンボルで構成されてよい。ページングバーストは、連続であっても、または連続でなくともよい１つまたは複数のページングブロックのセットとして定義され得、かつページングバーストシリーズは１つまたは複数のページングバーストのセットとして定義され得、この場合、ページングバーストは１つまたは複数のＯＦＤＭシンボル、ミニスロット、スロット、サブフレーム等によって分割され得る。Ｌ個のページングバーストと、ページングバーストごとにＭ個のページングブロックとを用いる例示的ページングバーストシリーズを図５に示す。
【０１０８】
各ページングバーストシリーズの間にスイープされるビームの総数を、ＮＢと示す。単一のビームが各ページングブロックに伝送される場合は、ＮＢ＝Ｌ＊Ｍである。複数のビームが各ページングブロックに伝送される場合は、ＮＢ＝ＮＢ，Ｇｒｏｕｐ＊Ｌ＊Ｍである。
【０１０９】
ページングバーストのページングブロック群は、連続であっても連続でなくともよい。図６は、ページングブロックが２つの連続するスロット群のシンボル３〜１０を占める場合のページングバーストの一例である。このような構成では、スロットの先頭シンボルおよび終端の３シンボルが、他の目的用、例えば、ＴＤＤスロットにおいて、シンボル０〜２はＰＤＣＣＨ用、シンボル１１は下りリンク（ＤＬ）と上りリンク（ＵＬ）との間のギャップ用、およびシンボル１２と１３はＵＬ用に確保されるシナリオのために使用され得る。
【０１１０】
図７は、ページングブロックが２つの連続する全ＤＬスロット群の全シンボルを占める場合のページングバーストの一例である。
【０１１１】
セル内の確実なページングカバレッジを提供するために、異なる下りリンク（ＤＬ）伝送の代替が、展開に応じてページングのために使用され得る。ＤＬビームの異なるセットが、各ページングブロックの間に伝送され得、この場合、ビームのフルセットは、ページングバーストシリーズの長さにわたって、１回または複数回、スイープされ得る。
【０１１２】
例えば、高周波数ＮＲ（ＨＦ−ＮＲ）展開では、ページングメッセージの伝送のために多数の高利得狭ビームのビームスイーピングを使用し得る。図８は、９つのビームを用いるシステム用の例示的なページングバーストシリーズ構成であり、この場合、１つのビームが各ページングブロックの間に伝送され、ビームのフルセットがページングバーストシリーズの長さにわたって１回スイープされる。
【０１１３】
あるいは、ネットワークは、図９に示すように、単一のページングバースト内でビームのフルセットをスイープし、次に、シリーズ内の後続のページングバースト内でフルスイープを繰り返し得る。
【０１１４】
あるいは、システムは、送受信ポイント（ＴＲＰ）の能力に応じて各ページングブロックの間に、複数のビームを伝送するように構成され得る。
【０１１５】
用語「ＮＢ，Ｇｒｏｕｐ」は、各ページングブロックの間に伝送されるビームの数を意味すると規定され得る。この場合、ＮＢは、ＮＢ＝ＮＢ，Ｇｒｏｕｐ＊Ｌ＊Ｍと計算される。
【０１１６】
図１０は、９つのビームを用いるシステム用の例示的なページングバーストシリーズ構成であり、この場合、３つのビームが各ページングブロックの間に伝送され、ビームのフルセットがページングバーストシリーズの長さにわたって１回スイープされる。この構成では、１つのページングバーストのみが、ビームのフルセットをスイープするために必要である。
【０１１７】
別の代替では、システムは、図１１に示すように、シリーズ内の後続のページングバースト内でフルスイープを繰り返してよい。
【０１１８】
ページングの信頼性を向上させるために、ネットワークは複数のページングブロック内でページング伝送を繰り返してよく、それによって、ＵＥが復号を実行する前に受信したシンボル群を組み合わせることを可能にする。図１２および図１３は、単一のビームおよび複数のビーム伝送をそれぞれ使用して、９つのビームを用いるシステムの場合の例示的な構成であり、この場合、ページング伝送は３つのページングブロックに対して繰り返され、ビームのフルセットがページングバーストシリーズの長さにわたって１回スイープされる。同一のページングメッセージが複数のビームで伝送されるシナリオの場合、ＵＥは、復号の前に複数のビームから受信されるシンボル群も組み合わせ得る。
【０１１９】
複数の同期したＴＲＰからの単一周波数ネットワーク（ＳＦＮ）伝送が、ＮＲネットワークにおけるページング伝送のために使用されてよい。次いで、無指向性またはワイドビーム（例えばセクタビーム）が、各ページングブロックの間のページングメッセージの伝送のために使用され得る。ビームスイーピングシナリオと比較したこの手法の利点は、ページング伝送を実行するのに必要なページングブロック数の低減である。これにより、ページング伝送のために必要とされる無線リソースが少ないことによるオーバーヘッドの低減と、また、ページングについてＵＥによって監視される必要のあるページングブロックが少ないことによるＤＲＸの作動／起動時間の低減とをもたらす。ＴＲＰは、繰り返しを伴って、または繰り返しを伴わずに、各ページングブロックの間に単一のビームまたは複数のビームを伝送するように構成され得る。
【０１２０】
図１４は、ＳＦＮ伝送技法がセクタビームを使用してページングメッセージを伝送するために使用され得る、例示的展開を示す。各ＴＲＰはページングブロックごとに１つのビームを伝送し、伝送はカバレッジを重複するビームが同時に伝送されるように調整される。この例では、ページングバーストシリーズは、図１５に示すように、３つのページングブロックからなる単一のページングバーストで構成され得る。ＵＥは、全てのページングブロックの間でページングについて監視するが、ＵＥのエリア内でカバレッジを提供するビームが伝送されるページングブロックの間でのみページング伝送を受信する。この例では、ＵＥ１は、ページングブロック１の間に、ＴＲＰ１、ＴＲＰ２、およびＴＲＰ４からページング伝送を受信し、ＵＥ２は、ページングブロック０の間に、ＴＲＰ４、ＴＲＰ５、およびＴＲＰ７からページング伝送を受信する。ＴＲＰが、全てのセクタビームで同時に伝送することができる展開では、ページングバーストシリーズは、単一のページングブロックからなる単一のページングバーストで構成され得る。繰り返しは、ページングの信頼性を向上させるこのシナリオで使用され得る。
【０１２１】
ネットワークの観点から、ページングバーストシリーズの時間インスタンスは、ネットワークがページングを伝送するための時間領域における機会に対応する。これらの時間インスタンスが、どの程度発生するかは、ページングバーストシリーズの周期として「ＴＰａｇｉｎｇ＿Ｂｕｒｓｔ＿Ｓｅｒｉｅｓ」と表される。ＤＲＸサイクルは、特定のＵＥ向けの監視するページングオケージョン間の個別の時間間隔である。
【０１２２】
ページングブロックは、本明細書に記載されるチャネル設計を使用して、またはＳＳブロックとページングのために使用される信号および／またはチャネルとの多重化をサポートする任意の他のメカニズムを使用して、ＳＳブロックと多重化され得る。例えば、ページングバーストシリーズの密度はＳＳバースト密度より少なく、または等しくてよく、ここで、ページングバーストシリーズの周期は、ＳＳバーストシリーズの周期の整数倍数と等しい。ＴＰａｇｉｎｇ＿Ｂｕｒｓｔ＿Ｓｅｒｉｅｓ＝ＴＳＳ＿Ｂｕｒｓｔ＿ｓｅｒｉｅｓおよびＴＰａｇｉｎｇ＿Ｂｕｒｓｔ＿Ｓｅｒｉｅｓ＝２＊ＴＳＳ＿Ｂｕｒｓｔ＿ｓｅｒｉｅｓを用いた例示的実施形態を、図１６Ａおよび図１６Ｂのそれぞれに示す。あるいは、システムは、ＳＳバーストシリーズ密度よりも多いページングバーストシリーズ密度を用いて構成され得る。ページングブロックとＳＳブロックとは、同時にバーストが発生するときに多重化され得る。ＴＰａｇｉｎｇ＿Ｂｕｒｓｔ＿Ｓｅｒｉｅｓ＝１／２＊ＴＳＳ＿Ｂｕｒｓｔ＿ｓｅｒｉｅｓを用いた例示的実施形態を、図１６Ｃに示す。
【０１２３】
あるいは、ＳＳバーストシリーズおよびページングバーストシリーズは、ＳＳブロックおよびページングブロックが、異なる時間に発生するように構成され得る。このように構成されるシステムは、同期のためのビームスイーピングの１「ラウンド（ｒｏｕｎｄ）」と、ページングのためのビームスイーピングの別「ラウンド」を使用し得る。ページングバーストの「ラウンド」がＳＳバーストの「ラウンド」に即時に続く場合の例示的実施形態を図１７Ａに示し、ページングバーストの「ラウンド」がＳＳバーストの「ラウンド」からオフセットされる場合の例示的実施形態を図１７Ｂに示す。ＳＳバーストシリーズとページングバーストシリーズとの間のオフセットは、ＴＯｆｆｓｅｔと規定され得、システム情報または専用のＲＲＣシグナリングを介してＵＥに通知される。
【０１２４】
接続モードでは、もしある場合、接続モードＳＳバーストセットはＵＥ向けに構成されてきた。ページングバーストは、ＵＥ向けに、この接続モードＳＳバーストと多重化され得る。
【０１２５】
ページングチャネルインジケーションが、それ自体のページングバーストセット定義を有する場合、ページングバースト構成は、ＲＲＣ構成を介して通知され得る。ページングバーストセット定義では、通常のデータと同一のサブキャリア間隔を使用しない可能性があり、その周期は、ｇＮＢによって構成され得る。例えば、ページングチャネルバーストは、ミニスロットまたは短いＴＴＩをサポートするように構成され得る。
【０１２６】
ページングチャネルバーストは、共通ＰＤＣＣＨまたは共通ブロードキャストチャネルと多重化され得る。例えば、共通ブロードキャストチャネルは、ＰＢＣＨでは搬送しない初期アクセスをサポートするための残りのシステム情報を搬送するために使用され得る。共通ＰＤＣＣＨは、システム情報だけではなく、ＲＡＲ（ＲＡＣＨ応答）も搬送する。
【０１２７】
ＵＥが、複数のセルから設定を調整されたマルチビームによって、複数のページングインジケーションを受信する場合、これらのページングインジケーションは、同じセルからは届かない可能性がある。この場合、ＵＥは他の調整されたセルページングインジケーションを無視することができる。ＵＥが、複数のページングインジケーションを異なるＴＲＰから受信するが、それらＴＲＰが同じセルに属する場合、ＵＥは、ページングインジケーションに関してそれらのうち１つを想定することができる。
【０１２８】
フレーム構造−ページングオケージョンの間のページングインジケーター伝送
ＮＲでは、ページングインジケーターがＰＯの間に伝送され、続いて、ＰＯの間にＵＥによって受信されたＰＩを通知した物理チャネルを伝送するのに使用されたページングブロックまたはＤＬ  ＴＸビームに関連付けられるＤＬリソースを使用して、ページングメッセージの伝送が行われ得る。図１８は、ＰＩがＰＯの間に通知されて、ページングメッセージが、ＰＯのページングブロックに関連付けられたＤＬリソースを使用して伝送されるときの、時間領域構造を示す。
【０１２９】
ページングフレームおよびページングオケージョン計算
ＮＲページングオケージョン（NR  Paging  Occasion：ＮＲ−ＰＯ）は、ページングバーストシリーズの間に発生する１つまたは複数のページングブロックのセットとして定義され得、ＮＲページングフレーム（NR  Paging  Frame：ＮＲ−ＰＦ）は、ページングバーストシリーズがその間で開始し得るフレームとして定義され得る。ＤＲＸが使用されるときに、ＵＥは、ＤＲＸサイクルごとに１つのＮＲ−ＰＯの監視を必要とするだけである。
【０１３０】
ＰＯとページングバーストシリーズとの間で以下のマッピングの選択肢が、本発明に記載される主題のために使用され得る。第１の選択肢では、ＰＯは、例えば、ページングフレーム内のスイーピングエリアをカバーするために、ページングバーストシリーズにマップし得る。第２の選択肢では、ＰＯは、ページングバーストシリーズ内の１つまたは複数のページングバースト、例えば、ページングフレーム内の複数のサブフレームにマップし得る。第３の選択肢では、ＰＯは、例えば、物理チャネルでページングインジケーションを搬送する、ページングバースト内の１つまたは複数のページングブロックにマップし得る。それぞれの選択肢の例示的マッピングを図１９〜２１に示す。図１９は、ページングフレーム（ＰＦ）内のページングバーストシリーズにマップされる例示的ＰＯを示す。図２０は、ページングバーストシリーズ内のページングバーストのサブセットにマップされる例示的ページングオケージョンを示す。図２１は、ページングバースト内のページングブロックのサブセットにマップされる例示的ページングオケージョンを示す。
【０１３１】
以下のパラメータは、ＮＲ−ＰＯおよびＮＲ−ＰＦの計算のために使用される。
【０１３２】
Ｔは、ＵＥのＤＲＸサイクルである。Ｔは、上位層によって割り当てられる場合は、ＵＥ固有ＤＲＸ値とシステム情報でブロードキャストするデフォルトＤＲＸ値とのうちの最短のものによって決定される。ＵＥ固有ＤＲＸが上位層によって構成されない場合は、デフォルト値が適用される。
【０１３３】
ｎＢはＤＲＸサイクル内のＮＲ−ＰＯの数を指示するために用いられる。ｎＢ値の構成は、セル内で所望され得るまたは使用され得るページング容量に依存し得る。より大きな値のｎＢは、例えば、ページング容量を増加するために使用され得る。より小さな値のｎＢは、例えば、より小さなページング容量に対して使用され得る。
【０１３４】
Ｎは、ｍｉｎ（Ｔ，ｎＢ）である。パラメータＮは、ＤＲＸサイクル内で発生するページングバーストシリーズの数である。
【０１３５】
Ｎｓは、ｍａｘ（１，ｎＢ／Ｔ）である。パラメータＮｓは、ページングバーストシリーズ内で発生するＮＲ−ＰＯの数である。
【０１３６】
ＵＥ＿ＩＤは、ＩＭＳＩｍｏｄ１０２４である。ＵＥ＿ＩＤパラメータは、ＮＲ−ＰＯに対してＵＥの分配をランダム化するために使用される。
【０１３７】
マルチビームシナリオ例
例えば、ＮＲ−ＰＯは、ページングバーストシリーズの間で発生する全ページングブロックに対応し得る。そのような構成は、カバレッジを提供するために必要なビームの数が少ない場合のシナリオに当てはまり得る。１つは、ネットワークがビームレベルでＵＥの位置の情報を有していないために、スイープビームの全てを使用してＵＥをページングする必要がある場合のマルチビームシナリオで使用されるような構成が想像できる。
【０１３８】
この例では、無線フレームにおけるパラメータＴの値は、予め定められた値のセット、例えば、｛３２，６４，１２８，２５６｝から選択され得る。ｎＢは、正の整数値でＴを除算した商と等しい予め定められた値のセット、例えば、｛Ｔ，Ｔ／２，Ｔ／４，Ｔ／８，Ｔ／１６，Ｔ／３２｝から選択され得、パラメータＮおよびＮｓは、それぞれ、ｍｉｎ（Ｔ，ｎＢ）＝ｎＢおよびｍａｘ（１，ｎＢ／Ｔ）＝１と定義される。マルチビームシナリオの場合のＤＲＸパラメータの概要を、表６にて提供する。
【表７】
2020507980.tif 000012
【０１３９】
ＮＲ−ＰＦは、システム情報で提供されるＤＲＸパラメータを使用して下記式によって決定され得る。
ＳＦＮｍｏｄＴ＝（ＴｄｉｖＮ）＊（ＵＥ＿ＩＤｍｏｄＮ）
【０１４０】
また、ＮＲ−ＰＯは、ＮＲ−ＰＦ計算に適合する無線フレーム内で開始するページングバーストシリーズの間に発生する全てのページングブロックであると想定される。
【０１４１】
ＤＲＸサイクル値のセットは、ＴＳＳ＿Ｂｕｒｓｔ＿Ｓｅｒｉｅｓの整数倍数であるように規定され得、それによって、チャネル設計に関して本明細書で記載されるメカニズム、またはページングのために使用される信号および／またはチャネルとＳＳブロックとの多重化をサポートする任意の他のメカニズムを使用して、ページングブロックがＳＳブロックと多重化されることを可能にする。例えば、ＤＲＸサイクル値は、予め定められた値のセット、例えば｛１，２，４，〜２５６｝から乗数ＮＤＲＸ＿Ｍｕｌｔｉｐｌｅｒを選択し、次に、ＮＤＲＸ＿ＭｕｌｔｉｐｌｅｒとＴＳＳ＿Ｂｕｒｓｔ＿Ｓｅｒｉｅｓの積を算出することによって決定され得る。ＳＳバーストシリーズが開始するフレーム内でのみＮＲ−ＰＦが発生するように制約するために、ｎＢは、セット内の最大値が≦ＮＤＲＸ＿Ｍｕｌｔｉｐｌｅｒの予め定められた整数値のセットから選択され得る。（ページングバーストシリーズ密度が、ＳＳバースト密度より多いことが所望されるシナリオの場合は、この制約は適用されず、セット内の許容される最大値は≦Ｔである。）ＳＳバーストシリーズが開始するフレーム内でのみＮＲ−ＰＦが存在するように制約されるマルチビームシナリオの場合のＤＲＸパラメータの概要を、表７にて提供する。
【表８】
2020507980.tif 000013
【０１４２】
あるいは、ＮＲ−ＰＯは、ページングバーストシリーズの間で発生するページングブロックのセブセットに対応し得る。例えば、ネットワークがビームレベルでＵＥの位置の情報を有している場合、ＮＲ−ＰＯは、おそらく最もＵＥによって受信されることになるビームを伝送するために使用されるページングブロック、例えば、「ベスト（ｂｅｓｔ）」ＤＬ  ＴＸビーム、「ベスト」ＤＬ  ＴＸビームと１つまたは複数の隣接ビーム、「ベスト」ＤＬ  ＴＸビームを含むページングバースト中に伝送される全てのビーム等、に対応し得る。「ベスト」ＤＬ  ＴＸビームは、様々な方法、例えば、最大ＲＳＲＰ、最良の品質、最大ＲＳＲＱを有するビームとして、またはそのようなパラメータまたは他のものとの組み合わせの複合測定によって選択され得る。
【０１４３】
ネットワークは、「ベスト」ＤＬ  ＴＸビームを暗に決定し得る。例えば、ネットワークは、ランダムアクセスプロシージャの前回の実行中に、ランダムアクセスプリアンブルがその上で受信されたリソースから「ベスト」ＤＬ  ＴＸビームを決定し得る。あるいは、ＵＥは、「ベスト」ＤＬ  ＴＸビームをネットワークに通知してよい。
【０１４４】
ネットワークおよびＵＥが、ＰＯの間のページングブロックの同じサブセットを使用することを保証するために、ネットワークはＵＥに対して、ＰＯを作り上げているページングブロックのサブセットを通知し得る。例えば、ネットワークは、ＰＯのページングブロックのセットのインデックスを通知し得る。あるいは、ネットワークは、ＰＯの最初と最後のページングブロックのインデックスを通知し得る。あるいは、ネットワークは、「ベスト」ＤＬ  ＴＸビームをＵＥに通知し、次に、予め定められた規則が、ＰＯに属する残りのページングブロック、例えば、１つまたは複数の隣接ビーム、ＤＬ  ＴＸビームを含むページングバースト中に伝送される全てのビーム等を決定するために使用される。
【０１４５】
ＰＯに属するページングブロックの数は、ＵＥ固有であり得る。例えば、静止または低モビリティＵＥは、中または高モビリティのＵＥと比較して、それらのＰＯ内でより少数のページングブロックを有し得る。ＰＯのサイズは、サービス固有でもあり得、例えば、ＵＲ／ＬＬサービスを用いるＵＥは、ページを見逃す確率を低減するためにそれらのＰＯ内でより多数のページングブロックを用いて構成され得る。
【０１４６】
特定のＵＥのためのＰＯの構成は、定期的に、またはネットワーク内で発生するイベント、例えば、ＵＥのモビリティ状態が変化したとき、ＰＯの間に伝送される１つまたは複数のビームをＵＥがもはや受信できないとき、ページングに失敗した後、サービス開始後／停止後に基づいて更新され得る。
【０１４７】
単一ビームシナリオの場合の例示的定義
この例では、ページングバーストシリーズを構成するために使用されるパラメータＬ（ページングバーストの数）およびパラメータＭ（ページングブロックの数）の値が、１と等しいと見なすことができる。次いで、ページングバーストシリーズは、単一のページングブロックで構成される単一のページングバーストと見なされ得る。ページングブロックは、１つまたは複数の連続するサブフレームのセットと定義され得、例えば、単一サブフレームがＵＥがその間にページングされ得る時間の単位として定義される場合は、１０である。
【０１４８】
この例では、無線フレームにおけるパラメータＴの値は、予め定められた値のセット、例えば、｛３２，６４，１２８，２５６，５１２，〜｝から選択され得る。ｎＢは、パラメータＴの整数倍数と等しい値のサブセットと、パラメータＴを整数値で除算した商と等しい値の別のサブセットとで構成される予め定められた値のセットから選択され得る。パラメータＮおよびＮｓは、それぞれ、ｍｉｎ（Ｔ，ｎＢ）およびｍａｘ（１，ｎＢ／Ｔ）と定義され得る。単一ビームシナリオの場合の例示的ＤＲＸパラメータの概要を、表８にて提供する。
【表９】
2020507980.tif 000014
【０１４９】
ＮＲ−ＰＦおよびＮＲ−ＰＯは、システム情報で提供されるＤＲＸパラメータを使用して下記式によって決定され得る。
【０１５０】
ＮＲ−ＰＦは、下記等式によって与えられる。
ＳＦＮｍｏｄＴ＝（ＴｄｉｖＮ）＊（ＵＥ＿ＩＤｍｏｄＮ）
【０１５１】
表９および表１０に規定されるサブフレームパターンからＮＲ−ＰＯを指し示すインデックスｉ＿ｓは、下記計算から導出され得る。
ｉ＿ｓ＝ｆｌｏｏｒ（ＵＥ＿ＩＤ／Ｎ）ｍｏｄＮｓ
【表１０】
2020507980.tif 000015
【表１１】
2020507980.tif 000016
【０１５２】
ＮＲ  ＰＣＣＨ−Ｃｏｎｆｉｇ
システムにおけるページング構成は、ＳＩの一部として通知され得る。コード例２は、ＮＲ  ＰＣＣＨ−Ｃｏｎｆｉｇ  ＩＥの使用を示す。
【表１２】
2020507980.tif 000017
【表１３】
2020507980.tif 000018
【表１４】
2020507980.tif 000019
【表１５】
2020507980.tif 000020
【０１５３】
スロットベースのＮＲ−ＰＯ計算
ＮＲでは、下りリンクおよび上りリンク伝送は、それぞれ１ｍｓ長の１０個のサブフレームからなる１０ｍｓ長の無線フレームに編成される。サブフレームごとにＮＲ−ページングオケージョン（ＮＲ−ＰＯ）の１つのみがサポートされる場合は、ＮＲページングフレーム（ＮＲ−ＰＦ）ごとのＮＲ−ＰＯの最大値は１０になるはずである。これにより、シナリオによっては、十分なページング容量が提供されない可能性がある。さらに、より大きなＳＣＳのものが使用される展開では、ネットワークは、ビームを非常に早くスイープできるものであり得、サブフレームの長さよりも著しく短いページングバーストセット長をもたらすことになる。そのような展開のために各サブフレームに１つのＮＲ−ＰＯのみをサポートするようにネットワークを制限することは、不必要な制約である。そのため、ＮＲ−ＰＯの開始位置がスロットレベルで規定されることを可能にするＮＲ−ＰＯ計算の一例が本明細書にて開示され、それによって、複数のＮＲ−ＰＯがサブフレームごとに規定されることを可能にする。
【０１５４】
以下のパラメータは、ＮＲ−ＰＯおよびＮＲ−ＰＦの計算のために使用され得る。
【０１５５】
Ｔは、ＵＥのＤＲＸサイクルである。Ｔは、上位層によって割り当てられる場合は、ＵＥ固有ＤＲＸ値とシステム情報でブロードキャストするデフォルトＤＲＸ値とのうちの最短のものによって決定される。ＵＥ固有ＤＲＸが上位層によって構成されない場合は、デフォルト値が適用される。
【０１５６】
ｎＢはＤＲＸサイクル内のＮＲ−ＰＯの数を指示するために用いられる。ｎＢ値の構成は、セル内で所望されるまたは使用されるページング容量に依存し得る。より大きな値のｎＢは、例えば、ページング容量を増加するために使用され得る。より小さな値のｎＢは、例えば、より小さなページング容量に対して使用され得る。
【０１５７】
ＭＡＸ＿ＰＳＦはパラメータであり、ＭＡＸ＿ＰＳＦは、ＮＲ−ＰＦ内のＮＲページングサブフレーム（NR  Paging  Subframes  Frames：ＮＲ−ＰＳＦ）の最大値であり、ここで、ＮＲ−ＰＳＦは、ページングバーストセット伝送がその中で開始し得るサブフレームと定義される。このパラメータは、ニューメロロジー（ｎｕｍｅｒｏｌｏｇｙ）、ビームスイーピング構成、ページングバーストセット長等に依存され得る。このパラメータは、上位層のシグナリング、例えば、ＲＲＣを介して通知され得る。あるいは、値のセットは、規格に従って（例えば、ニューメロロジー、ビームスイーピング構成、ページングバーストセット長等に従って）、予め定められ得る。
【０１５８】
Ｎは、ｍｉｎ（Ｔ，ｎＢ）である。パラメータＮは、ＤＲＸサイクル内のＮＲ−ＰＦの数である。
【０１５９】
Ｎｓは、ｍａｘ（１，ｎＢ／Ｔ）である。パラメータＮｓは、ＮＲ−ＰＦ内のＮＲ−ＰＯの数である。
【０１６０】
Ｎｓ＿ｐｓｆは、ｍｉｎ（ＭＡＸ＿ＰＳＦ，Ｎｓ）である。パラメータＮｓ＿ｐｓｆは、ＮＲ−ＰＦ内のＮＲページングサブフレーム（ＮＲ−ＰＳＦ）の数であり、ここで、ＮＲ−ＰＳＦスロットは、ページングバーストセット伝送がその中で開始し得るサブフレームと定義される。
【０１６１】
Ｎｓ＿ｐｓは、１＋ｆｌｏｏｒ（（Ｎｓ−１）／ＭＡＸ＿ＰＳＦ）である。パラメータＮｓ＿ｐｓは、ＮＲ−ＰＳＦ内のＮＲページングスロット（NR  Paging  Slots：ＮＲ−ＰＳ）の数であり、ここで、（ＮＲ−ＰＳ）は、ページングバーストセット伝送がその中で開始し得るスロットと定義される。
【０１６２】
ＵＥ＿ＩＤまたはＧｒｏｕｐ＿ＩＤは、ＵＥベースのＰＯ向けには、ＵＥ＿ＩＤｍｏｄ１０２４、グループベースのＰＯ向けには、Ｇｒｏｕｐ＿ＩＤｍｏｄ２＾Ｍ（式中、Ｍは、グループの細分性およびＰＯの分配に基づいて選択される。）である。ＵＥ＿ＩＤ（例えば、ＩＭＳＩ）またはＧｒｏｕｐ＿ＩＤパラメータは、ＮＲ−ＰＯに対してＵＥの分配をランダム化するために使用される。
【０１６３】
ＮＲ−ＰＦは、下記等式によって与えられる。
ＳＦＮｍｏｄＴ＝（ＴｄｉｖＮ）＊（ＵＥ＿ＩＤｍｏｄＮ）
【０１６４】
予め定められたサブフレームパターンからＮＲ−ＰＯの始まりを含むサブフレームを指し示すインデックスｉ＿ｓｆは、下記等式によって与えられる。
ｉ＿ｓｆ＝ｆｌｏｏｒ（ＵＥ＿ＩＤ／Ｎ）ｍｏｄＮｓ＿ｐｓｆ
【０１６５】
予め定められたスロットパターンからＮＲ−ＰＯの始まりを含むスロットを指し示すインデックスｉ＿ｓｌｏｔは、下記等式によって与えられる。
ｉ＿ｓｌｏｔ＝ｆｌｏｏｒ（ＵＥ＿ＩＤ／Ｎｓ＿ｐｓｆ）ｍｏｄＮｓ＿ｐｓ
【０１６６】
サブフレームパターンおよびスロットパターンの例示的セットを、表２１および表２２のそれぞれに示す。
【０１６７】
種々のページング容量をサポートするいくつかのＤＲＸ構成が考えられる。実施例１〜４において、ニューメロロジーはμ＝３と想定するが、このニューメロロジーではサブフレームごとに８スロットを有すると規定され、例証のために使用されるが、ＮＲ−ＰＯ計算は任意のニューメロロジーに対して適用される。
【０１６８】
実施例１
表１３にて、ＮＲ−ＰＦごとに１つのＮＲ−ＰＯのページング容量をサポートするために使用され得るＤＲＸパラメータのセットを提供する。ＤＲＸパラメータのこのセットを用いて、ＮＲ−ＰＯはサブフレーム１のスロット０で開始する。表１４は、異なるＵＥ＿ＩＤに対するＰＯ計算の結果である。これらの計算の結果は、図２２にも示す。
【表１６】
2020507980.tif 000021
【表１７】
2020507980.tif 000022
【０１６９】
実施例２
表１５にて、ＮＲ−ＰＦごとに２つのＮＲ−ＰＯのページング容量をサポートするために使用され得るＤＲＸパラメータのセットを提供する。ＤＲＸパラメータのこのセットを用いて、ＮＲ−ＰＯはサブフレーム１または６のスロット０で開始し得る。表１６は、異なるＵＥ  ＩＤに対するＰＯ計算の結果である。これらの計算の結果は、図２３にも示す。
【表１８】
2020507980.tif 000023
【表１９】
2020507980.tif 000024
【０１７０】
実施例３
表１７にて、ＮＲ−ＰＦごとに４つのＮＲ−ＰＯのページング容量をサポートするために使用され得るＤＲＸパラメータのセットを提供する。ＤＲＸパラメータのこのセットを用いて、ＮＲ−ＰＯはサブフレーム１、３、６、または８のスロット０で開始し得る。表１８は、異なるＵＥ  ＩＤに対するＰＯ計算の結果である。これらの計算の結果は、図２４にも示す。
【表２０】
2020507980.tif 000025
【表２１】
2020507980.tif 000026
【０１７１】
実施例４
表１９にて、ＮＲ−ＰＦごとに８つのＮＲ−ＰＯのページング容量をサポートするために使用され得るＤＲＸパラメータのセットを提供する。ＤＲＸパラメータのこのセットを用いて、ＮＲ−ＰＯはサブフレーム１、３、６、または８のスロット０または４で開始し得る。表２０は、異なるＵＥ  ＩＤに対するＰＯ計算の結果である。これらの計算の結果は、図２５にも示す。
【表２２】
2020507980.tif 000027
【表２３】
2020507980.tif 000028
【０１７２】
サブフレームおよびスロットパターン
例示的サブフレームパターンおよびスロットパターンを表２１および表２２に示す。サブフレームパターンおよびスロットパターンのための構成が予め定められ、ＳＩで構成され、または上位層シグナリング（例えば、ＲＲＣ）を介して通知され得る。無線フレーム内のサブフレームの数は、ニューメロロジーには依存しないので、特定のニューメロロジーを用いて使用され得るサブフレームパターンには制限がない。サブフレームごとのスロットの数はニューメロロジーに依存するので、特定のニューメロロジーを用いて使用され得るスロットパターンには制限がある。例えば、表２２の所定の行にあるスロットパターンは、サブフレーム内のスロットの数が表のその行で≧Ｎｓ＿ｐｓの場合、所定のニューメロロジーを用いてのみ使用され得る。例えば、サブフレームごとに８スロットを有すると規定されるニューメロロジーμ＝３を使用するシステムでは、表２２にて規定されるいずれのスロットパターンも使用可能になるが、サブフレームごとに１スロットを有すると規定されるニューメロロジーμ＝０を使用するシステムでは、表２２の行１にて規定されるスロットパターンを使用可能になる。その結果、ニューメロロジーμ＝０を使用するシステムは、ＮＲ−ＰＦごとに１、２、または４のＮＲ−ＰＯのページング容量を用いて構成され得、ニューメロロジーμ＝３を使用するシステムは、ＮＲ−ＰＦごとに１、２、４、８または１６のＮＲ−ＰＯのページング容量を用いて構成され得る。
【表２４】
2020507980.tif 000029
【表２５】
2020507980.tif 000030
【０１７３】
チャネル設計−同期信号（ＳＳ）バーストシリーズ
システムは、同期信号（ＳＳ）バーストシリーズを単一ビームで、もしくはＳＳブロック内の別個のビームセットまたは別個のビームグループで伝送し得る。ＳＳブロックおよびＳＳバーストは、ページング伝送の空間分割多重化を実行するために使用される。ＳＳブロックおよびＳＳバーストはさらに、空間分割多重化に加えて、ページング伝送の時間分割多重化を実行するためにも使用され得る。
【０１７４】
例示的同期信号（ＳＳ）バーストシリーズを図２６に示す。この例では、システムは各ＳＳブロックの間に１つのビームで伝送する。各ＳＳバーストにＭ個のＳＳブロックおよびＳＳバーストシリーズにＬ個のＳＳバーストがある。ＳＳバーストシリーズ内のＳＳブロックの総数は、Ｌ＊Ｍの積である。各ＳＳバーストシリーズの間にスイープされるビームの総数が、ＮＢとして示され、ＮＢ＝Ｌ＊Ｍと計算される。
【０１７５】
あるいは、ネットワークは、図２７に示すように、単一のＳＳバースト内でビームのフルセットをスイープし、次に、シリーズ内の後続のＳＳバースト内でフルスイープを繰り返してよい。
【０１７６】
システムはさらに、各ＳＳブロックの間にビームのグループを伝送してよい。例えば、システムは、図２８に示すように、各ＳＳブロックの間に、ＮＢ，Ｇｒｏｕｐ＝２のビームを伝送してよい。この場合、ＮＢは、ＮＢ＝ＮＢ，Ｇｒｏｕｐ＊Ｌ＊Ｍと計算される。
【０１７７】
システムは、図２９に示すように、各ＳＳブロックの間にビームのグループを伝送し、単一のＳＳバースト内でビームのフルセットをスイープし、次に、シリーズ内の後続のＳＳバースト内でフルスイープを繰り返してよい。
【０１７８】
ＮＲ−ＰＳＳ、ＮＲ−ＳＳＳおよびＮＲ−ＰＢＣＨは、ＳＳブロックの間に伝送される。追加の物理チャネルが、ＳＳブロックの間に伝送されてよい。例えば、物理データチャネルが、ＳＳブロックの間に伝送され得る。そのようなチャネルは、ＮＲ物理スイーピング下りリンク共有データチャネル（NR  Physical  Sweeping  Downlink  Shared  Data  Channel：ＮＲ−ＰＳＤＳＣＨ）、例えば、ビームスイーピングベースの共有データチャネルと呼ばれ得る。
【０１７９】
ＮＲ−ＰＳＤＳＣＨは、ブロードキャスト、ユニキャスト、および／またはマルチキャスト伝送用に使用されてよい。ＮＲ−ＰＳＤＳＣＨは、スケジュールされてもスケジュールされなくてもよい。
【０１８０】
ＮＲ−ＰＳＤＳＣＨの動的スケジューリングは、下りリンク制御情報（ＤＣＩ）を介するものであってよく、この下りリンク制御情報（ＤＣＩ）は、別個の物理制御チャネル、例えば、ＳＳブロックの間に伝送されるビームスイーピングベースの制御チャネルであるＮＲ物理スイーピング下りリンク制御チャネル（NR  Physical  Sweeping  Downlink  Control  Channel：ＮＲ−ＰＳＤＣＣＨ）で伝送され得る。
【０１８１】
ＤＣＩは、ページングメッセージ、ページングインジケーター（Paging  Indicators：ＰＩ）、および／またはＳＩ修正／ＰＷＳインジケーターのための下りリンクアサインメントを含み得る。ＮＲ−ＰＳＤＣＣＨおよびＮＲ−ＰＳＤＳＣＨは、ＳＳブロックの間に伝送されるその他の物理チャネルと、時間多重化または周波数多重化され得る。ＮＲ−ＰＳＤＣＣＨおよび／またはＮＲ−ＰＳＤＳＣＨに割り当てられるＰＲＢは、周波数において連続的または不連続的であり得る。図３０は、ＮＲ−ＰＳＤＣＣＨおよびＮＲ−ＰＳＤＳＣＨが、ＳＳブロックの間に伝送されるその他の物理チャネルと、どのように多重化され得るかのいくつかの例を示す。図３０には明示していないが、追加の多重化の組み合わせが、ソリューションによってサポートされる。
【０１８２】
チャネル設計−ページングインジケーター
ＮＲページングインジケーター、例えば、Ｐ−ＲＮＴＩ、またはＰ−ＲＮＴＩ無線識別子等は、本明細書でＮＲ−ＰＲＮＴＩと示される。ＮＲ−ＰＲＮＴＩは、また、ＤＣＩの一部として、またはＮＲ−ＰＢＣＨを介して通知されてよい。ＮＲページングインジケーターは、１つまたは複数のＵＥがそこからページングされたグループを指示するために使用され得る。ＮＲページンググループはＵＥ  ＩＤに基づいてよい。例えば、グループは、ＵＥ  ＩＤのＮ個のＭＳＢとして定義され、「ベスト」ＤＬ  Ｔｘビームに基づき得る。例えば、グループは、「ベスト」ＤＬ  Ｔｘビームに対応するページングブロック番号に対応するか、または、ｇＮＢによって動的に決定され、ＵＥに明確に通知され得る。
【０１８３】
ページングオケージョン監視インジケーターが規定され得る。ページング監視インジケーターは、ページングオケージョンの監視を開始することをＵＥに指示するためにネットワークによって使用され得る。ページング監視インジケーターはさらに、ページングオケージョンの監視を停止することをＵＥに指示するためにネットワークによって使用され得る。ページングオケージョン監視インジケーターは、ＵＥ固有、またはＵＥのグループに対して固有のものであってもよい。ページング監視インジケーターは、例えば、ＮＲ−ＰＢＣＨチャネルのための、スケジュールされていないチャネルで伝送され得る。ＵＥは、ＰＯの監視を開始するようにＵＥに指示するページング監視インジケーターを正常に復号した後、ＵＥは、監視しているページングオケージョンに続く、その次のＰＯの監視を開始する。
【０１８４】
５つのページング設計の選択肢がＲＡＮ１で考えられている。
【０１８５】
第１の選択肢では、ページングメッセージは、ＮＲ−ＰＤＣＣＨによって搬送されるＤＣＩによってスケジュールされ、ＮＲ−ＰＤＳＣＨによって搬送されるＰＣＨを介して伝送される。
【０１８６】
第２の選択肢では、ページングメッセージはスケジュールされていない物理チャネルにて伝送され、その際、ページングインジケーションはＮＲ−ＰＢＣＨまたは他のいくつかのチャネルによって搬送され得る。
【０１８７】
第３の選択肢では、ページングメッセージは、ＤＣＩを伴わないＮＲ−ＰＤＳＣＨによって搬送されるＰＣＨを介して伝送される。リソースは準静的に構成される。
【０１８８】
第４の選択肢では、（例えば、ＳＩ変更インジケーションのためのみの）ページングメッセージが、ＮＲ−ＰＤＳＣＨを用いずにＮＲ−ＰＤＣＣＨを介して伝送される。
【０１８９】
第５の選択肢では、ページングメッセージはＰＤＳＣＨによって伝送され、ページングインジケーションはスケジュールされていない物理チャネルで伝送される。
【０１９０】
ページングインジケーションは、Ｐ−ＲＮＴＩまたは類似のページング無線識別子の存在として認識され、ページング識別子が伝送されるページングオケージョンが自身のページングオケージョンと合致するＵＥ向けのページングメッセージの存在をＵＥまたはグループＵＥに知らせ得る。
【０１９１】
第２の場合では、ページングインジケーションがＮＲ−ＰＢＣＨによって搬送される場合、そのようなインジケーションが、全てのＵＥまたはおそらく非常に大きなＵＥグループをアドレス付けし得る。しかし、限られた数のページングレコードのみが、ページングオケージョン内に実際的に含まれ得る。かかる場合、多くのＵＥが、ページングオケージョン内のページングレコードの読み取りを不必要に試みることになる。この欠点を回避するために、ネットワークはページング監視インジケーターを（ＮＲ−ＰＢＣＨ、ＮＲ−ＭＣＨ、例えば、ＮＲマルチキャストチャネルまたは他のチャネルで）伝送し、個々のＵＥまたはＵＥグループにページングオケージョンを監視するように警告する。一旦、ページングオケージョン監視インジケーターがＵＥにより検出されると、ＵＥは自身のページングオケージョンの監視を開始することになる。
【０１９２】
同様に、ネットワークはページング監視インジケーターを（ＮＲ−ＰＢＣＨ、ＮＲ−ＭＣＨ、例えば、ＮＲマルチキャストチャネルまたは他のチャネルで）伝送し、個々のＵＥまたはＵＥグループにページングオケージョンの監視を停止するように警告し得る。一旦、ページングオケージョン監視停止インジケーターがＵＥにより検出されると、ＵＥは自身のページングオケージョンの監視を停止することになる。
【０１９３】
監視するページングオケージョンのタイマまたはページングオケージョンの数も、規定され得る。一旦、ページングオケージョン監視インジケーターがＵＥにより検出されると、ＵＥは、タイマの満了まで、または、ＵＥが予め定められた数のページングオケージョンを監視し終わるまで、自身のページングオケージョンの監視を開始することになる。監視するページングオケージョンのタイマまたはページングオケージョンの数は、ＲＲＣ構成またはＭＡＣコントロールエレメント（ＣＥ）を通してＵＥに通知されてよい。
【０１９４】
第３の場合では、ページングメッセージの存在を指示するＰ−ＲＮＴＩまたはページング無線識別子が使用され得る。ページング無線識別子は、準静的に構成されるリソースで通知され得る。準静的に構成されるリソースは、ＵＥ固有またはＵＥグループの固有のものであってもよい。ＵＥは、例えば、ＵＥからネットワークへのＵＥを対象としたページングメッセージ伝送の要求に対応するために、オンデマンドのページングに応じてこれらの準静的に構成されるリソースを読み出し得る。
【０１９５】
第５選択肢の場合では、ページングインジケーションは、ＰＤＣＣＨ上にあるのとは対照的に、スケジュールされていないチャネル上にあることになる。スケジュールされていないチャネルは、物理ブロードキャストチャネルまたは物理マルチキャストチャネルであり得る。ページングインジケーションは、オンデマンドのページングに対応し得る。
【０１９６】
チャネル設計−ページンググループ
ＮＲでは、ＰＯにおいて複数のＵＥをＭ個のグループに分割し、各グループに対して独自のＸ−ＲＮＴＩを割り当てし得る。ＵＥ支援型ページングプロシージャでページングインジケーションを用いる場合は、「Ｘ」は「ＰＩ」（ページングインジケーター）であり、そのため、ＰＩ−ＲＮＴＩが使用される。ＵＥ非支援型ページングプロシージャの場合では、「Ｘ」は「Ｐ」で置き換えられ、そのため、Ｘ−ＲＮＴＩは、Ｐ−ＲＮＴＩである。Ｍ個のＸ−ＲＮＴＩ（Ｘ−ＲＮＴＩ１、Ｘ−ＲＮＴＩ２〜Ｘ−ＲＮＴＩＭ）は、１）仕様で構成、２）ＲＭＳＩ（残りの最小システム情報）等のシステム情報を通して構成、の方法のうち１つによって規定され得る。
【０１９７】
ＵＥは、１）Ｓ−ＴＭＳＩまたはＩＭＳＩ等のＵＥ  ＩＤ、２）ＵＲＬＬＣまたはｅＭＢＢ等のユースケース、３）サポートできる最大サブキャリア間隔等のＵＥ能力、４）キャリア周波数／広帯域キャリアの帯域幅／サポートされるＢＷＰの数、のうち１つまたは複数に基づいて、グループのうち１つに明瞭にマップしてよい。
【０１９８】
ＵＥのＸ−ＲＮＴＩへのマッピング規則は、様々な方法で規定され得る。例えば、ＵＥのＸ−ＲＮＴＩへのマッピング規則は、仕様で構成され得、ＲＭＳＩ（残りの最小システム情報）等のシステム情報を通して構成され得、または、ＲＲＣシグナリングを通して構築されるＵＥ固有構成であり得る。
【０１９９】
例えば、ＵＥは、下記の方法でＸ−ＲＮＴＩにマップされ得る。６０ＫＨｚ以上のＳＣＳをサポートすることができるＵＥは、Ｘ−ＲＮＴＩ１からＰ−ＲＮＴＩＮまでのＸ−ＲＮＴＩを使用し得る。さらに、ＵＥ自身のＩＤのＮ個のＭＳＢが、固有のＸ−ＲＮＴＩｎにマップし得る。
【０２００】
ＵＥをグルーピングすることの利点は、（ＰＯ内で全てのＵＥが共通のＰ−ＲＮＴＩを検出し、ページングメッセージを監視し得るＬＴＥとは異なり）全てのＵＥがページングメッセージに応じる必要がないことである。特に、ページングプロシージャがＵＥ支援型応答によって行われる場合、ＵＬオーバーヘッドは有意であり得る。Ｐ−ＲＮＴＩベースのグルーピングは、このオーバーヘッドを低減する。
【０２０１】
ＬＴＥと同様に、例えば、ＣＲＣをスクランブルすることによって、またはＸ−ＲＮＴＩＰを使用して初期化された配列で符号化およびレートマッチングされたＤＣＩ全体をスクランブルすることによって、Ｘ−ＲＮＴＩＰがページングＤＣＩに組み込まれる。ＵＥがグループＰにマップされる場合、ＵＥはＰ−ＲＮＴＩＰを伴うＰＤＣＣＨを探す。複数のＸ−ＲＮＴＩが、同一のＰＯ内で通知され得る。
【０２０２】
ページングメッセージは、各ページングインジケーションまたはＸ−ＲＮＴＩｐを伴うページングメッセージＤＣＩが、ＰＤＳＣＨを通して通知される個別のページングメッセージに対応するようにして伝送され得る。この場合、ページングメッセージは、Ｘ−ＲＮＴＩｐを用いて初期化された配列に基づいてスクランブルされ得る。図３１では、ＵＥ非支援型ページングの場合が考えられており、ページングＤＣＩおよびページングメッセージは、ＰＯ内の同じスロットに存在する。ページングメッセージがページングＤＣＩのものとは異なるスロットに発生するＵＥ支援型ページングの場合について、別の例を図３２に示す。この場合では、ＵＥ支援型ＰＲＡＣＨ応答が、ＤＣＩとページングプロシージャのタイプに依存するメッセージとの間に行われる。
【０２０３】
あるいは、１つのＰＯ内に発生するＸ−ＲＮＴＩｐが、ＰＤＳＣＨ内の共通ページングメッセージにマップし得る。メッセージは、ＰＯ内でページングされる全てのＸ−ＲＮＴＩに対応する全てのＵＥ＿ＩＤを含み得る。したがって、全てのＤＣＩは、ページングメッセージ用の同一のＰＤＳＣＨリソースを指示する。
【０２０４】
ＰＤＳＣＨ上のこのページングメッセージは、ページングＤＣＩ用と規定されるＭ個のＰ−ＲＮＴＩとは異なるＰ−ＲＮＴＩｍｓｇを用いて初期化された配列でスクランブルされ得る。これを、ＵＥ非支援型の場合のページングメッセージＤＣＩおよびページングメッセージが同一スロット内で発生する場合について図３３にて示す。Ｐ−ＲＮＴＩｍｓｇは、仕様で規定され得るか、またはＲＭＳＩを通して構成され得る。ＰＯ内のページングインジケーターがそれぞれのページングメッセージＤＣＩを通して共通ＰＤＳＣＨを指示するＵＥ支援型の場合についての別の例を図３４にて示す。
【０２０５】
チャネル設計−ページングインジケーターを備えた非スケジューリング物理チャネル
ＰＯの間に伝送される、スケジュールされていない物理チャネル、例えば、主要システム情報を搬送する新無線物理ブロードキャストチャネル（New  Radio-Physical  Broadcast  Channel：ＮＲ−ＰＢＣＨ）、または残りのシステム情報を搬送するＮＲセカンダリ物理ブロードキャストチャネル（NR-Secondary  Physical  Broadcast  Channel：ＮＲ−ＳＰＢＣＨ）は、いつＵＥまたはＵＥグループがページングされるかを指示するため、例えば、いつＮＲ−ＰＳＤＳＣＨ／ＮＲ−ＰＤＳＣＨがページングメッセージを搬送するかを指示するために使用されるページングインジケーター（ＰＩ）を通知するために使用され得る。スケジュールされていない物理チャネルは、全てのＵＥによってＰＯの間に監視され得る、例えば、ＳＩ変更またはブロードキャストウォーミングメッセージのための単一のＰＩを通知し得る。あるいは、スケジュールされていない物理チャネルは、複数のＰＩを通知し得、ここで、各ＰＩは、ＰＯの間にＵＥのサブセットによって監視され得、それによって、ＵＥが属するグループが（例えば、デバイスタイプ、サービスに基づいて）予め設定され得るか、またはネットワークによって動的に構成され得るＰＯ（例えば、ページンググループ）の間に、ＵＥのサブセットがページングされることを可能にする。ＰＩは、ＢＣＨにマップされ、ＮＲ−ＰＢＣＨによって伝送されるＮＲ−ＭＩＢに含まれ得る。あるいは、ＰＩは、ＤＬ−ＳＣＨにマップされ、ＮＲ−ＳＢＣＨによって伝送されるＮＲ−ＳＩＢに含まれ得る。
【０２０６】
あるいは、ＮＲページングインジケーターチャネル（NR  Paging  Indicator  Channel：ＮＲ−ＰＩＣＨ）がＰＩを通知するように規定され得る。マルチビームシステムにおけるページングの場合、ＮＲ−ＰＩＣＨはＳＳブロックの間に伝送され得るか、またはスイーピングの別の「ラウンド」がＮＲ−ＰＩＣＨの伝送のために使用され得る。ＳＳブロックの間にＮＲ−ＰＩＣＨが伝送されるシナリオでは、ＮＲ−ＰＩＣＨは、ＳＳブロックの間に伝送されるその他の物理チャネルと時間多重化または周波数多重化され得る。
【０２０７】
ＳＳブロックの間に実行される上位層シグナリングは、ＳＳブロックの間に伝送される物理チャネルにマップされる。図３５は、ＢＣＣＨがＮＲ−ＰＢＣＨおよび／またはＮＲ−ＰＳＤＳＣＨにマップされ、ＣＣＣＨがＮＲ−ＰＳＤＳＣＨにマップされ、かつＰＣＣＨがＮＲ−ＰＳＤＳＣＨにマップされる場合の一例を示す。ここで、例えば、最小限のＳＩがＢＣＨトランスポートチャネルにマップされ得、次に、このＢＣＨトランスポートチャネルがＮＲ−ＰＢＣＨにマップされ、それ以外のＳＩがＤＬ−ＳＣＨにマップされ得、次いで、このＤＬ−ＳＣＨがＮＲ−ＰＳＤＳＣＨにマップされる。ＣＣＣＨおよびＰＣＣＨを介して搬送されるシグナリング、例えば、ランダムアクセス応答（ＲＡＲ）メッセージ、ページングメッセージは、ＤＬ−ＳＣＨにマップされ、次に、このＤＬ−ＳＣＨはＮＲ−ＰＳＤＳＣＨにマップされる。
【０２０８】
図３６は、ＤＬ−ＳＣＨおよびＰＣＨトランスポートチャネルにマップされるいくつかのまたは全ての上位層シグナリングを搬送するのに使用され得るセカンダリＰＢＣＨを含むマッピングの一例を示す。
【０２０９】
図３７は、ＤＬ−ＳＣＨトランスポートチャネルにマップされるいくつかのまたは全ての上位層シグナリングを搬送するのに使用され得るセカンダリＰＢＣＨ、およびＰＣＨトランスポートチャネルにマップされる上位層シグナリングを搬送するのに使用され得るＮＲ−ＰＤＳＣＨを含むマッピングの一例を示し、図３８は、ＰＣＨトランスポートチャネルにマップされる上位層シグナリングを搬送するのに使用され得るＮＲ−ＰＩＣＨを含むマッピングの一例を示す。
【０２１０】
ＮＲ−ＰＳＤＳＣＨ／ＮＲ−ＰＤＳＣＨのスケジューリングのための他の代替としては、上位層（例えばＲＲＣ）を介した準静的スケジューリングまたは仕様に従う静的構成が挙げられるが、これらに限定されない。
【０２１１】
ＵＥはページングされた後、スケジュールされる物理チャネル（例えば、ＮＲ−ＰＤＳＣＨ）上のページングメッセージを監視するが、ここで、スケジュールされる物理チャネル、例えば、ＮＲ−ＰＤＳＣＨのスケジューリングについて監視するためのＤＬ時間リソースは、図１８に示すように、ＰＩを搬送するスケジュールされていない物理チャネル（例えば、ＮＲ−ＰＢＣＨ、ＮＲ−ＳＰＢＣＨ、またはＮＲ−ＰＩＣＨ）を伝送するために使用されるＤＬ時間リソースとの関連付けに基づき得る。関連付けは、（例えば、仕様に基づいて）予め定められ得るか、システム情報（ＳＩ）を介して通知されるセルパラメータとして構成され得るか、または専用のシグナリングを介して通知されるＵＥ固有パラメータとして構成され得る。ページングメッセージの伝送のために使用される周波数リソースが、ＵＥによって監視されるＤＬ時間リソースの間に伝送されるＤＬ制御チャネル（例えば、ＮＲ−ＰＤＣＣＨ）で通知される下りリンクリンク情報（ＤＣＩ）を使用して、動的に構成され得る。ＤＣＩは、ページングのために予め指定される無線識別子（例えば、ＮＲ−ＰＲＮＴＩ）を使用してＵＥに対してアドレス付けされ得る。あるいは、ページングのために予め指定される複数の無線識別子が規定され得、それによって、ページングメッセージが、ＰＯを共有する複数のＵＥ（例えば、ページンググループ）のサブセットに対してアドレス付けされることを可能にし、ここで、ＵＥが属するグループは（例えば、デバイスタイプ、サービス等に基づいて）予め設定され得るか、またはネットワークによって動的に構成され得る。
【０２１２】
チャネル設計−ＰＯバーストセット設計
ＮＲシステムでは、ＵＥは、ＤＲＸサイクル後に起動し、ページングフレーム（ＰＦ）内の自身のページングオケージョン（ＰＯ）を確認するが、その際、ページングサイクルは、ＤＲＸサイクルと関連付けられ、例えば、ＰａｇｉｎｇＣｙｃｌｅ＝ＤＲＸＣｙｃｌｅである。６ＧＨｚを上回る場合は、ビームスイーピングがページングカバレッジのために採用される。ＰＯバーストセットは、ＰＦ内のＰＯの間のスイーピングエリアをカバーするＰＯバーストのセットを含むものとして定義される。同様に、ＮＲ−ＳＳバーストセットは、スイーピングエリアをカバーするＮＲ−ＳＳバーストのセットである。したがって、ＰＦ内のＰＯの数Ｎｓは、ＰＯバーストセットの数Ｎｓ’と同じであり、例えば、Ｎｓ＝Ｎｓ’である。ＰＯバーストセット設計は、ＳＳバーストを伴って、または伴わずに本明細書にて開示される。
【０２１３】
チャネル設計−ＳＳバーストを伴うＰＯバーストセット
ＰＯ（例えばＰＦ内に割り当てられたＰＯ）内でＰＩ情報を搬送するＮＲ−ＰＤＣＣＨのリソースは、ＳＳバースト内で（例えば、主要システム情報を搬送する）ＮＲ−ＰＢＣＨまたは（例えば、残りのシステム情報を搬送する）ＮＲ−ＳＰＢＣＨによって、暗に、または明確に指示され得る。ＰＯ内でＰＩ情報を搬送するＮＲ−ＰＤＣＣＨが、ＳＳバーストセット内のＳＳビームスイーピングブロックに関連付けられる場合、ＰＯ内でＰＩを搬送するＮＲ−ＰＤＣＣＨの各リソースは、同一のビームを共有し得るか、またはＮＲ−ＳＳバーストをスイープするビームと関連付けられ得る。例えば、ＮＲ−ＳＳバーストセット周期が、セット２０ｍｓであり、各ＮＲ−ＳＳバーストセットがＮｂ個のブロックを使用する場合、Ｎｂ個のＮＲ−ＰＤＣＣＨブロックは、ＮＲ−ＳＳバーストセットと整列されるＰＯバーストセットを形成するためのＰＩを搬送し得る。ＰＩまたはページングメッセージを搬送するＮＲ−ＰＤＣＣＨ用ＤＭＲＳ（復調参照信号）構成は、ＮＩＤ（１）またはＮＩＤ（２）から導出されてよく、ここで、ＮＩＤ（１）は、ＮＲ−ＳＳＳ  ＩＤであり、ＮＩＤ（２）は、ＮＲ−ＰＳＳ  ＩＤ（新無線プライマリ同期信号）である。この場合の一例として、ＮＲ−ＰＢＣＨ用ＤＭＲＳは、ＰＩ搬送ＮＲ−ＰＤＣＣＨにも適用され得る。ＰＦ周期は、ＮＲ−ＳＳバーストセット周期のｎ倍であり得、ここで、ｎ＝１，・・・，ＮおよびＮは構成可能なものであり、ＤＲＸサイクル、例えば、Ｔ＝ｍｉｎ｛ＣｅｌｌＤＲＸｃｙｃｌｅ，ＵＥＤＲＸｃｙｃｌｅ｝に左右されるものであり得る。
【０２１４】
６４０ｍｓ周期を有するＰＦ（例えば、ページングサイクルに対する６４無線フレーム）の例を、図３９Ａ〜３９Ｃに図示する。この例では、ＵＥは、ＰＯ内でＰＩを搬送するＮＲ−ＰＤＣＣＨ用のリソース割り当てについて、（例えば、主要システム情報を搬送する）ＮＲ−ＰＢＣＨまたは（例えば、残りのシステム情報を搬送する）ＮＲ−ＳＰＢＣＨを監視し得る。ＮＲ−ＰＤＣＣＨを用いるＰＯ割り当て計算のために使用されるパラメータも、図３９Ａ〜３９Ｃに例示する。説明を簡単にする目的のためのこの例では、ＰＩ搬送ＮＲ−ＰＤＣＣＨのニューメロロジーは、ＮＲ−ＰＢＣＨまたはＮＲ−ＳＰＢＣＨと同一となるように設定され得る。
【０２１５】
図３９Ａおよび３９Ｂに示すように、同一のスイーピングエリアをカバーするために、ＰＯバーストセット長が、ＮＲ−ＳＳバーストセットと同一である場合、ＰＯバーストセット構成は、ＰＩ搬送ＮＲ−ＰＤＣＣＨがどこに割り当てられるか、またはＰＯがどこに割り当てられるかを指示することのみが必要である。ＮＲ−ＳＳバーストセット長が、システム構成によって変更された場合、ＰＯバーストセット長がＮＲ−ＳＳバーストセット長と同一の場合、ＵＥは、ＰＩを含むＰＯの間のバースト長としてＮＲ−ＳＳバーストセット長をそれに応じて使用してよい。各ＮＲ  ＰＯバーストセット周期がスイーピングエリアをカバーするための複数のサブフレームにわたり得るので、ＰＯの間のページングバーストセット、例えば、ＰＯバーストセット内の開始サブフレームをｐ＿ｓと示す。説明目的のために図に示すように、ページングバーストセットが、ＮＲ−ＳＳバーストセットと整列される場合、以下の特徴を伴うＰＯバーストセットを設計し得る。
【０２１６】
ページングフレーム内のページングサブフレームの数（ＮＳとして示される）は、ＮＳ∈｛１，２，・・・，Ｋ｝と設定され得る。
【０２１７】
ページングブロック、例えば、ＰＯバーストブロックは、ＮＲ−ＳＳブロックによって使用されるＯＦＤＭシンボルと同じかまたは少ない範囲にわたるが、ＮＲ−ＳＳブロックと同一のバーストブロック時間間隔を用いる。
【０２１８】
ページングバーストセット周期、例えばＰＯバーストセット周期は、対応するバーストブロックを通してスイープする場合、ＮＲ−ＳＳバーストセット周期と整列される。例えば、ＰＯバーストブロックとＦＤＭ（周波数分割多重化）されたＳＳブロックを用いる連続するサブフレームを図３９Ａに示し、ＰＯバーストブロックとＴＤＭ（時間分割多重化）されたＳＳブロックを用いる連続するサブフレームを図３９Ｂに示す。
【０２１９】
ＮＲ−ＳＳバーストセットの異なるバーストを通してスイープする、例えば、図３９Ｃに示すようなＰＯの間の不連続なサブフレームスイーピングの場合、ページングバーストセット周期、例えばＰＯバーストセット周期は、複数のＮＲ−ＳＳバーストセット周期でもあり得る。
【０２２０】
ＤＭＲＳは、ＰＤＣＣＨの中の全てのＤＣＩ用に設計され得、ＰＩを搬送するＤＣＩは、Ｐ−ＲＮＴＩ等のページングＩＤを用いてスクランブルされ得る。
【０２２１】
図３９Ａ、３９Ｂ、および３９Ｃでは、説明を簡単にするための類例として、ＮＲ−ＳＳバーストセット周期は２０ｍｓおよび６４０ｍｓのＰＦ周期と等しいと想定され得る。ＮＲ−ＳＳバーストセット長は、類例のように、スイーピングエリアをカバーするために２ｍｓであると想定され得、ＰＯバーストセット長は、図３９Ａおよび図３９Ｂに示すように、ＮＲ−ＳＳバーストセット長と同一であり得る。また、類例のように、（例えば、ＵＥが、ＰＦ内の１つのＰＯのみを監視する必要があるように）ＮＳは１と規定され、ＰＯの開始インジケーションｐ＿ｓは、０の値で例示される（例えば、ＵＥによってＰＩを用いてＰＯを監視するＵＥ用の開始サブフレームはサブフレーム０である。）。
【０２２２】
図３９Ａに関する注記を表２３に示す。
【表２６】
2020507980.tif 000031
【０２２３】
表２３の例では、サブフレームには、ｐ＿ｓ＝０が用いられ得る。各連続するスイーピングバーストセットは、全エリア、例えば、２サブフレームをカバーするために、２ｍｓであると想定される。フルカバレッジの場合は、ＰＯバーストセットの数＝ＰＦ内のＰＯの数（例えば、ＮＳ’＝ＮＳ＝１）である。各バーストはサブフレームに整合されるものであると想定される。１つのスイーピングバーストセット内で合計６＊ｍ個のブロックを用いる２つのスイーピングバーストが存在する。ＤＭＲＳポートは、全てのページングブロックにあるＰＩを搬送する全ての多重化ＤＣＩ用のＳＳＢ内のＰＢＣＨと共有され、ＰＩを搬送するＤＣＩは、Ｐ−ＲＮＴＩを用いてスクランブルされ得る。
【０２２４】
図３９Ｂに示すように、ＰＩ搬送ＮＲ−ＰＤＣＣＨは、ＮＲ−ＳＳブロックとＴＭＤ（時間分割多重化）され得る。ＰＯの間のＰＩ搬送ＮＲ−ＰＤＣＣＨが、ＮＲ−ＳＳブロックとＴＭＤされる場合、ＵＥは、ＰＩ搬送ＮＲ−ＰＤＣＣＨが、同一のＮＲ−ＳＳブロック、例えば、同一のビームまたは関連付けられたビームと関連付けられ得ると想定し得る。これは、ＵＥが別のＰＯバーストセット内でビームをさらに探索することなくＮＲ−ＰＤＣＣＨを素早く特定する助力となり得、したがって、ＵＥのＰＯ探索時間を減らして、バッテリ電力を節約し得る。加えて、ＮＲ−ＰＢＣＨ用のＤＭＲＳポートは、ＰＩ搬送ＮＲ−ＰＤＣＣＨと共有され得る。以下は概要である。
【０２２５】
ＰＯの間のＰＩ搬送ＮＲ−ＰＤＣＣＨは、図３９Ａに示すように、ＮＲ−ＳＳブロックとＦＤＭされるか、または、図３９Ｂに示すように、ＮＲ−ＳＳブロックとＴＤＭされ、ＳＳＢとＰＩ搬送ＮＲ−ＰＤＣＣＨとの間の関連付けに基づくＵＥ探索時間と電力を節約し得る。
【０２２６】
ＰＯの間のＰＩ搬送ＮＲ−ＰＤＣＣＨが、図３９Ａまたは図３９Ｂに示すように、ＮＲ−ＳＳブロックとＦＤＭまたはＴＤＭされる場合、ＮＲ−ＰＢＣＨ用のＤＭＲＳポートは、ＰＩ搬送ＮＲ−ＰＤＣＣＨと共有され得るが、これは、それらが、ＦＤＭされる場合は同一ビームを共有し得るか、ＴＤＭされる場合は同一または異なるビームと共有し得るためである。ＳＳＢのＳＳＢビームおよびページングブロックのＰＩビームは、ＴＤＭされる場合はＱＣＬ（準同一位置）特性を用いて関連付けられ得る。ＰＩ搬送ＮＲ−ＰＤＣＣＨとＮＲ−ＰＢＣＨとが１つのスロット内でインターリーブされる場合、ＮＲ−ＰＢＣＨ用のＤＭＲＳポートは、ＰＩ搬送ＮＲ−ＰＤＣＣＨと共有され得る。
【０２２７】
チャネル設計−ＳＳバーストを伴わないＰＯバーストセット
ＰＩ搬送ＮＲ−ＰＤＣＣＨ用のビームスイーピングバーストセットは、ＮＲ−ＳＳバーストと独立し得、例えば、ページングバーストブロックは、時間においてＳＳブロックと１対１でマップされない。ＰＩ搬送ＮＲ−ＰＤＣＣＨ用のビームスイーピングバーストセットおよびその割り当てられるリソースは、システム情報（ＳＩ）によって構成され得る。ＳＩは、主要システム情報を搬送するＮＲ−ＰＢＣＨ、または残りのシステム情報を搬送するＮＲ−ＳＰＢＣＨによって搬送され得る。ＰＯバーストセットがＮＲ−ＳＳバーストと独立する、例えば、図３９Ａまたは図３９Ｂに示すように、時間において１対１で整列されない場合は、ＰＯバーストセットは、例えば、ＯＦＤＭシンボルの数、バーストセット構造、および周期等、それ自体固有の構成を有し得る。図４０Ａ〜４０Ｃは、ＰＯバーストセットがＮＲ−ＳＳバーストセットと独立する場合の一例を示す。図４０Ａ〜４０Ｃでは、ＰＯバーストセット内のＰＯブロックは、連続であっても不連続であってもよく、例えば、図４０Ｂ〜４０Ｃに示すように、各ページングブロックの間に少なくとも１つのＯＦＤＭシンボルが存在する。
【０２２８】
ＰＯバーストセットは、一例として、１つまたは複数の以下の特徴を用いて設計され得る。
【０２２９】
開始インジケーションｐ＿ｓが、ＰＯバーストセットの間の開始サブフレームを規定する。隣接するＰＯバーストセットの開始サブフレームの間の最小距離は、ＰＯバーストセット長よりも大きい。例えば、ＰＯバーストセット長が、ｘｍｓに規定される場合は、｜ｐ＿ｓ（ｉ）−ｐ＿ｓ（ｊ）｜≧ｎｘ、∀ｉ≠ｊであり、ｎは正整数であり、ｘはＰＯバーストセット長である。
【０２３０】
ＰＯブロックごとのＯＦＤＭシンボルの数は、１つ、または２つ以上であり得、ＰＯブロックは連続であっても不連続であってもよい。
【０２３１】
ページングフレーム内のページングサブフレームの数（ＮＳと示す）は、１よりも大きく設定され得る。例えば、ＮＳ∈｛１，２，・・・，Ｋ｝である。ＮＳの値は構成可能であり、ＰＯバーストセット構造に依存し得る。例えば、ＰＯバーストセット長が、（例えば、図３９Ａ〜３９Ｃ、図４０Ａ〜４０Ｃにて、ｘ＝２ｍｓと例示される）スイーピングエリアをカバーするために、ｘｍｓと設定される場合、
【数１】
2020507980.tif 000032
であり、ここで、ＴＰＦは、ページングフレーム長（例えば、図４０Ａ〜４０Ｃにて例示するように、ＴＰＦ＝１０ｍｓ）である。
【０２３２】
ＤＬ、ガード、およびＵＬシンボルの数は、スロット内で構成可能である。
【０２３３】
ＤＭＲＳは、ポート番号等の構成パラメータを含み得る。
【０２３４】
図４０Ａ〜４０Ｃでは、説明を簡単にする目的のために、ＮＲ−ＳＳバーストセット周期は２０ｍｓおよび６４０ｍｓのＰＦ周期と等しいと想定され得る。ＰＯバーストセット長は、４６Ａにて例示するように、連続するサブフレームスイーピングを有する２ｍｓに設定され得るか、または、図４０Ｂに例示するように、不連続なサブフレームスイーピングを有する３ｍｓに設定され得る。ＮＳは、図４０Ａにて例示するように、３に設定され得、例えば、ＰＦ内に３つのＰＯが存在する。ＰＯの開始インジケーションｐ＿ｓは、０、４、または８で例示され、例えば、ＰＯのＰＩを探索するための開始サブフレームは、この例では、サブフレーム０、４、または８である。図４０Ｂでは、ＮＳは２に設定され、例えば、ＰＦ内に２つのＰＯが存在する。ＰＯの開始インジケーションｐ＿ｓは、０、および５に設定され、例えば、自身のＰＯのＰＩをＵＥが探索するための開始サブフレームは、この例では、サブフレーム０、または５である。
【０２３５】
前述したように、ＵＥが、長いＤＲＸサイクルの後に、ＰＯのＰＩ搬送ＮＲ−ＰＤＣＣＨの探索を開始するために起動するときに、ＵＥは、ＤＲＸサイクル前に確立されたビームペアリンクを損失する可能性がある。これにより、ＮＲ−ＳＳバーストセットを介して、例えば、ＳＳＢを搬送する最良のビームを検出または選択するビームトレーニングを実行する必要があり得る。ＰＯバーストセットの間のこれらのＰＩ搬送ＮＲ−ＰＤＣＣＨが、ＳＳバーストセット内のＮＲ−ＳＳブロックによって指示され得る場合は、ＵＥのＮＲ−ＰＤＣＣＨ探索時間の節約を助け、したがって、電力、例えば、ＳＳブロックとページングブロックとの間の関連付けを節約し得る。
【０２３６】
図４０Ｃにて示すように、ＮＲ−ＳＳブロックは、対応するＰＩ搬送ＮＲ−ＰＤＣＣＨの場所を指示し得る。例えば、ＴＳＳ（第３の同期信号、例えば、ＰＳＳおよびＳＳＳに加えて第３の信号）が、ＮＲ−ＳＳにおいて使用され、タイミング情報が搬送される場合、ＴＳＳはインジケーションの１つとして使用され、ＰＩ搬送ＮＲ−ＰＤＣＣＨの場所を指示し得る。これにより、ＵＥがＰＯバーストセットの全てを探索することなくＮＲ−ＰＤＣＣＨを素早く特定することを助力し得、したがって、ＵＥ探索時間およびバッテリ電力を節約し得る。関連付けられたＰＩ搬送ＮＲ−ＰＤＣＣＨのインジケーションの別の実施形態は、ＮＲ−ＰＢＣＨ（例えば、主要システム情報を搬送する第１の物理ブロードキャストチャネル）またはＮＲ−ＳＰＢＣＨ（例えば、残りのシステム情報を搬送する第２の物理ブロードキャストチャネル）を用いて設計され得、ここで、ＮＲ−ＰＢＣＨまたはＮＲ−ＳＰＢＣＨは、ＰＩ搬送ＮＲ−ＰＤＣＣＨのために、関連付けられたビームおよび時間の割り当てを指示する。
【０２３７】
ＵＥ支援を伴わないページング
ページングは、ＵＥ向けのＰＯ内でビームスイーピングの形態で行われ得る。ｇＮＢは、ビームをわたってページングインジケーション（ＰＩ）を搬送するページングＤＣＩをスイープし得、各ＤＣＩは、ページングされるＵＥ  ＩＤを用いてページングメッセージをスケジュールし得る。
【０２３８】
図４１Ａ〜４１Ｅは、ページングＤＣＩ／メッセージとＳＳＢとの間の多重化およびＱＣＬの例、図４１Ａに、ＳＳＢを先導するページングＣＯＲＥＳＥＴを用いるＴＤＭ、図４１Ｂに、ＳＳＢに追従するページングＣＯＲＥＳＥＴを用いるＴＤＭ、図４１Ｃに、ＳＳＳに隣接するリソースを占めるページングＣＯＲＥＳＥＴを用いるＦＤＭ、図４１Ｄに、異なるＰＲＢ内でページングＣＯＲＥＳＥＴを用いるＦＤＭ、および、図４１Ｅに、ページングＤＣＩスイープに続く別々のＰＤＳＣＨ割り当て、を示す。
【０２３９】
例えば、ページングＤＣＩは、少なくとも２つの方法で伝送され得る。第１に、ＰＢＣＨを通るＲＭＳＩ用のＣＯＲＥＳＥＴで構成される。ＵＥは、ＳＳＢとページングＣＯＲＥＳＥＴとの間のＱＣＬを想定し得る。図４１Ａおよび図４１Ｂは、ページングＣＯＲＥＳＥＴがＱＣＬされるＳＳＢを先行するまたは追従する場合でＳＳＢとのＴＤＭで伝送されるビームによるスイープを示す。図４１Ｃおよび図４１Ｄは、ページングＣＯＲＥＳＥＴリソースがＳＳＳの縁部の周りに分配され、ＦＤＭされたＰＲＢが別々に切り離された状態である場合でＳＳＢとのＦＤＭで伝送されるビームによるスイープを示す。
【０２４０】
第２に、ページングＤＣＩの伝送のために、別のＣＯＲＥＳＥＴ（ＲＭＳＩ用のＣＯＲＥＳＥＴとは異なる）がＳＩによって構成される。この場合、ＳＩは、このページングＣＯＲＥＳＥＴとＳＳＢ等の他の信号とのＱＣＬ関係を提供し得る。図４１Ｅに示すように、ＣＯＲＥＳＥＴスイープが行われ、続いてページングメッセージを搬送するＰＤＳＣＨを通してスイープが行われ得る。ＣＯＲＥＳＥＴ用のニューメロロジーは、ＳＩを通して明確に構成され得るか、またはＳＩを構成するのと同じものであり得る。
【０２４１】
空間的ＱＣＬのインジケーションは、ページングＰＤＣＣＨを受信するために十分であり得る。
【０２４２】
例えば、ページングメッセージは、少なくとも３つの方法でスケジュールされ得る。図４１Ａ〜４１Ｅおよび図４２は、ページングメッセージのスケジューリングの概念を示す。第１に、いずれのページングＤＣＩも、ページングメッセージ用に、それ自体のリソースをスケジュールし得る。図４１Ａ〜２６Ｅは、ＰＤＳＣＨがページングＤＣＩとＱＣＬである場合の例を示す。
【０２４３】
第２に、スイープ内の複数のページングＤＣＩは、ページングメッセージ用の共通リソースセットを指示し得る。ページングメッセージは、セルエッジのＵＥが受信できるように、十分に低い符号化速度（高レートマッチング）で、マルチキャストの方式で伝送され得る。図４２は、ＰＤＳＣＨとＳＳＢまたはページングＣＯＲＥＳＥＴとのＱＣＬ関係を、ＤＣＩが指示する場合の一例を示す。
【０２４４】
ページングメッセージをスケジュールする第３の方法は、ページングメッセージが、ＰＯ内で、またはＰＯ以外のリソースでスケジュールされる場合であり、例えば、ページングメッセージＤＣＩは、ＵＥがその中で自身のページングＤＣＩを監視するスロット以外でページングメッセージのクロススロットスケジューリングを実行し得る。
【０２４５】
ＬＴＥでは、ＤＣＩをスクランブルし、ページングインジケーション（ＰＩ）を搬送するＤＣＩを特定するために使用されるＰ−ＲＮＴＩは、固定値０ｘＦＦＦＥである。ページングスイープのオーバーヘッドを低減するために、複数のＰ−ＲＮＴＩ値が適合され得、その結果、ページングインジケーション（ＰＩ）ＣＯＲＥＳＥＴが、異なるＵＥに対する異なるＰ−ＲＮＴＩ値を備える２つ以上のＰＩ  ＤＣＩを制約し得る。ＵＥは、Ｐ−ＲＮＴＩｘ（式中、ｘ＝ＵＳ−ＩＤｍｏｄｎ（ｎ＝２，３，４，ｅｔｃ．）を用いて異なるＰ−ＲＮＴＩにマップされ得る。
【０２４６】
例えば、ｎ＝２の場合、仕様によって予め指定されるか、もしくはＳＩまたはＲＲＣシグナリングによって静的に構成されるような、例えば、Ｐ−ＲＡＮＴＩ０＝０×ＦＦＦＡ、Ｐ−ＲＡＮＴＩ１＝０×ＦＦＦＢ、Ｐ−ＲＡＮＴＩ２＝０×ＦＦＦＣ、およびＰ−ＲＡＮＴＩ３＝０×ＦＦＦＤの４つの異なるＰ−ＲＮＴＩ値が存在する。自身のＩＤの最後が「００」のＵＥにはＰ−ＲＡＮＴＩ０を使用し、「０１」のＵＥにはＰ−ＲＮＴＩ１を使用し、「１０」のＵＥにはＰ−ＲＮＴＩ２を使用し、「１１」のＵＥにはＰ＿ＲＮＴＩ３を使用する。１つのＰＩ  ＣＯＲＥＳＥＴが共通探索領域またはページング共通探索領域に割り当てられる場合は、個別のＵＥそれぞれに対して、Ｐ−ＲＮＴＩ０、Ｐ−ＲＮＴＩ１、Ｐ−ＲＮＴＩ２、およびＰ−ＲＮＴＩ３を用いてスクランブルされたＰＩ  ＤＣＩが存在する。複数のＰＩ  ＣＯＲＥＳＥＴが共通探索領域またはページング共通探索領域に割り当てられる場合は、１つまたは２つ以上のＰ−ＲＮＴＩは、ＵＥのブラインド探索オーバーヘッドを低減するために、ＰＩ  ＣＯＲＥＳＥＴを形成し得る。例えば、１つのＰＩ  ＣＯＲＥＳＥＴは、Ｐ−ＲＮＴＩｉおよびＰ−ＲＮＴＩｊによってスクランブルされたＰＩ  ＤＣＩを含み、その他のＰＩ−ＣＯＲＥＳＥＴは、Ｐ−ＲＮＴＩｋおよびＰ−ＲＮＴＩｌによってスクランブルされたＰＩ  ＤＣＩを含み、式中、ｉ≠ｊ≠ｋ≠ｌである。４つのＰ−ＲＮＴＩを用いると、各ＰＩ  ＤＣＩシンボルが、４つの個別のＰ−ＲＮＴＩ値を用いてそれぞれスクランブルされた４倍のＰＩ  ＤＣＩを含み得るので、ＰＩスイーピングは４倍低減され得る。
【０２４７】
ページングＣＯＲＥＳＥＴ構成
ＵＥは、特に明確に指示がない限り、選択されたＮＲ−ＳＳブロックと、ページングＤＣＩ用のＣＯＲＥＳＥＴとの、例えば、ＣＯＲＥＳＥＴのＤＭＲＳとの、およびページングメッセージ用のＤＭＲＳとの間の空間的ＱＣＬ関係を想定し得る。ＵＥは、選択されたＮＲ−ＳＳブロックを搬送するビームを受信するために使用されるＲｘアンテナビームを再利用して、ページングＤＣＩ  ＣＯＲＥＳＥＴ（例えば、本明細書においてはページングＣＯＲＥＳＥＴ）およびページングメッセージを受信し得る。ＵＥは、ページングＣＯＲＥＳＥＴおよびページングメッセージが、選択されたＮＲ−ＳＳブロックとＱＣＬされることに加えて、平均利得、平均遅延、遅延分散、ドップラーシフトおよびドップラースプレッド等の１つまたは複数の広域パラメータを推測し得る。
【０２４８】
ページングＤＣＩ  ＣＯＲＥＳＥＴと選択されたＮＲ−ＳＳブロックとの関連付けは、仕様で予め定められ得るか、もしくはＳＩまたはＲＲＣシグナリングを介してネットワークによって指示され得る。ページングＤＣＩ  ＣＯＲＥＳＥＴと選択されたＮＲ−ＳＳブロックとの関連付けは、図４３Ａ〜４３Ｃに示すように、以下の選択肢のうち１つを用いて指示され得る。
【０２４９】
第１の手法では、ページングＤＣＩ  ＣＯＲＥＳＥＴはＮＲ−ＳＳブロックのＰＢＣＨによって指示され得る。ＵＥは、以下の代替を用いて、選択されたＮＲ−ＳＳブロックのＰＢＣＨを復号することによってページングＤＣＩ  ＣＯＲＥＳＥＴの構成を入手し得る。
【０２５０】
一実施形態では、ｇＮＢが、ＰＢＣＨで関連付けられたページングＤＣＩ  ＣＯＲＥＳＥＴを指示し得る。関連付けの一例を図４３Ａに示す。
【０２５１】
別の実施形態では、ｇＮＢは、関連付けられたページングＤＣＩ  ＣＯＲＥＳＥＴとＲＭＳＩ（残りの最小システム情報）ＤＣＩ  ＣＯＲＥＳＥＴとを共に指示し得る。関連付けの一例を、以下の代替案と共に図４３Ｂに示す。一態様によれば、ｇＮＢは、ＲＭＳＩ  ＤＣＩおよびページングＤＣＩに対するそれぞれの２つＣＯＲＥＳＥＴを連帯的に構成してよく、例えば、ＳＳブロック＃０との関連付けを、図４３Ｂに例示する。さらに別の態様によれば、ｇＮＢは、ＲＭＳＩ  ＤＣＩおよびページングＤＣＩの両方に対して１つＣＯＲＥＳＥＴを連帯的に構成してよく、例えば、ＳＳブロック＃１との関連付けを、図４３Ｂに例示する。
【０２５２】
第２の手法では、ページングＣＯＲＥＳＥＴは、ＲＭＳＩによって指示され得る。ｇＮＢは、ＰＢＣＨを使用して、ＲＭＳＩペイロードを搬送するＰＤＳＣＨを指し示す関連付けられたＲＭＳＩ  ＤＣＩ  ＣＯＲＥＳＥＴを指示する。ＵＥは、ＲＭＳＩを搬送するＰＤＳＣＨを復号することによって、選択されたＮＲ−ＳＳブロックに関連付けられたページングＤＣＩ  ＣＯＲＥＳＥＴの構成を取得し得る。一例を図４３Ｃに示す。
【０２５３】
ページングＤＣＩ  ＣＯＲＥＳＥＴは、スロットの制御領域、例えば、最初の１〜３シンボル内にあり得ることを留意されたい。ページングＤＣＩ  ＣＯＲＥＳＥＴは、一例として、スロット内の最初の１〜３シンボル制御領域以外の、１４シンボルスロットのうち４番目〜１４番目のシンボルにも割り当てられ得る。ページングＤＣＩ  ＣＯＲＥＳＥＴは、制御領域以外にスケジュールされると、ＬＴＥにおけるｅＰＤＣＣＨのようにＮＲ−ＰＤＳＣＨ上でＤＣＩピギーバックされ得るか、またはページング用のＰＤＣＣＨおよびＰＤＳＣＨの両方を含むミニスロット内のＤＣＩ  ＣＯＲＥＳＥＴであり得る。ページングＤＣＩ  ＣＯＲＥＳＥＴは、同一または異なる周波数位置で、ＳＳブロックとＴＤＭ（例えば、異なるシンボルにおいて時間分割多重化）されるか、ＳＳブロックとＳＤＭ（例えば、異なるビーム上で空間分割多重化）され得るが、ページングＤＣＩ  ＣＯＲＥＳＥＴは、異なる周波数位置でのＳＤＭとの組み合わせを用いて、また用いずに、ＦＤＭ（例えば、周波数における異なる物理リソースブロックでの周波数分割多重化）もされ得る。
【０２５４】
ページングＤＣＩ  ＣＯＲＥＳＥＴのインジケーションは、以下の特性のうち１つまたは複数を含み得る。（ｉ）ページングＤＣＩ  ＣＯＲＥＳＥＴの周波数リソース割り当て。例えば、ＰＲＢ（物理リソースブロック）の数またはＲＥ（リソースエレメント）の数等。（ｉｉ）ページングＤＣＩ  ＣＯＲＥＳＥＴの周波数位置。例えば、関連付けられたＮＲ−ＳＳブロックに対応するページングＤＣＩ  ＣＯＲＥＳＥＴの周波数オフセット、または開始ＰＲＢ（例えばシステム参照ＰＲＢ０）に対応するページングＤＣＩ  ＣＯＲＥＳＥＴの周波数オフセット。（ｉｉｉ）ページングＤＣＩ  ＣＯＲＥＳＥＴのシンボル位置。例えば、ＣＯＲＥＳＥＴに対応するスロット内の連続するまたは不連続のＯＦＤＭシンボルインデックスのセット、またはＣＯＲＥＳＥＴの開始シンボルのインデックス、およびシンボル数であるＣＯＲＥＳＥＴの時間長。（ｉｖ）ＵＥ用のＰＯ内のページングＤＣＩ  ＣＯＲＥＳＥＴのスロット位置。例えば、選択されたＳＳブロックに対応するページングＤＣＩ  ＣＯＲＥＳＥＴの時間オフセット、またはスロットの総数のうちＰＯの開始スロットに対応するページングＤＣＩ  ＣＯＲＥＳＥＴの時間オフセット。
【０２５５】
自身のＰＯ位置内（例えば、ページングインジケーション監視ウインドウ）で、ＵＥは、選択されたＳＳブロックにおけるページングＤＣＩ  ＣＯＲＥＳＥＴ構成、例えば、ＳＳＢとの関連付けを介して、ページングＤＣＩ  ＣＯＲＥＳＥＴの正確な時間および周波数位置を決定し得る。ページングＤＣＩ  ＣＯＲＥＳＥＴは、以下の方法のうち１つを用いて構成され得る。
【０２５６】
第１の選択肢では、ルックアップテーブルが、構成インデックスのリストと共に適用されてよい。各インデックスは、ページングＤＣＩ  ＣＯＲＥＳＥＴ割り当て特性の予め定められた構成のセットを表す。
【０２５７】
第２の選択肢では、ｇＮＢが、各ページングＤＣＩ  ＣＯＲＥＳＥＴ割り当てを個別に構成し得る。例えば、各ページングＤＣＩ  ＣＯＲＥＳＥＴ割り当て特性は、構成インデックスリストの個別のテーブルを有してよい。
【０２５８】
第３の選択肢では、ｇＮＢが、いくつかのページングＤＣＩ  ＣＯＲＥＳＥＴ割り当て特性を共に構成してよく、その一方で、その他のものは個別に構成される。例えば、ｇＮＢは、帯域幅および周波数特性を１つのルックアップテーブルを用いて一緒に構成してよく、その一方で、スロットおよびシンボル等のその他のものは、別々に構成される。
【０２５９】
ページングＤＣＩ  ＣＯＲＥＳＥＴの割り当て特性は、明確にまたは暗に構成され得ることを留意されたい。例えば、いくつかの特性は、ＳＳブロック内で、ＰＢＣＨによって搬送されるページングＤＣＩ  ＣＯＲＥＳＥＴインジケーションによって明確に構成されてよく、その他のものは、仕様で予め定義されるか、または予め構成されるＰＢＣＨとの一定の関係によって指示された特性、例えば、ＤＭＲＳポートによるＱＣＬ特性から導出されてよい。
【０２６０】
１つのＳＳブロックによって指示されるページングＤＣＩ  ＣＯＲＥＳＥＴは、異なるＤＲＸ起動タイマおよび異なるＰＯバーストセット（例えば、各ＵＥのＰＯ割り当て）を用いて、同一のＳＳブロックを選択した全てのＵＥに対して適用することができる。一例を、図４４Ａ〜４４Ｃに示し、ここで、ＵＥ１およびＵＥ２の両方は、最良のビームとしてＳＳブロック＃０を搬送するビームを選択する。ＵＥ１およびＵＥ２は、例えば、ＳＳブロック＃０内のＰＢＣＨから、同一のページングＣＯＲＥＳＥＴ構成を復号し、次いで、各ＵＥ向けのＰＯバーストセットの異なる開始位置に基づいて、ＵＥ１およびＵＥ２は、異なるＰＯバーストセット内の異なる時間と周波数位置を用いて、関連付けられたページングＤＣＩ  ＣＯＲＥＳＥＴを決定してよい。
【０２６１】
ＵＥの観点から、ＳＳバーストセット周期とＰＯバーストセット周期が異なる場合は、ＳＳブロックとページングＤＣＩ  ＣＯＲＥＳＥＴとは、異なる関連付けマッピングを有し得る。ＳＳブロックとページングＤＣＩ  ＣＯＲＥＳＥＴとの間の関連付けは、以下の選択肢のうち１つのものであってよい。
【０２６２】
一実施形態は、１対１マッピングである。１つのページングＤＣＩ  ＣＯＲＥＳＥＴが、１つのＵＥに対して１つのＳＳブロックに関連付けられる。これは、ＳＳバーストセットとＰＯバーストセットとが同一周期を有するときのシナリオに適用し得る。一例を図４５Ａに示し、この場合、ＳＳバーストセットとＰＯバーストセットとが、ＴＤＭされるか、または時間においてインターリーブされる。ＳＳバーストセットとＰＯバーストセットとは、さらにＦＤＭされるか、周波数においてインターリーブされる。
【０２６３】
別の実施形態は、１対複数マッピングである。複数のページングＤＣＩ  ＣＯＲＥＳＥＴが、１つのＵＥに対して１つのＳＳブロックに関連付けられる。これは、ＳＳバーストセット周期がＰＯバーストセット周期よりも大きい場合のシナリオに適用され得る。このシナリオでは、ＳＳブロックは、異なるＰＯスイーピング内の同一のビームで搬送される関連付けられたページングＤＣＩ  ＣＯＲＥＳＥＴの構成を指示し得る。一例を図４５Ｂに示す。
【０２６４】
別の実施形態は、複数対１マッピングである。１つのページングＤＣＩ  ＣＯＲＥＳＥＴが、１つのＵＥに対して複数のＳＳブロックに関連付けられる。これは、ＳＳバーストセット周期がＰＯバーストセット周期よりも小さい場合のシナリオに適用され得る。このシナリオでは、異なるＳＳバーストセット内で、同一のビームによって搬送される同一ＳＳブロックが、同一のページングＤＣＩ  ＣＯＲＥＳＥＴ構成を指示し得る。一例を図４５Ｃに示す。後方のＳＳブロックで指示される構成が、その前のものと異なる場合は、後方のものはページングＤＣＩ  ＣＯＲＥＳＥＴを復号するためにＵＥによって使用される。
【０２６５】
ミニスロットベースのＰＯバースト
ＮＲページング容量をさらに向上させるために、例えば、スロットベースのスイーピングが使用される場合と比べてより少ないＯＦＤＭシンボルを用いるビームスイーピングラウンドを達成すること、無線フレーム内により多くのページングオケージョン（ＰＯ）バーストセットを詰め込むこと等、およびページングメッセージサイズに従って利用可能なリソースエレメントを効率的に利用するために、ミニスロットベースのページングが使用され得る。ＮＲでは、例えば、スロットが１４シンボルから構成され、同時にミニスロットが、２、４、または７シンボルから構成され得る。ミニスロットベースのスイーピングにより、ビームは、より頻繁にスイープされ得、例えば、ビームスイーピングのためにより多くのシンボルが割り当てられ得る。本明細書にて開示した実施例のうちの１つでは、ビームは２シンボルごとにスイープされ得、これによって、スロットベースのスイーピングが使用される場合に比べてＰＯバーストセット長を低減する。
【０２６６】
ミニスロットベースのページングの場合、ＵＥは、以下の２つの選択肢に基づくグループ共通ＰＤＣＣＨ、ＮＲ−ＰＤＣＣＨ、またはミニスロットＰＤＣＣＨにわたってページングインジケーション（ＰＩ）ＤＣＩを監視し得る。第１の選択肢は、ミニスロットリソースがその中でページングメッセージ（Paging  Message：ＰＭ）のみを搬送する非自動指示ミニスロットの場合であり、これらのリソースは、スロットの中のグループ共通ＰＤＣＣＨまたはＮＲ  ＰＤＣＣＨ内で搬送されるＰＩ（例えば、ページングＤＣＩ）によって指示される。この選択肢では、チャネル推定およびデータ復号のために、ミニスロットＰＤＳＣＨ内にＤＭＲＳが構成され得る。また、ＤＭＲＳは、検出されたＳＳＢとＱＣＬされてよく（ＵＥは、空間的なＱＣＬの場合、ＰＭを受信するために選択されたＳＳＢの同一のＲｘビームを使用し得る）、ＵＥはさらにＤＭＲＳ  ＱＣＬ特性、例えば、仕様または事前構成によるＱＣＬされたＤＭＲＳポートに基づくＰＭを搬送するミニスロットを発見し得る。その一方で、第２の選択肢では、自動指示ミニスロットと呼ばれるミニスロットは、ＰＩ用のページングＤＣＩに続いて、ＰＤＳＣＨ内のスケジュールされたページングメッセージを含む。この選択肢では、単一のミニスロットが、複数のＵＥ、例えば、グループベースＰＯをページングするのに使用される等、いくつかのシナリオにて使用されてよく、このグループベースＰＯ内で、ページングＤＣＩは、割り当てられた時間リソースまたは周波数リソースに対して別々のＵＥを指し示し、それらのメッセージを搬送する。また、単一のＵＥ、例えば、ＵＥベースのＰＯをページングし、そのページングメッセージがミニスロットＰＤＳＣＨサイズに比べて小さい場合は、ページングＤＣＩは、複雑なブラインド復号を回避するためにミニスロットのＰＤＳＣＨ内部のメッセージ位置を直接指示する。
【０２６７】
スロット内のページングミニスロット構造、例えば、そのサイズ、位置、およびパターン、自動指示かまたは非自動指示か等が、１つまたは複数の下記の４つの選択肢によって構成され得る。第１の選択肢では、関連付けられたＮＲ−ＳＳブロックのＮＲ−ＰＢＣＨは、暗にＱＣＬされたＤＭＲＳポートを介して、または明確にＮＲ−ＰＢＣＨペイロードで使用され得る。ＲＭＳＩまたはＯＳＩ等のＳＩを使用することが、第２の選択肢である。さらに、第３の選択肢では、専用のＲＲＣメッセージが使用され得る。あるいは、第４の選択肢として、グループ共通ＰＤＣＣＨまたはＵＥのＰＤＣＣＨが適用され得る。
【０２６８】
ミニスロットを用いる時間領域ＰＤＳＣＨ割り当てリソース（例えば、ページングメッセージ）は、以下の選択肢のいずれかに従うそれ自体の開始および終端シンボルを決定することによって構成され得る。
【０２６９】
開始シンボルは、スロット内のミニスロットの開始シンボルの参照によって決定され得、それがどのスロットに適用されるかが、ＵＥに知らされる。あるいは、参照は、それが含まれるページングメッセージのためのグループ共通ＰＤＣＣＨまたはＮＲ−ＰＤＣＣＨの先頭からのシンボル番号であってよい。
【０２７０】
終端シンボルは、スロット内のミニスロットの終端シンボルの参照によって決定され得、それがどのスロットに適用されるかが、ＵＥに知らされる。あるいは、終端シンボルは、その開始シンボルからの、またはミニスロットの開始シンボルからのシンボル群内のシンボルの数またはシンボル長によって規定され得る。
【０２７１】
ミリ波周波数帯では、ＰＯバーストがスロットベースのＰＯバーストよりもある程度迅速にスイーピングエリアをカバーすることを可能にするように様々なミニスロット構成がサポートされ得る。図では、例えば、サブキャリア間隔が、１２０ｋＨｚと等しい、ＯＦＤＭニューメロロジーμ＝３用の構成が例示されている。しかし、以下の３つの選択肢も、例えば、２４０、４８０ｋＨｚ等の他のサブキャリア間隔にも容易に適用され得る。
【０２７２】
選択肢１では、ＰＯバーストは、ＮＲ−ＳＳバーストとインターリーブされる。このようなインターリーブは、以下の３つの可能な代替のいずれかの形態を取り得る。
【０２７３】
代替１では、ページングスイープを定着するために、複数のビームがその中で同一または異なる時間／周波数リソースにわたってページングされる空間分割多重化（ＳＤＭ）ＰＯバーストが、適用され得る。図４６Ａ〜４６Ｃに示すように、μ＝３の場合、一例として、ページングミニスロット挿入のためにＮＲ−ＳＳブロック空きスロットを活用する。例えば、８つの異なるビームのＰＩ／ＰＭが、８つのミニスロットで搬送され得る。各ミニスロットの幅は最小２ＯＦＤＭシンボルに設定され、それにより、任意の許可された上りリンク伝送に加えて、３ＯＦＤＭシンボル幅を用いるグループ共通ＰＤＣＣＨまたはＰＤＣＣＨのために空きリソースを残す。ここでは、グループ共通ＰＤＣＣＨおよび／またはＰＤＣＣＨを３に等しいと設定することにより、ＰＯミニスロット用に利用可能なリソースに関して最も制限的なシナリオを提示する。グループ共通ＰＤＣＣＨおよび／またはＰＤＣＣＨが、３ＯＦＤＭシンボルよりも少なく占める場合は、より多くのＰＯミニスロットが詰め込まれ、より多くのビームがスイープされ得る。図４６Ａ〜４６Ｃに図示するように、ＰＯバーストは、時間、周波数、空間において多重化され、ネットワーク構成および利用可能なＢＷに応じて、時間と空間のみ、または周波数と空間のみによって多重化され得る。一例として、代替１を用いて、一例としてのカバレッジエリアに対して、６４個のビームにわたってスイープする全ＮＲ−ＳＳおよびＰＯバーストセットは、半分の無線フレーム周期、例えば５ミリ秒で実現可能である。
【０２７４】
代替２では、ＮＲ−ＳＳブロックがその中で送信される同一のビームを介して、ＰＩ／ＰＭが送信されることを指示する非ＳＤＭ  ＰＯバーストである。一例として図４７Ａ〜４７Ｃにて示すように、ＰＩ／ＰＭは、ＳＳブロックと同様に単一ビームを介して送信される。したがって、各ＮＲ−ＳＳブロック空きスロットは、３ＯＦＤＭシンボルグループ共通ＰＤＣＣＨまたはＰＤＣＣＨ、および上りリンク伝送のために十分なリソースを残しながら、４つのビームのＰＯバーストをカバーする、４つ未満の２ＯＦＤＭシンボルミニスロットを搬送し得る。ＰＯバーストセットを完了するため、かつ一例としてのカバレッジエリアに対して６４個のビームを介してＰＯをスイープするために、以下の例のうち１つが適用され得る。例１は、図４７Ａ〜４７Ｃに示すように、５ミリ秒よりも大きい周期のＮＲ−ＳＳバーストセットに関し、残りのＰＯビームが、ＮＲ−ＳＳバースト４の後のサブフレームに収容され得る。さらに、例２は、５ミリ秒に等しい周期を用いるＳＳバーストセットを示し、その場合、２つの連続するＳＳバーストセットに対して、最大で１つのＰＯバーストセットが実現可能である。具体的には、ＰＯバーストは、連続するＮＲ−ＳＳバーストセット内のＮＲ−ＳＳブロック空きスロット全体にわたって分配されることになる。また、例３では、１０ミリ秒より大きい、または等しい周期を用いるＳＳバーストセットを示し、２ＯＦＤＭシンボルミニスロットベースのＰＯバーストセットが、｛０，１｝＋８＊ｎ＋２（ｎ−１）で割り出されるスロットで発生可能であり、式中、全６４ビームをカバーするために、ｎ＝１，２，３，４，５，６，７，８である。
【０２７５】
代替３では、ＳＳブロックとＰＯとがＳＤＭされ、ＰＯバーストがＮＲ−ＳＳバーストと同一の時間／周波数リソースを介して発生することを可能にするが、異なるビームが異なるＮＲ−ＳＳおよびＰＯバーストに割り当てられる。
【０２７６】
選択肢１とは正反対の、選択肢２では、非インターリーブＰＯおよびＮＲ−ＳＳバーストの可能性について示す。この選択肢では、専用エリアをカバーするように全てのビームにわたってスイープするＮＲ−ＳＳとＰＯを実現するために使用される占有された時間リソース間に重なり合いがないことを示す。１２０ｋＨｚサブキャリア間隔の例では、ＮＲ−ＳＳブロックは６４個の全てのビームを介して伝送され、次に、ＰＯバーストセットが続き、これは以下の代替のうち１つによって実現され得る。第１の代替は、各ＰＩ／ＰＭのために伝送される単一ビームを描写する図４８Ａ〜４８Ｃに示すように、ＳＤＭされないＰＯバーストの場合である。この場合では、６４個のビームのページングを達成するために、２つの連続するサブフレームが構成される必要がある。具体的には、３ＯＦＤＭシンボルのグループ共通ＰＤＣＣＨおよび上りリンク伝送のために十分なリソースを残すそれらのスロットキャリアの２ＯＦＤＭシンボル幅を有する４つのミニスロットと各ミニスロットは、単一ビームに対して専用のものである。他方では、第２の代替では、ＰＯバーストはＳＤＭされ、異なるビームを介してＰＩ／ＰＭが伝送され、より少ない数の実現でスイーピングエリアをカバーすることを可能にする。例えば、各スロットに４つのミニスロットを用いて、２つの異なるビームが同時に構成され得、代替１では２つのサブフレームであるが、その代わりに、単一のサブフレームで６４個のビームのスイーピングが終了する。
【０２７７】
上述の選択肢に加えて、選択肢３では、ＳＳブロックは、ＰＯバーストブロックとＦＤＭされる。例えば、図４９Ａ〜４９Ｃに示すように、ＮＲ−ＳＳおよびＰＯバーストセットの両方は、ＮＲ−ＳＳバーストセット周期に基づいて決定された等しい周期を有してよい。具体的には、図４９Ａ〜４９Ｃは、ＰＯおよびＮＲ−ＳＳバーストブロックの両方が同一のＯＦＤＭシンボルを占める場合を描写する。しかし、ＳＳよりもより頻繁にＰＯをスイープすることは、本選択肢と選択肢１または２とを組み合わせることによって、実現され得る。また、ネットワーク構成によっては、ＰＯバーストブロックは、ＮＲ−ＳＳブロックよりも少ない頻度であり得る。さらに、ＰＯミニスロットサイズは、４つのＯＦＤＭシンボルよりも少なく、または等しく構成され得る。
【０２７８】
ページングプロセスは、さらに速度が上げられてよく、ＮＲ−ＳＳバースト用に使用されるニューメロロジーよりも、ミニスロットベースのＰＯバースト用により高いものを使用することによって、全ての所望のエリアをカバーし得る。具体的には、より広いサブキャリア間隔は、例えば、より高いニューメロロジーに変更することであり、より低いニューメロロジーの場合よりも、より多くのスロットがサブフレーム内に詰め込まれ得、より多くのビームがスイープされ得る。したがって、そのようなＮＲの柔軟性を活用するために、ＳＳブロックがＰＯバーストブロックとＴＤＭされる選択肢１および２は、さらに拡張および高度化され得る。特に、ＰＯバーストブロックを含むスロットは、ＰＯバーストブロックを含まない残りのスロットよりも高いニューメロロジーで機能するように再構成され得る。例えば、図４７Ｃでは、サブフレーム１のスロット０および１は、それらのサブキャリア間隔を１２０ｋＨｚから２４０ｋＨｚに変更することによって、４つのＰＯミニスロットを有する各４つのスロットに置き換えられ得る。換言すれば、ＳＳブロックを含むスロットに対しては１２０ｋＨｚを採用し、それと同時に、ＰＯバーストブロックを含むそれらのスロットに対しては２４０ｋＨｚを採用することで、単一のニューメロロジーがＳＳブロックとＰＯバーストの両方に対して使用される場合に必要な時間の半分で、全てのビームスイーピングを達成することを可能にする。
【０２７９】
例えば、図５０〜５６に示すような、本明細書で示すステップを実行するエンティティは、論理エンティティであり得ることを理解されたい。これらのステップは、図１Ｂにて示すような、デバイス、サーバ、またはコンピュータシステムの、メモリに記憶されてよく、それらのプロセッサで実行される。本明細書で開示される、例示的方法、システム、フレーム構造等の間の、ステップの省略、ステップの組み合わせ、またはステップの追加が検討される。例えば、物理レイヤに関連する主題（例えば、図３９Ａまたは図３９Ｂ）は、図５０〜５６の方法に組み込まれ得ることを理解されたい。
【０２８０】
ＮＲページングプロシージャ
ＮＲページングプロシージャのための例示的シグナリングを図５７に示す。ＵＥがページングされ得る前に、初期アクセスシグナリングが実行される。初期アクセスシグナリングの間に、ＵＥはネットワークと共にセル選択および登録を実行し得る。この時点で、ＵＥはビームペアリング、例えば、「ベスト」ＤＬ  ＴＸビームおよび／または「ベスト」ＤＬ  ＲＸビームの決定を実行し得る。ネットワークは、「ベスト」ＤＬ  ＴＸビームを、暗に、例えば、ランダムアクセスプロシージャを実行するのに使用されるリソースから、または、明確に、例えば、ＵＥからの「ベスト」ＤＬ  ＴＸビームの通知から決定してよい。初期アクセスに続いて、ＵＥはアイドル状態または非アクティブ状態、例えば、ＲＲＣ＿ＩＤＬＥまたはＲＲＣ＿ＩＮＡＣＴＩＶＥに遷移し得る。
【０２８１】
図５７のステップ１では、ＵＥはＰＯの間にページングメッセージについて監視する。ネットワークは、ＵＥがページングされる必要があると判断すると、ＵＥのＰＯの間にＮＲページングメッセージをＵＥに伝送する。ＵＥがページに対して応答しない場合は、ネットワークは後続のＰＯでページを繰り返してよい。ＰＯが、ＰＦの間に伝送されるページングブロックのサブセットに相当する場合、ネットワークは、追加のページングブロック、例えば、最初のＰＯのページングブロックに隣接する１つまたは複数のページングブロック、最初のＰＯに含まれるページングバースト内の全てのページングブロック、ＰＦ内の全てのページングブロック、を使用して後続のページを伝送してよい。ＰＯがＰＦの間に伝送されるページングブロックのサブセットに相当し、かつ、ＵＥがそのＰＯの間に伝送された１つまたは複数のビームを後続のＰＯで受信ができない場合、ＵＥは、追加のページングブロック、例えば、最初のＰＯのページングブロックに隣接する１つまたは複数のページングブロック、最初のＰＯに含まれるページングバースト内の全てのページングブロック、ＰＦ内の全てのページングブロック、の間にページングメッセージを監視してよい。ＵＥは、ＰＯの間に伝送される１つまたは複数のビームを受信するためのその能力がないことを、ネットワークに任意選択で通知する。
【０２８２】
ステップ２では、ＵＥがそのＰＯの間にページングされる、例えば自身のＩＤを含むページングレコードを伴うＮＲページングメッセージを受信する場合、ＵＥは接続確立プロシージャを実行する。非アクティブ状態、例えば、ＲＲＣ＿ＩＮＡＣＴＩＶＥのＵＥの場合、小さなデータパケットのみが伝送に必要な場合は、接続確立は要求されなくてもよい。
【０２８３】
ステップ３では、ネットワークとの接続が正常に確立された後、データ転送が開始し得る。
【０２８４】
ステップ４では、データ転送の完了後、ＵＥは接続解放プロシージャを実行して、アイドル状態または非アクティブ状態、例えば、ＲＲＣ＿ＩＤＬＥまたはＲＲＣ＿ＩＮＡＣＴＩＶＥへと元へ遷移してよい。
【０２８５】
オンデマンドページングを用いるＮＲページングプロシージャのための例示的シグナリングを図５８に示す。
【０２８６】
図５８のステップ１では、ＵＥはＰＯの間にページングメッセージについて監視する。ネットワークは、ＵＥがページングされる必要があると判断すると、ＵＥのＰＯの間にＮＲページングメッセージをＵＥに伝送する。
【０２８７】
ステップ２では、ＵＥは、そのＰＯの間に伝送されるビームを受信することができず、オンデマンドページング要求プロシージャで開始する。ランダムアクセス方法が、オンデマンドページング要求を通知するのに使用され得る。このプロシージャ中、ＵＥはＤＬビームペアリング、例えば、「ベスト」ＤＬ  ＴＸビームおよび／または「ベスト」ＤＬ  ＲＸビームの決定を実行し得る。このプロシージャの一部として、ネットワークは、ページングされたことをＵＥに指示して応答する。
【０２８８】
ステップ３では、ＵＥは、接続確立プロシージャを実行する。
【０２８９】
ステップ４では、ネットワークとの接続が正常に確立された後、データ転送が開始し得る。
【０２９０】
ステップ５では、データ転送の完了後、ＵＥは接続解放プロシージャを実行して、アイドル状態または非アクティブ状態、例えば、ＲＲＣ＿ＩＤＬＥまたはＲＲＣ＿ＩＮＡＣＴＩＶＥへと元へ遷移してよい。
【０２９１】
ＵＥページング支援−ＵＥ支援型ページングブロック選択
ページングプロシージャの効率（例えば、ＵＥ消費電力、ページングメッセージを伝送するのに使用される物理リソースの数等）を向上させるために、ＰＯ内のページングブロックのサブセットが、ページングメッセージの伝送または受信のために使用され得る。例えば、消費電力を低減するために、ＵＥはページングメッセージ受信用のページングブロックのサブセットを監視し得る。ＵＥによって監視されるページングブロックのサブセットは、ＵＥによって実行されるＤＬ測定に基づいて決定され得、その際、測定構成は、ネットワークによって制御されてよい。ＵＥ速度も、監視されるページングブロックの数を決定するのに使用され得る。例えば、固定または低速移動のＵＥは、単一ページングブロック（例えば、「ベスト」ＤＬ  ＴＸビームに対応するページングブロック）のみを監視し得るが、高速のＵＥは、複数のページングブロック（例えば、「ベスト」ＤＬ  ＴＸビームに相当するページングブロックおよび隣接するページングブロック）を監視し得る。ＵＥは、ページングについて監視することになる、または監視が望まれるページングブロックのサブセットを指示するために、フィードバック（例えば、ページング支援情報）をネットワークに提供し得る。ネットワークは、ページング支援情報がいつ報告されるか（例えば、周期的に、イベントに基づいて、初期アクセスプロシージャの一部として、トラッキング／ＲＡＮエリア更新を実行するとき、等）を制御するための基準を用いてＵＥを構成してよい。あるいは、上位層シグナリングが、ページング支援情報のオンデマンド報告を容易にするために使用され得る。ネットワークは、ページング支援情報を使用して、ページングメッセージの伝送のために使用されるページングブロックのサブセットを構成し得る。あるいは、ＵＥによって提供されたページング支援情報が、ページングのために使用されるページングブロックのサブセットのネットワークベース選択を可能にするために使用され得る。このシナリオでは、ページングブロックのサブセットの選択後、ネットワークは、後続のＰＯの間に選択されたページングブロックのサブセットを監視するようにＵＥを構成する。ネットワークによって実行されるＵＬ測定も、ページングのために使用するページングブロックのサブセットを決定するために入力として使用され得る。
【０２９２】
ＵＥページング支援−開ループＵＥベースのページングブロック選択
開ループＵＥベースのページングブロック選択の場合、ＵＥは、ページングブロック選択を実行し、ページングについてどのページングブロックを監視するかを決定し得るが、ネットワークにはフィードバックを提供しない場合がある。ネットワークは、ＵＥが監視しているページングブロックのサブセットに気づかないので、ネットワークは、ＵＥにページングするときに、ＰＯ内の全てのページングブロックを使用してページングメッセージを伝送する。開ループＵＥベースのページングブロック選択を用いるＮＲページングのための例示的シグナリングを図５０に示す。図５０のステップ１で、ＵＥは、ＮＲ−ＳＳ／ＲＳの測定に基づくページングブロック選択を実行し得る。図５０のステップ２で、ＵＥは、ＰＯの選択されたページングブロックの間にページングについて監視し得る。ＵＥがページングされるときに、ネットワークは、ＰＯの全てのページングブロックの間にページングメッセージを伝送し得る。
【０２９３】
ＵＥページング支援−閉ループＵＥベースのページングブロック選択
閉ループＵＥベースのページングブロック選択の場合、ＵＥはページングブロック選択を実行し得、監視するページングブロックのサブセットを指示するために、ネットワークにフィードバックを提供し得る。後続のＰＯの間にＵＥをページングするときに、ネットワークは選択されたページングブロックのみを使用してページングメッセージを伝送し得る。閉ループＵＥベースのページングブロック選択を用いるＮＲページングのための例示的シグナリングを図５１に示す。図５１のステップ１で、ＵＥは、ＮＲ−ＳＳ／ＲＳの測定に基づくページングブロック選択を実行し得る。図５１のステップ２で、ＵＥは、ページング支援をネットワークに伝送し、ページングについてどのページングブロックを監視するかを指示し得、その際、ページング支援は、本明細書にて記載されるメカニズム（例えば、上位層シグナリング等）を使用して、通知され得る。図５１のステップ３で、ＵＥは、ＰＯの選択されたページングブロックの間にページングについて監視し得る。ＵＥがページングされるときに、ネットワークは、ＰＯの選択されたページングブロックの間にページングメッセージを伝送し得る。
【０２９４】
ＵＥページング支援−閉ループネットワークベースのページングブロック選択
閉ループネットワークベースのページングブロック選択の場合、ネットワークは、ページングメッセージの伝送および受信のために使用されるＰＯ内のページングブロックのサブセットを決定し得る。ネットワークに提供されるＵＥフィードバックまたはネットワークによって実行されるＵＬ測定が、図５２に示すように、ネットワークベースのページングブロック選択アルゴリズムへの入力として使用され得る。ページングブロック選択実行後、ネットワークは、後続のＰＯの間に選択されたページングブロックのサブセットを監視するようにＵＥを構成してよく、かつＵＥにページングするときに、選択されたページングブロックのみを使用してページングメッセージを伝送してよい。閉ループネットワークベースのページングブロック選択を用いるＮＲページングのための例示的シグナリングを図５３に示す。図５３のステップ１では、ＵＥはＮＲ−ＳＳ／ＲＳの測定を実行し、後続のＰＯの間にページングについてどのページングブロックの監視が望まれるかを決定し得る。図５３のステップ２で、ＵＥはページング支援をネットワークに伝送し、後続のＰＯの間にページングについてどのページングブロックの監視が望まれるかを指示し得、その際、ページング支援は、本明細書にて記載されるメカニズム（例えば、上位層シグナリング等）を使用して通知され得る。図５３のステップ３で、ネットワークは、ＵＥまたはＵＬ測定によって提供されたフィードバックを使用してページングブロック選択を実行し得、かつページングブロック構成メッセージをＵＥに伝送し、後続のＰＯの間にページングについて監視するページングブロックを構成または再構成し得る。図５３のステップ４で、ＵＥは、ＰＯの選択されたページングブロックの間にページングについて監視し得る。ＵＥがページングされるときに、ネットワークは、ＰＯの選択されたページングブロックの間にページングメッセージを伝送する。
【０２９５】
ＵＥページング支援−ＵＥ支援型応答方式ページング
ページングプロシージャの効率（例えば、ＵＥ消費電力、ページングメッセージを伝送するのに使用される物理リソースの数等）を向上させるために、ＵＥ支援型応答方式ページングプロシージャが、ページングメッセージの伝送または受信のために使用され得る。ＰＯの間に伝送されるページングインジケーターが、後続のＤＬ時間リソース（例えば、スロット、サブフレーム、ブロック、バースト等）でページングメッセージについて監視する必要があることをＵＥに指示するように使用され得、その際、監視する後続のＤＬ時間リソースは、予め定められ得るか、または（例えば、システム情報、下りリンク制御情報（ＤＣＩ）、上位層シグナリング等を介して）ＵＥに通知され得る。ネットワークに提供されるＵＥフィードバックは、ページングメッセージの伝送のために使用するベストＤＬ  ＴＸビームを決定する際に、ネットワークを支援するために使用され得る。ＵＥ支援型応答方式ページングのための例示的シグナリングを図５４に示す。使用されるネットワークは、ｇＮＢまたはＴＲＰであってよい。
【０２９６】
図５４のステップ１で、ＵＥはそのＰＯの間にＰＩについて監視し得る。電力を節約するために、ＵＥは、ＵＥのＰＯを作り上げているページングブロックのサブセットの間に、ＰＩについて監視し得、その際、ＵＥによって監視されるページングブロックのサブセットは、「ベスト」ＤＬ  ＴＸビームに対応し得る。ＵＥがページングされるときに、ネットワークは、ＵＥのＰＯの全てのページングブロックの間に、（例えば、全てのＤＬ  ＴＸビームを使用して）ＰＩをＵＥに伝送し得、その際、ＰＩは、本明細書にて記載されるメカニズムを使用して通知され得る。図５４のステップ２で、ページングされた場合、ＵＥは、ページングメッセージの伝送を最適化するために（例えば、ページングメッセージの伝送のために使用するベストＤＬ  ＴＸビームを決定するために）、ネットワークによって使用され得るページング支援情報を報告し得、その際、ページング支援情報は、本明細書に記載されるメカニズムを使用して通知され得る。ＵＬシグナリングを低減するために、先に報告されたページング支援情報とは異なる（例えば、ベストＤＬ  ＴＸビームが変更された）場合、ＵＥはページング支援情報のみを伝送するように構成され得る。図５４のステップ３では、図５４のステップ２の間にページングされた場合、ＵＥは、ＰＯの間にＵＥによって受信されたＰＩを通知した物理チャネルを伝送するのに使用されたページングブロックまたはＤＬ  ＴＸビームに関連付けられたＤＬリソースを使用して、ページングメッセージについて監視してよい。ネットワークは、関連付けられたＤＬリソースおよび「ベスト」ＤＬ  ＴＸビームを使用してページングメッセージをＵＥに伝送し得る。
【０２９７】
ＵＥページング支援−ＲＡＣＨベースのＵＥ支援型応答方式ページング
ＮＲでは、ＵＥ支援型応答方式ページングプロシージャをサポートし得る。概念上、ｇＮＢは、ＵＥをトリガしてプリアンブルを伝送させるページングインジケーションをＰＤＣＣＨで送信し得、ｇＮＢは、プリアンブルを伝送したＵＥに対してのみ、ＰＤＳＣＨ上のページングメッセージを構成するページングメッセージＤＣＩで応答する。これにより、ｇＮＢが、複数のＢＷＰおよびビームをわたって（ＵＥ  ＩＤのサイズに起因して、大きなペイロードを有する）ページングメッセージを送信する必要がないため、オーバーヘッドの量を少なく維持する。プロシージャを図５９に示す。ページングインジケーター、ページングメッセージＤＣＩ、およびページングメッセージの構成。図６０Ａ〜６０Ｅでは、ページングインジケーター、ページングメッセージＤＣＩ、およびページングメッセージの構成の一例を示す。図６０Ａでは、ＰＲＡＣＨリソースが各ＳＳＢに関連付けられている。図６０Ｂでは、ＰＲＡＣＨリソースの共通セットが、ＳＳＢのセットに割り当てられている。図６０Ｃは、例えば、異なるＳＳＢに対する各ＰＲＡＣＨリソースがＴＤＭしている、広帯域ＰＲＡＣＨリソースの拡大図である。図６０Ｄは、例えば、異なるＳＳＢに対する各ＰＲＡＣＨリソースがＦＤＭしている、広帯域ＰＲＡＣＨリソースの拡大図である。図６０Ｅは、例えば、ＳＳＢを指示する異なるプリアンブルを用いる共通ＰＲＡＣＨリソースの、広帯域ＰＲＡＣＨリソースの拡大図である。
【０２９８】
図６０Ａ〜６０Ｅの例では、ｇＮＢはページングインジケーションを送信する。ページングインジケーションは、そのＰＤＣＣＨに適用された識別子を伴うＤＣＩを通して送信され得る。例えば、Ｐ−ＲＮＴＩは、仕様またはＳＩ、およびＳＩを通して構成されたＧＣ−ＲＮＴＩを伴うグループ共通ＰＤＣＣＨを通して構成され得る。
【０２９９】
例えば、ページングインジケーションＲＮＴＩ（ＰＩ−ＲＮＴＩ）は、ページングインジケーション用の独自の識別子として使用され得る。ＰＩ−ＲＮＴＩは、仕様で構成され得るか、またはＳＩを通して構成され得る。識別子（ＲＮＴＩ）は、ページングされているＵＥ  ＩＤの圧縮形態であり得、その結果、ＵＥがＩＭＳＩまたはＳ−ＴＭＳＩ等の自身のＩＤから導出される識別子を使用して自身のページングＤＣＩを復号することになる。
【０３００】
例えば、識別子はＵＥ−ＩＤｍｏｄＸとして導出され得、式中、Ｘは、システム情報で構成され得るか、またはセル内のサポートされているビームの数に応じて変化するものであってよい。別の例として、識別子はＰＯｍｏｄＸとして取得され得、式中、ＰＯ＝（ＴｄｉｖＮ）＊（ＵＥＩＤｍｏｄＮ）である。ここで、ＮはＵＥのＤＲＸサイクル内のページングフレームの数であり、ＴはＤＲＸサイクルであり、ＵＥＩＤ＝ＩＭＳＩｍｏｄ１０２４である。Ｘは、ＵＥのＢＷＰ内のスイープをカバーするＳＳＢの数、または、全方向をカバーするセル内のおよびＢＷＰにわたるＳＳＢの総数であり得る。あるいは、ＸはＲＭＳＩを通して構成され得る。
【０３０１】
ページングインジケーションは、合致するＲＮＴＩを用いて構成されたＵＥに、種々の情報を提供し得る。例えば、ページングインジケーションは、ページングされている可能性を明確にまたは暗に指示し得る。共通Ｐ−ＲＮＴＩがインジケーションおよびページングＤＣＩの両方に対して使用される場合、明確なインジケーションは、ＤＣＩがページングインジケーション用か、またはページングメッセージ用かを指示することを要求され得る。他方では、異なるＲＮＴＩ（ページングインジケーション用ＰＩ−ＲＮＴＩおよびページングＤＣＩ用Ｐ−ＲＮＴＩ）が使用される場合、それはＤＣＩを正常に復号することから暗に解釈され得る。
【０３０２】
ページングインジケーションは、ＲＡＣＨ機会（RACH  Opportunity：ＲＯ）内のＰＲＡＣＨ上のプリアンブル伝送をトリガし得る。
【０３０３】
ページングインジケーションは、ＲＡＣＨ伝送用のリソースを通知し得る。ＲＡＣＨ伝送は、少なくとも２つの方法で行われ得る。第１に、例えば、ＲＡＣＨ伝送は、ページングプロシージャ用の専用のＰＲＡＣＨ時間および周波数リソースを介して行われ得る。これらのＰＲＡＣＨリソースは、ページングインジケーションによって動的に構成され得る。第２のＲＡＣＨ伝送は、システム情報を通して構成されるＰＲＡＣＨリソースを介して行われ得る。ＰＲＡＣＨリソースは、ＵＥ支援型ページング専用であり得るか、または、例えば、初期アクセス、ビームリカバリー等の他の機能性と共有され得る。後者の場合、利用可能プリアンブルの総プールは、ページング、初期アクセス等の間で分画され得る。
【０３０４】
ページングインジケーションは、ＰＲＡＣＨ伝送のために利用可能なＲＡＣＨ配列のプールを指示し得る。
【０３０５】
ページングインジケーションは、ＵＥがそれに従って特定のＰＲＡＣＨプリアンブルと関連付け得る規則を指示し得る。これは、マッピングのめの規則を含むテーブル内のインデックスとして指示され得る。
【０３０６】
ページングインジケーションは、ページングメッセージＤＣＩのためのタイミングリソース、例えば、ページングメッセージＤＣＩがそれを介して伝送され得る一定のスロットのＣＯＲＥＳＥＴを構成し得る。
【０３０７】
（適正なＰ−ＲＮＴＩまたはＧＣ−ＲＮＴＩを使用して）伝送されるページングインジケーションを受信するように構成されたＵＥは、プリアンブル伝送で応答し得る。
【０３０８】
ｇＮＢは、ＲＡＣＨプリアンブルがその上で受信されるビームとＢＷＰを識別し得る。次に、ｇＮＢは、プリアンブルがその上で受信されたビームとＢＷＰでのみページングメッセージＤＣＩを伝送し得る。このＤＣＩは、Ｐ−ＲＮＴＩ等のＲＮＴＩを搬送し得、ページングメッセージのためのリソースを指示し得る。ページングメッセージは、ページングメッセージＤＣＩと同一のビーム／ＢＷＰで伝送され得る。あるいは、ＤＣＩは、ＵＥのプリアンブル伝送に対する応答であるとして、ＲＡ−ＲＮＴＩを用いて符号化され得る。
【０３０９】
ページングメッセージは、情報のいくつかの断片を搬送し得る。例えば、ページングメッセージは、ページングされているＵＥのＵＥ  ＩＤを搬送し得る。ページングメッセージは、ｇＮＢによってプリアンブルが検出されたＵＥ向けのタイミングアドバンスを搬送し得る。これらのＵＥの多くが、ＲＮＴＩでＵＥがどのようにグループ化されているかによって、誤った警告になり得ることを留意されたい。ページングメッセージは、ｇＮＢによってプリアンブルが検出されたＵＥに対する一時的なＣ−ＲＮＴＩまたはＣ−ＲＮＴＩを搬送し得る。一時的なＣ−ＲＮＴＩを使用する場合、ページングメッセージは、ＵＬグラントを搬送し、ＵＥが、ＲＡＣＨプロシージャのＭｓｇ３に類似したメッセージを伝送することを可能にし得る。
【０３１０】
ページングは、ページングされているＵＥのＵＥ  ＩＤの圧縮形態を搬送し得る。圧縮は、ページングメッセージの大きなサイズに起因してオーバーヘッドを低減する。この場合、メッセージを受信する複数のＵＥは、ＲＲＣ接続を試み得るが、ｇＮＢは、目的のＵＥのみがＲＲＣ接続を正常に確立することを可能にし得る。
【０３１１】
図６１は、ＵＥ  ＩＤのためのフィールドおよびＭＡＣ  ＰＤＵ内のタイミングアドバンスの一例を示す。ここで、ＵＥ  ＩＤは、タイミングアドバンス、Ｃ−ＲＮＴＩと共に送信され得る。一代替は、Ｃ−ＲＮＴＩ、タイミングアドバンスおよびページングレコードＵＥ  ＩＤをＲＲＣメッセージとして送信することである。または、タイミングアドバンスおよびＣ−ＲＮＴＩが、ＭＡＣ  ＰＤＵの一部であり得、一方でＵＥ  ＩＤは、ＳＤＵの一部であり得る。
【０３１２】
複数のＵＥが、ＲＡＣＨ伝送を用いて応答し得るが、このプロシージャは、ページングメッセージがそれを介して送信されるＢＷＰとビームの数を低減する。ページングメッセージＤＣＩは、ページングメッセージのためのスケジュールされるリソースを指示する。ＵＥは、ページングメッセージＤＣＩ、次いでページングメッセージを復号し、メッセージ内のそれらのＵＥ  ＩＤを確認する。自身のＵＥ  ＩＤがメッセージ内に存在する場合、ＵＥはページングに応答し得る。自身のＵＥ  ＩＤがメッセージ内に見つからない場合、ＵＥはページングを無視し得る。
【０３１３】
本明細書で論じるように、ｇＮＢは、ページングメッセージ内のタイミングアドバンスおよびＣ−ＲＮＴＩまたは一時的なＣ−ＲＮＴＩ、ならびにＵＬグラントを送信し得る。したがって、ＵＥは、ＵＬ同期を取得し、ＲＲＣ接続を確立するためのｇＮＢへの要求を伝送するのに十分な情報を有する。図６２に、この場合のＲＡＣＨプロシージャを示す。
【０３１４】
ｇＮＢがタイミングアドバンスを送信しない場合、ＵＥは、ＲＲＣ接続のための初期アクセスベースのＲＡＣＨプロシージャを試み得る。
【０３１５】
ｇＮＢは、ページングのシグナリング負荷をさらに低減するために、ページングメッセージ内で圧縮ＵＥ  ＩＤを使用し得る。圧縮ＵＥ  ＩＤは、それぞれのビーム／ＢＷＰ上のページンインジケーションに応答した複数のＵＥに、Ｃ−ＲＮＴＩ／一時的なＣ−ＲＮＴＩ、タイミングアドバンスと共に送られる。これらのＵＥは、ＲＡＣＨプロシージャのＭｓｇ３に類似したメッセージを伝送し得、このメッセージはＵＥ  ＩＤを含む。ｇＮＢは、受信したＵＥ  ＩＤをそのページングレコードに照合して確認する。合致が見つからない場合、ｇＮＢはＲＲＣ接続を拒絶する。これらのステップを図６３にて示す。Ｍｓｇ４は、そのメッセージ内でＲＡ−ＲＮＴＩまたはＰＩ−ＲＮＴＩを使用し得る。
【０３１６】
ＰＲＡＣＨプリアンブルは、ＵＥが所定のＰＩ−ＲＮＴＩに対する所定のＰＯ内のページングインジケーションに応答するように構成され得る。所定のＰＯおよびＰＩ−ＲＮＴＩ向けに構成されたＵＥのプール内の全てのＵＥは、ＰＲＡＣＨプリアンブルのうちの１つにマップされ得る。この概念を、Ｐ＝１、およびＰ＝３の場合を、それぞれ図６４Ａおよび６４Ｂに示す。
【０３１７】
図６４ＡにおいてＰ＝１であり、ここで、ｇＮＢはＵＥ３をページングすることを意図する。全てのＵＥが単一のＲＡＣＨプリアンブルを使用し得る。全てのビームで送信されたページングインジケーターに応答して、同一のページングプリアンブルが、ＵＥ２およびＵＥ３によって別々のビームで送信される。ＵＥ１は、異なるＰＩ−ＲＮＴＩを有し、ページングプリアンブルを用いて応答はしない。次に、ｇＮＢはページングメッセージＤＣＩおよびページングメッセージをＵＥ２およびＵＥ３に送信する。
【０３１８】
図６４ＢにおいてＰ＝３である。ｇＮＢはＵＥ３をページングすることを意図する。全てのビームで送信されたページングインジケーターに応答して、別々のビームで、ＵＥ２はプリアンブルＰＲＡＣＨ２を送信し、ＵＥ３はプリアンブルＰＲＡＣＨ３を送信する。ＵＥ１は、異なるＰＩ−ＲＮＴＩを有し、ページングプリアンブルを用いて応答をしなくてもよい。次に、ｇＮＢは、ＵＥ３のＩＤとＰＲＡＣＨ３との関連付けを認識すると、ページングメッセージＤＣＩおよびページングメッセージをＵＥ３に送信する。
【０３１９】
システム内のＵＥの数が、利用可能なプリアンブルの数をはるかに超えると、複数のＵＥが１つのＲＡＣＨプリアンブルにマップされる。ＵＥは、Ｓ−ＴＭＳＩまたはＩＭＳＩ等のＵＥ−ＩＤに基づいてプリアンブルにマップしてよい。例えば、ＵＥのＬ個のＬＳＢビットは、プリアンブルのリストの中のインデックスにマップする。ページングに対して２Ｌプリアンブルがある場合、ＵＥ−ＩＤのそれらのＬ個の桁の同一のビット値を有する全てのＵＥは、Ｌ個のＬＳＢビットの整数値と等しいインデックスを伴うプリアンブルを使用し得る。
【０３２０】
Ｌ個のビットは、ＬＳＢビットに限定される必要がない場合がある。ページングプリアンブルインデックスの中へのＬ個のビットのマッピングは、時間と共に変化し得る。１つのＰＲＡＣＨリソースでは、ＵＥのＬ個のＬＳＢビット（ｂ０、ｂ１〜ｂＬ−１）が、プリアンブルを特定するのに使用されるが、別のＰＲＡＣＨリソースでは、ビット（ｂＬ、ｂＬ＋１〜ｂ２Ｌ−１）が使用され得る。この時間変動マッピングは、２つのＵＥのＰＲＡＣＨ応答が、一定のＰＲＡＣＨリソース内で同一のビームまたはＢＷＰで衝突する場合、別のＰＲＡＣＨリソース内で、異なるプリアンブルが割り当てられ得、衝突し得ないことを確実にする。
【０３２１】
この概念を、４つのページングＰＲＡＣＨプリアンブルがシステム内で構成されることを想定して図６５に示す。表は、ＵＥ  ＩＤに対するプリアンブルの異なるマッピング方法を示す。ＵＥ  ＩＤのビットｂｋは、０または１の値を取り得る。マッピングは、ＰＯまたはフレーム内のタイミングに応じて変化するものであり得る。
【０３２２】
ｇＮＢは、異なるビーム、ＢＷＰ、およびプリアンブルで、ページングインジケーションに対するプリアンブルを受信する。ｇＮＢは、ページングする目的のＵＥに対応するプリアンブルに対してのみ、ページングメッセージＤＣＩおよびページングメッセージで応答する。この応答は、ページングプリアンブルが受信されたものに対応するビームおよびＢＷＰで行われる。このスキームにより、ｇＮＢが、有効ページングプリアンブルに対するそのページングメッセージＤＣＩを制限できるので、ページングメッセージに起因してさらにオーバーヘッドが低減される。
【０３２３】
ビーム内の複数のＵＥが、ＰＯ内の同一のプリアンブルおよびＰＩ−ＲＮＴＩにマップする場合がある。ページングインジケーションが到着すると、複数のＵＥが同一のＰＲＡＣＨリソース内で同一のプリアンブルを伝送し、衝突する可能性がある。衝突によって、ｇＮＢはプリアンブルの検出に失敗する可能性があり、その場合には、ページングメッセージは受信されない。
【０３２４】
ページングメッセージを１つも受信しない場合、ＵＥは衝突を回避するためにＬＴＥにおけるランダムアクセスに類似したランダムタイミングバックオフを用いて、別のＰＲＡＣＨリソースでプリアンブルを再伝送する。この場合、ＰＲＡＣＨリソースは、適正なＰＩ−ＲＮＴＩおよびＰＯオケージョンを用いて識別され得る。そのため、プリアンブルもまた、ＰＯおよび／またはＰＩ−ＲＮＴＩに応じて構成されることが望ましい。
【０３２５】
全ての衝突が、問題となるわけではない。ｇＮＢがビーム上で１つでも有効なプリアンブルを検出する限り、ｇＮＢはそのビームでページングメッセージを送信し得る。メッセージが、ページングされるＵＥ  ＩＤを含む場合、ビーム上のそのＰＩ−ＲＮＴＩを追跡している全てのＵＥはそれを受信し、それが自身のＩＤと合致するかどうかを認識するために確認する。
【０３２６】
ＵＥ−ＩＤが合致する場合、合致したＵＥは、特にページングメッセージが、そのＵＥ向けのタイミングアドバンス、およびＵＬグラントを含まない場合、ＵＥがその間に自身のタイミングアドバンスを取得し、ＲＲＣ接続を確立する、デフォルトＲＡプロシージャを実行し得る。同様に、合致したＵＥは、タイミングアドバンス／一時的なＣ−ＲＮＴＩ、ＵＬグラント情報がすでにページングメッセージＤＣＩから入手可能な場合、ＲＲＣ接続確立を継続し得る。
【０３２７】
プリアンブルは少なくとも２つの方法で伝送され得る。例えば、第１に、プリアンブルは、監視されたＳＳＢに関連付けられたＰＲＡＣＨリソース内で伝送され得る。この場合、ＳＳＢに対応する各ＤＬビームは、プリアンブルを伝送するためのＵＬリソースを提供する。これを、例えば図６０Ａに示す。この構成では、各ビームはＰ個のページングプリアンブルの同一セットを使用し得る。プリアンブルｐが、ビーム上の特定のＰＲＡＣＨリソース内で受信されるときに、ｇＮＢは、そのＵＥによって監視された対応するＳＳＢを識別し、そのビーム上でページングメッセージを用いて応答する。
【０３２８】
第２に、プリアンブルは、広帯域または無指向性となるように構成されるＰＲＡＣＨリソース内で伝送され得る。この場合、ＰＲＡＣＨリソースのプールは、ＵＥが監視しているＳＳＢのセットに対して割り当てられる。ページングインジケーターは、ＰＯの間にＳＳＢのセットを通してスイープしてよく、ＵＥはそのＰＯ内で広帯域ＰＲＡＣＨリソースで応答する。これを図６０Ｂに示す。
【０３２９】
ＰＲＡＣＨリソースは、様々な方法で構成され得る。例えば、別々のＰＲＡＣＨリソースが、広帯域ビーム内で各ＳＳＢに対して構成される。ＰＲＡＣＨリソースが各ＳＳＢに対して専用であるときは、Ｐ個のプリアンブルが各ＳＳＢに関連付けられ得る。図６０Ｃは、ＴＤＭ方式で構成されたＳＳＢに対するＰＲＡＣＨリソースを示す。図６０Ｄは、ＦＤＭ方式で構成されたＳＳＢに対するＰＲＡＣＨリソースを示す。ＳＳＢ１を監視しているＵＥは、自身のＰＲＡＣＨリソース内でプリアンブルｐを伝送し得、ＳＳＢ２を監視しているＵＥも、自身のＰＲＡＣＨリソース内でプリアンブルｐを伝送し得るが、それらのリソースが、別個のものであり、かつその両方がｇＮＢによって識別されるので、それらは衝突しない。ＳＩは、各ＳＳＢに対するＰＲＡＣＨリソースを指示し得る。あるいは、各ＳＳＢに割り当てられ得るＰＩ−ＲＮＴＩが、ＰＲＡＣＨリソースを導出するのに使用され得る。
【０３３０】
ＰＲＡＣＨリソースは、異なるＳＳＢを監視している複数のＵＥ間で共有され得る。この場合、ＳＳＢのセットを監視している複数のＵＥ間でＰ個のプリアンブルを分配することが望ましい。監視されたＳＳＢは、ＳＳＢの関連付けを通して、ｇＮＢによりそれらの対応するプリアンブルによって識別される。したがって、プリアンブルｐを受信する際に、ｇＮＢは監視されたＳＳＢを認識する。図６０Ｅは、複数のＳＳＢ間のプリアンブルの分配を示す。プリアンブルのＳＳＢに対するマッピングは、ＳＩで明確に提供され得るか、または別のパラメータから暗に導出され得る。例えば、ＰＩ−ＲＮＴＩは、ＳＳＢおよび／またはＳＳＢインデックスの時間および周波数位置に基づき得、ＳＳＢに関連付けられたプリアンブルは、このＰＩ−ＲＮＴＩから導出され得る。
【０３３１】
ページングインジケーションおよびページングメッセージＤＣＩは、少なくとも３つの方法で設計され得る。第１に、ページングインジケーションおよびページングメッセージＤＣＩは、それらのそれぞれのＰＤＣＣＨ上で異なるＲＮＴＩを使用し得、その両方は、図６６に示すように、同一のＰＯ内で通知され得る。ここで、ページングインジケーションは、ＵＥ１向けであるのに対して、ページングメッセージＤＣＩは（過去にページングインジケーションをすでに受信した）ＵＥ２向けである。
【０３３２】
第２に、ページングインジケーションおよびページングＤＣＩは、同一のＲＮＴＩを使用する。例えば、単一の共通ＤＣＩが、インジケーションおよびページングメッセージのために使用され得る。ここで、ページングインジケーション情報は、新たなＵＥ向けのものであり得、その一方で、ページングメッセージ関連制御情報は、先のインジケーションに応答してＲＡＣＨ伝送を完了したＵＥ向けであり得る。図６７は一例を示す。
【０３３３】
あるいは、異なるＰＤＣＣＨが、ページングインジケーションおよびページングメッセージのために使用され得るが、それらは、同一のＰＯ内で受信され得る。ＤＣＩは、それらの種類、例えば、ページングインジケーションＤＣＩまたはページングメッセージＤＣＩを暗にまたは明確に伝達し得る。図６８は一例を示す。
【０３３４】
第３に、ページングインジケーションは、ＰＯ内で通知され得、その一方で、ページングメッセージＤＣＩおよびページングメッセージは、別の手段で通知される。例えば、ＵＥ向けのページングメッセージＤＣＩは、ＲＯに続くＰＯ内で発生し得る。このＰＯは、図６９Ａに示すように、ＲＯの直後のものであり得る。インジケーションとメッセージＤＣＩとの間のタイミング関係が固定のとき、ＵＥおよびｇＮＢは、ページングメッセージＤＣＩからページングインジケーションとの相関関係を明瞭に推測する。ページングインジケーション用のＵＥのＰＯは、ネットワークによってサポートされているＰＯより低周期で発生し得ることに留意されたい。ＵＥ１のＰＯでは、ＵＥ１のページングインジケーションを搬送し得、その一方で、ＵＥ２のページングインジケーション用に構成されたＵＥ２のＰＯでは、ＵＥ１向けのページングメッセージＤＣＩを搬送し得る。
【０３３５】
あるいは、ページングメッセージＤＣＩは、図６９Ｂに示すように、ＲＯまたはページングインジケーションの後に、Ｆ個のＰＯのうちの１つで発生し得る。ここで、ＵＥは、ページングインジケーションに関連付けられたページングメッセージＤＣＩ用のＦ個のＰＯを監視する。何も受信しない場合、ＵＥはページングメッセージＤＣＩを探すことを中止するが、ページングインジケーション用のＰＯの監視を継続し得る。この場合、ページングメッセージＤＣＩは、ページングメッセージをトリガしたページングインジケーションに対する明確な識別子を搬送し得る。
【０３３６】
別の代替では、ページングメッセージＤＣＩは、ＰＯに制限されなくてもよい。図６９Ｃに示すように、ページングメッセージＤＣＩは、ページングインジケーションに続く固定の時間間隔内の共通探索領域で伝送され得る。例えば、ページングメッセージＤＣＩは、ＰＯに続くｓｔｈスロット内で通知されるか、またはページングメッセージＤＣＩは、ｓｔｈスロットとページングインジケーションに続く（ｓ＋ｌ）ｔｈスロットとの間で発生する。ページングインジケーションとメッセージＤＣＩとの間のタイミングは固定でないので、ページングメッセージＤＣＩは、ページングメッセージをトリガしたページングインジケーションに対する明確な識別子を搬送し得る。
【０３３７】
図５６では、ＲＡＣＨベースのＵＥ支援型応答方式ページングプロシージャの別の例が図示されている。この例では、ネットワークは、セル内のカバレッジを提供するように９つのビームを使用してビームスイーピングを実行するように構成される。３つのＵＥ（ＵＥ１、ＵＥ２、およびＵＥ３）が、セルの異なるカバレッジエリアにあるが、同一のＰＯを共有することを想定する。このプロシージャに関連付けられたシグナリングは、以下に記載されるようなものである。
【０３３８】
図５６のステップ１では、ＵＥはそれらのＰＯの間にＰＩについて監視する。この例では、ＵＥ１、ＵＥ２、およびＵＥ３は同一のＰＯを有する。電力節約のために、ＵＥは、それらのＰＯを作り上げているページングブロックのサブセットの間にＰＩについて監視し得、その際、監視されるページングブロックのサブセットは、「ベスト」ＤＬ  ＴＸビームに対応し得る。この例では、ＵＥ１はビーム２を監視し、ＵＥ２はビーム３を監視し、ＵＥ３はビーム７を監視する。ＵＥがページングされるときに、ネットワークは、ＵＥのＰＯの全てのページングブロックの間に、例えば、全てのＤＬ  ＴＸビームを使用して、ＰＩをＵＥに伝送する。
【０３３９】
ステップ２では、ページングされた場合、ＵＥは、ページングメッセージの伝送を最適化するために、例えば、ページングメッセージの伝送のために使用するベストＤＬ  ＴＸビームを決定するために、ネットワークによって使用され得るページング支援情報を報告する。この例では、ページング支援は、予め指定されるプリアンブル、例えば、ＵＥによって受信されるＤＬ  ＴＸビームに関連付けられたＲＡＣＨリソースを使用して、ページングプリアンブルの伝送によって指示される。ＵＥ１は、ＤＬ  ＴＸビーム２に関連付けられたＲＡＣＨリソースを使用して、ページングプリアンブルを伝送し、ＵＥ２は、ＤＬ  ＴＸビーム３に関連付けられたＲＡＣＨリソースを使用して、ページングプリアンブルを伝送し、ＵＥ３は、ＤＬ  ＴＸビーム７に関連付けられたＲＡＣＨリソースを使用して、ページングプリアンブルを伝送する。
【０３４０】
ステップ３では、ステップ１でページングされた場合、ＵＥは、ＰＯの間にＵＥによって受信されたＰＩを通知した物理チャネルを伝送するのに使用されたページングブロックおよび／またはＤＬ  ＴＸビームに関連付けられたＤＬリソースを使用して、ページングメッセージについて監視する。この例では、図７０Ａおよび７０Ｂに示すようにページングメッセージについて、ＵＥ１はビーム２を監視し、ＵＥ２はビーム３を監視し、ＵＥ３はビーム７を監視する。ページングメッセージを伝送するのに使用されるＤＬリソースは、１つまたは複数のＯＦＤＭシンボルで構成されてよく、このＯＦＤＭシンボルは、１つまたは複数のミニスロット、スロット、サブフレーム等に対応し得る。
【０３４１】
ページング支援情報のシグナリングのためのメカニズム−上位層シグナリング
ページング支援情報は、ＲＲＣメッセージまたはＭＡＣ  ＣＥ等の上位層シグナリングを使用してネットワークに通知され得る。上位層シグナリングは、グラントベースの物理チャネル（ＮＲ−ＰＵＳＣＨ）を使用して伝送され得る。ページング支援情報が伝送される必要があるときに、ＵＥがＵＬグラントを有していない場合、ランダムアクセスプロシージャが、ＮＲ−ＰＵＳＣＨのためのグラントを取得するのに使用され得、それによって、ページング支援情報が、ランダムアクセスプロシージャのＭＳＧ３伝送の一部として通知されることを可能にする。あるいは、半永続的スケジューリング（Semi-Persistent  Scheduling：ＳＰＳ）が、ＮＲ−ＰＵＳＣＨのためのグラントを構成するのに使用され得、その際、ＳＰＳは、ＵＥが「接続」状態であった間に発生した可能性のある専用のシグナリングを使用して構成され得る。別の例では、上位層シグナリングは、グラントレス物理チャネルを使用して伝送され得、その際、グラントレス伝送のために使用されるリソースは、システム情報、ＵＥが「接続」状態であった間に発生した可能性のある専用のシグナリング、またはＵＥのＰＯの間に受信されたＤＣＩを介してＵＥに通知され得る。例示的ＲＲＣページング支援メッセージは、コード例４で定義される。表２４は、例えば、コード例４またはコード例５に対する、ページング支援に関連する説明である。
【表２７】
2020507980.tif 000033
【表２８】
2020507980.tif 000034
【表２９】
2020507980.tif 000035
【０３４２】
複数のＤＬビームがページングブロックの間に伝送される場合のシナリオでは、ネットワークは、ページング支援情報を受信するのに使用されたＵＬビーム／リソースに基づいて、どのＤＬビームを使用してＵＥをページングするかを推測し得る。あるいは、ＵＥがページングブロックの間に受信されるビームを特定できる場合、ビーム識別情報は、ページング支援情報の一部として通知され得る。一例では、ビームＩＤおよびページングブロックＩＤは、ＮＲページング支援メッセージに含まれる。あるいは、ビームＩＤは、ページングブロックＩＤを伴わずに通知され得る。ページングブロックＩＤおよびビームＩＤを含む例示的ＲＲＣページング支援メッセージは、コード例５で定義される。
【０３４３】
例示的ページング支援ＭＡＣ  ＣＥを図７１に示す。開示したＭＡＣ  ＣＥは、可変サイズであり、規定された最大数のページングブロックに対してページングブロックＩＤを含むことを可能にする。あるいは、ＭＡＣ  ＣＥは、固定サイズで規定され得、含まれるページングブロックの数がサポートされている最大数よりも少ないときに、パディングが使用され得る。ページング支援ＭＡＣ  ＣＥは、ＵＥがその中でページングについて監視することになる、または監視が望まれるページングブロックＩＤフィールドを含み得る。ＵＥ識別情報用のフィールドを含む代替のページング支援ＭＡＣ  ＣＥを図７２に示す。ＵＥ識別情報は、ＩＭＳＩまたはＳ−ＴＭＳＩ等のＣＮ識別情報、もしくはＣ−ＲＮＴＩ、ＲｅｓｕｍｅＩｄｅｎｔｉｔｙまたは乱数等のＲＡＮ識別情報であり得る。図７２に示す例では、４８ビットが、ＵＥ識別情報のために予め指定される。より少ないビット数が必要な場合は、ゼロパディングが使用され得るか、またはＵＥ識別情報のために使用されるある程度のビット数を用いる代替フォーマットが規定され得る。ビームＩＤ、モビリティ状態等を含む追加のＭＡＣ  ＣＥフォーマットも、規定され得る。
【０３４４】
ページング支援情報のシグナリングのためのメカニズム−物理レイヤシグナリング。ページング支援情報は、ＮＲ−ＰＵＣＣＨまたはＮＲ−ＰＵＳＣＨで搬送されるＬ１／Ｌ２制御シグナリング等の物理レイヤシグナリングを使用してネットワークに通知され得る。
【０３４５】
ページング支援情報のシグナリングのためのメカニズム−予め指定されるプリアンブルを用いるランダムアクセス。ページング支援情報は、予め指定されるプリアンブルを用いるランダムアクセスプロシージャを使用してネットワークに通知され得る。どのプリアンブルがページング支援情報のシグナリングのために予め指定されるかは、ＳＩの一部としてＵＥに通知され得る。ランダムアクセスプリアンブルの伝送のために使用されるランダムアクセスリソースは、ＰＯの間にＵＥによって受信されたＰＩを通知した物理チャネルを伝送するのに使用されたページングブロックまたはＤＬ  Ｔｘビームに関連付けられ得、それによって、ネットワークが、ページングメッセージの伝送のために使用する「ベスト」ＤＬ  Ｔｘビームを決定することを可能にする。同様に、ページングメッセージの伝送のために使用されるＤＬリソースは、ページングブロックに関連付けられ得る。一例では、ＰＯを作り上げているページングブロックおよび関連付けられたＰＲＡＣＨリソースは、図７３に示すように、異なる時間リソース（例えば、スロット、サブフレーム、ブロック、またはバースト）に対応し得る。あるいは、ＰＯを作り上げているページングブロックおよび関連付けられたＰＲＡＣＨリソースは、図７４に示すように、同一の時間リソースに対応し得る。
【０３４６】
ページンググループ
ＵＥの消費電力の観点から、ＵＥが監視しなければならないページングメッセージの数を低減することは有利である。また、ＵＥ支援型ページングでは、ＵＬリソースが、ｇＮＢへの（ビームに関する）位置に関するフィードバックに使用されるので、誤った応答の数を低減することは有利である。時間の経過と共にＰＯはＵＥを分配するが、別の方法が追加の利点を提供し得る。各種の技法を以下に説明する。
【０３４７】
（ＬＴＥのような）ＵＥ非支援型ページングの場合、ページングＤＣＩは、ページングインジケーターとして機能し、ＵＥ非支援型の場合、用語「ページングインジケーター」および「ページングＤＣＩ」は同一のＤＣＩを意味し、かつ同じ意味で用いられ得る。ＵＥ支援型の場合、ページングインジケーターの後にＲＡＣＨ応答が続き、ｇＮＢはそれに応じて、ページングメッセージをスケジュールするためにページングＤＣＩを送信する。
【０３４８】
ＵＥ  ＩＤにマップされるビットマップ
ページングインジケーションは、単一のＰ−ＲＮＴＩを伴って発生し得る。しかし、ページングＤＣＩは、図７５に示すように、どのＵＥがページングに対して応答する必要があるかを指示するＰ個のビットのビットマップを搬送し得る。ここで、ビットマップは、ページングメッセージの位置またはＵＥ支援型ページングでのＲＡＣＨ応答のためのトリガ等のページングインジケーションに関する情報を搬送するページング制御情報の先頭に付加される。
【０３４９】
Ｐビットのビットマップは、ハッシュ関数を通してＵＥ  ＩＤに関係し得、そのため、単一のビットマップを複数のＵＥ  ＩＤに対してマップする。簡単な例は、ビットマップが、ＵＥ  ＩＤのＰ個のＬＳＢをマップする場合である。ページングインジケーションを受信すると、ＵＥは、それが、それ自身のＩＤと合致しているかどうかを確かめるためにビットマップを確認する。合致している場合、ＵＥはページングメッセージの復号を行う。ＵＥ支援型ページングシステムでは、ＵＥはページングインジケーター内のビットマップとの合致を検出する場合、適当なプリアンブル伝送を用いて応答する。ビットマップが自身のＩＤと合致しない場合、ＵＥはページングメッセージを無視する。
【０３５０】
ビットマップのサイズＰは、仕様で規定され得る。あるいは、ＲＭＳＩ等のＳＩで構成され得る。これにより、仕様のデフォルト値をオーバーライドし得る。これにより、ＵＥ支援型ページングにおける消費電力またはＲＡＣＨ応答等のＵＥの動作に影響を与えるようにより多くの自由度をネットワークに与える。
【０３５１】
極端な場合には、ＰがＵＥ  ＩＤの長さと等しい場合、単一のＵＥが所定の時間でページングされている場合に対応するページングＤＣＩ内で全ＵＥ  ＩＤが搬送され得る。この場合、ページングメッセージは送信されない。
【０３５２】
ページングされるＵＥグループを指示するビットマップ
Ｐビットのビットマップは、図７６に示すように、各ビットがＵＥのグループに対応するページングインジケーター内で伝送され得る。ビットが設定されるときには、対応するグループ内のＵＥは、（ＵＥ非支援型ページングの場合）ＤＣＩ内のスケジューリング情報に基づいてページングメッセージの監視を継続するか、または、対応するグループ内のＵＥは、（ＵＥ支援型ページングの場合）ＰＲＡＣＨプリアンブルを送信する。ＵＥは、グループ、および、ｂｉｔ  ｌｏｃａｔｉｏｎ＝ＵＥＩＤｍｏｄＰ等の予め定められた規則に基づくビットマップ内の対応するビット位置にマップされ得る。ビットマップ内の複数のビットが、対応するグループ内のＵＥ向けのページングメッセージを指示するように設定され得る。
【０３５３】
ビットマップのサイズＰは、仕様で規定され得る。あるいは、ＲＭＳＩ等のＳＩで構成され得、これにより、仕様のデフォルト値をオーバーライドし得る。
【０３５４】
ｇＮＢは、ページングインジケーターフィールドを通してページングの種類、例えば、ページングインジケーションの後にページングメッセージが続く（直接ページングである）のか、あるいはＵＥ支援型ページングのためのＰＲＡＣＨ応答をトリガするのかを指示し得る。このインジケーションは、以下の方法のうち１つで発生し得る。
【０３５５】
インジケーションはビットマップを通してページングされる全てのＵＥに対して共通である。そのため、１ビットのページング種類インジケータービット「ｔ」は、ページングインジケーター内で伝送される。図７７Ａは、（設定されるビットｂ０、ｂ１、およびｂｐ−２を通して）ページング向けに構成されたＵＥが、ページング種類に関するページング種類インジケータービットを通して構成される場合の一例を示す。
【０３５６】
ページング種類インジケーターのＰビットフィールドは、Ｐビットビットマップ用に構成される。ページング種類インジケーターフィールド内の各ビットは、ビットマップ内の対応するＵＥグループを構成する。図７７Ｂは、ページング種類インジケータービットｔｉが、ビットマップ内のｂｉに対応するＵＥ向けのページング種類を構成する場合の一例を示す。ｔｉの値は、対応するｂｉ＝０の場合、無視され得る。このソリューションにより、各ＵＥグループが、ページングの個別の種類を用いて構成されることを可能にする。
【０３５７】
ＵＥグループ用のＰ−ＲＮＴＩ
類似のスキームが、単一のＰ−ＲＮＴＩを用いて、または複数のＰ−ＲＮＴＩを用いて使用され得る。複数のＰ−ＲＮＴＩの場合は、各ＰＯでは、対応するＰ−ＲＮＴＩでスクランブルされた複数のページングインジケーターを搬送する。所定のＰ−ＲＮＴＩｉを伴って使用されるビットマップは、ＵＥグループを細分することを可能にし、より細かな粒度のグループを提供する。
【０３５８】
ページングプリアンブル
ＵＥフィードバック支援型ページングの場合、ページングプリアンブルと称される一定のＲＡＣＨプリアンブルが、以下の方法の１つでＵＥに割り当てられ得る。
【０３５９】
例えば、１つのページングプリアンブルがＳＳＢに関連付けられた全てのＵＥに割り当てられる。ページングインジケーターを受信する際に、そのＰＯを監視し、（ビットマップ等を通して）ページングされる可能性を指示されているＵＥは、ＳＳＢに関連付けられたＲＡＣＨリソース内のプリアンブルで応答するが、その際、関連付けは、ＳＩまたは専用のシグナリングを通してスケジュールされ得る。プリアンブルは、ＳＳＢインデックスから導出され、各ＢＷＰに対して別個のものであり得る。プリアンブル配列ルートおよびサイクリックプレフィックスが、仕様で規定され得るか、またはＢＷＰおよびＳＳＢインデックスに応じてＲＭＳＩ等のＳＩを通して構成され得る。これは、複数のＳＳＢおよびＢＷＰが１つのＲＡＣＨリソースにマップし得る場合に、良好なソリューションである。図７８Ａは、複数のビームが単一のページングプリアンブルをそれぞれ使用する場合の構想を示す。ｇＮＢはページングプリアンブルを受信するときに、対応するビームで潜在的な被ページング候補を識別する。ｇＮＢは、その空間方向にページングメッセージを用いて応答し得る。同一のＳＳＢに関連付けられた２つ以上のＵＥによって送信されるプリアンブル間で衝突が起こる場合、ｇＮＢは、プリアンブルの検出に失敗する可能性がある。この場合、ｇＮＢは、ページングプリアンブルの検出失敗に起因して、ページングＤＣＩおよびメッセージを送信しない可能性がある。時間切れ後、ｇＮＢは、ページングインジケーターを再送信し得る。
【０３６０】
別の例では、複数のページングプリアンブルがＳＳＢに関連付けられたＵＥに割り当てられる。ＵＥは、ページングインジケーターに応じて１つのページングプリアンブルをランダムに選択し得る。プリアンブル配列は、ＳＳＢインデックスおよびＢＷＰに関連付けられ、仕様で予め定められ得るか、またはＲＭＳＩ等のＳＩによって提供され得る。衝突に起因する検出エラーの可能性は、この方法で低減される。これは、複数のＳＳＢおよびＢＷＰが１つのＲＡＣＨリソースにマップし得る場合に、良好なソリューションである。図７８Ｂは、ＵＥが各ビームに対してプリアンブルのプールから選択するときにプリアンブルがビーム内で衝突しない場合の一例を示す。
【０３６１】
またさらに別の例では、複数のＳＳＢが同一のページングプリアンブルプールを使用し得る。ＳＳＢに対するＲＡＣＨリソースは個別であり、それによってｇＮＢがＲＡＣＨ応答に対応するビームを識別することを可能にする。図７８Ｃは、全てのビームがページングのためのプリアンブルの同一プールを有する場合の構想を示す。
【０３６２】
ＲＡＣＨリソースは、ページング応答と、初期アクセスおよびビームリカバリー／マネージメント等の別のプロシージャとの間で共有され、プリアンブルは、ページングプリアンブルが、別のプロシージャ用のプリアンブルと衝突しないように、ページングのために予め指定され得る。
【０３６３】
別々のＲＡＣＨリソースがページング応答のために割り当てられる場合、ページングプリアンブルは、全ての利用可能なプリアンブル配列（ルートおよびサイクリックシフト）のプールから選択され得る。
【０３６４】
ＰＲＡＣＨプリアンブル用のニューメロロジーは、様々な方法で取得し得る。ＰＲＡＣＨプリアンブル用のニューメロロジーは、例えば、ＲＭＳＩによって構成されるもの、初期アクセスのために構成されたものと同一のもの、またはキャリア周波数と帯域幅によって決まる固定のデフォルトニューメロロジーであり得る。
【０３６５】
ＵＥ  ＩＤの圧縮伝送
ページングメッセージのオーバーヘッドを小さく抑えるために、“Paging  Design  Considerations”,  R1-1716382,  Qualcomm,  3GPP  NR  RAN1  AH3  WG1  NR,  September  2017,  Nagoya,  Japanにおいてページングインデックスと称される、ＵＥ  ＩＤの圧縮形態が通知される可能性がある。この場合、複数のＵＥは同一のページングインデックスにマップされる。そのため、ＵＥ支援型またはＵＥ非支援型技術を通してページングされるときに、複数のＵＥが、ＲＲＣ接続の確立を試みることによって所定のページングメッセージに応じ得る。実際には、ページングメッセージが特定のＵＥを対象としていたため、ほとんどの応答が誤ったページング警告である。
【０３６６】
ページングメッセージに続くシグナリングは、以下のプロシージャを通して行われ得る。ページングインデックスにマップされたＵＥは、自身のプリアンブルを伝送する。ｇＮＢは、ページングされるＵＥのＵＥ  ＩＤと共にＵＥに応答する。ページングされるＵＥは、自身のＩＤを識別し、ＲＲＣ接続を確立するためのメッセージを伝送する。圧縮ＩＤとの関連付けに起因する誤ったページング警告を経験するＵＥは、ｇＮＢからのページングされるＵＥ  ＩＤとの合致の確認に失敗する可能性がある。したがって、ＵＥは、ＲＲＣ接続確立に進まない可能性があり、または伝送要求で応答する可能性もある。ＵＥ支援型ページングプロシージャは、ページングされるＵＥを決定するための多量のＵＬおよびＤＬシグナリングを伴うので、ページングに起因してネットワーク内の著しいオーバーヘッドが存在する。本問題を緩和するための１つの方法は、例えば、ＵＥが複数のページングメッセージを受信するといった、ページングのブロードキャスト／マルチキャスト性質を利用することである。複数のメッセージの受信は、以下の１つまたは複数によって、同時にまたは連続して行われ得る。
【０３６７】
複数のビームペアリンクを監視するＵＥの能力
ＵＥは複数のＲｘビームをサポートし得るので、複数のビームペアリンクで同時にページングメッセージを受信する。また、ＵＥは、ページングメッセージのビームスイープの間に異なるＤＬビームから受信できる。
【０３６８】
複数のＢＷＰを監視するＵＥ能力
ＵＥが複数のＢＷを監視する場合、異なるＢＷから同時にページングメッセージを受信することができる。あるいは、ＵＥは、ラウンドロビン方式で異なるＢＷＰ上のページングを監視し、それらのＢＷＰからページングメッセージを逐次的に受信し得る。
【０３６９】
ページングメッセージは、異なるビームおよびページングオケージョンで伝送され得、ＢＷＰは同一のペイロードを搬送するが、異なるバージョンの圧縮ＵＥ  ＩＤ、例えば、複数のページングインデックスにマップする単一のＵＥ  ＩＤを搬送する。ＮビットのＵＥ  ＩＤを用いてページングされるＵＥの場合、ページングメッセージは、Ｍビットのページングインデックスを搬送し得るが、異なるページングメッセージも、異なるページングインデックス、例えば、ビット数が異なるページングインデックスを搬送し得る。ＵＥが複数のページングメッセージを受信するとき、ＵＥは自身のＩＤの一部または全てを再構築し得る。これにより、誤った警告の数、および対応するシグナリングオーバーヘッドが減少する。図７９に、ＵＥが３つのビームで自身のＩＤ用のページングインデックスを受信できる場合の構想を示す。ビームは、ＵＥ  ＩＤの異なるセグメントにマップするページングインデックスを搬送する（各セグメントは、図７９に示す表に示すように、ＵＥ  ＩＤのＭ＝Ｎ／３ビットに対応する。）。したがって、ＵＥは、ページングインデックスから自身のＵＥ  ＩＤを完全に構築し、ＲＲＣ接続を確立するか、あるいは誤ったページング警告を宣言するかを決定することができる。
【０３７０】
ＵＥがページングメッセージを同一のＵＥ  ＩＤの異なるページングインデックスであることを特定するために、ページングインデックス構成（ＵＥ  ＩＤをページングインデックスにマップするために使用されるマッピング規則）は、ページングメッセージ内で暗にまたは明確に通知される必要があり得る。また、これらのページングインデックスの同一のページングインジケーションまたはページングＤＣＩへの関連付けは、暗に、または明確に通知され得る。
【０３７１】
ＵＥ非支援型およびＵＥ支援型ページングプロシージャの共存
ＮＲでは、ＵＥ支援型ベースおよびＵＥ非支援型ベースのページングプロシージャの両方をサポートする可能性がある。例えば、ＲＭＳＩ等のＳＩは、１ビットを使用して使用されるデフォルトページング技術を指示し得る。６ＧＨｚ以下の場合、ＵＥ非支援型ページングは、十分なものであり得、単独でサポートされ得る。
【０３７２】
あるいは、ページングの種類は、暗にまたは明確に動的に指示され得る。ＰＩ−ＲＮＴＩがＵＥ支援型ページングに使用され、Ｐ−ＲＮＴＩがＵＥ非支援型ページングに使用される場合、これにより暗にページング種類が識別される。しかし、ＵＥ支援型の場合のページングインジケーションまたはページングメッセージＤＣＩのいずれかが、ＵＥ非支援型の場合と同様の同一のＲＮＴＩを使用し、かつ同一のＰＯで発生し得る場合、単一ビットを通した明確な指示が必要とされ得る。
【０３７３】
複数のページングインジケーション／メッセージＤＣＩ受信時のＵＥの動作
ＵＥは、複数のＰＯで、ならびに複数のビームおよびＢＷＰからページングインジケーションまたはページングＤＣＩ／メッセージを受信し得る。例えば、ＵＥに対するＰＯは、構成に応じて、異なるビームまたは帯域幅パートにおいて異なるものであり得る。複数のビームまたはＢＷＰでページングされるときに、ＵＥは、図８０Ａおよび８０Ｂに示すように、複数のページング信号を同時にまたはウインドウ内で受信し得る。ＵＥは、ページングインジケーション／メッセージがｇＮＢからの同一のページングの試みに対応していることを見極める能力がある必要があり得る。さもなければ、ＵＥは複数のメッセージを、異なるＵＥグループ向けの異なるページングインジケーション／メッセージと解釈する可能性があり、過度のシグナリングが生じ得る。したがって、１つのページングの試みにおける複数のページングインジケーションまたはページングメッセージＤＣＩは、ページング識別子ＰＩＤを搬送し得る。
【０３７４】
複数のページングインジケーションまたはメッセージＤＣＩを受信するとすぐに、ＵＥは、少なくとも３つの異なる方法で応答し得る。ＵＥ非支援型およびＵＥ支援型方法の両方において、ＵＥは、ページングされていると確信する場合、ＲＡＣＨ伝送で応答する。
【０３７５】
第１に、ＵＥは、（ＳＳＳ信号強度等の測定を通して取得され得る）最も高い信号強度を有するビーム／ＢＷＰ上のＲＡＣＨリソースを選択し得る。
【０３７６】
第２に、ＵＥは、最小遅延を有し、許容信号強度閾値を上回るビーム／ＢＷＰ上のＲＡＣＨリソースを選択し得る。
【０３７７】
第３に、ＵＥは、高信頼性のために、かつ全てのビームおよびＢＷＰで受信できることを指示するために、異なるビーム／ＢＷＰに対応する異なるリソースで、複数のＲＡＣＨプリアンブルを伝送し得る。ＵＥは、ＰＲＡＣＨの伝送のために、Ｂ個までのベストビーム／ＢＷＰを選択し得る。これを、各ＵＬ  ＲＯが、全てのＤＬビームに対して利用可能であり、ＵＥが、ページングＣＯＲＥＳＥＴのために使用される同一のＢＰＬに対応するＲＯ内で伝送する場合を図８１Ａおよび８１Ｂに示す。
【０３７８】
ＵＥ支援型の場合では、ｇＮＢは、ＲＡＣＨプリアンブルが受信されたビームでページングメッセージＤＣＩを用いて応答し得る。
【０３７９】
ＵＥ非支援型の場合では、ＵＥは、異なるＢＰＬでの複数のプリアンブルの伝送を通して複数のＢＰＬでランダムアクセスを開始し得る。ｇＮＢは、複数のプリアンブルが同一のＵＥによって送信されたことを認識しない可能性がある。そのため、ｇＮＢは、そのＵＥの複数のプリアンブルに応じて、ページングされるＵＥ  ＩＤインジケーションを送信する。ＵＥは、重複を識別し、１つのみのＢＰＬでＲＲＣ接続を確立するためにＭｓｇ３のようなメッセージで応答し、他のリンクで試みられたＲＲＣ接続を中止する。これを図８２Ａおよび８２Ｂに示す。
【０３８０】
ＮＲページングメッセージ
例示的ＮＲページングメッセージをコード例６にて示す。
【表３０】
2020507980.tif 000036
【表３１】
2020507980.tif 000037
【０３８１】
ＵＥページング支援が報告されるとき、特定のＰＯの間に、ネットワークは、所定のＤＬ  ＴＸビームで伝送されるＮＲページングメッセージに含まれるｐａｇｉｎｇＲｅｃｏｒｄＬｉｓｔフィールドが、そのビームを受信し得るＵＥの識別情報のみを含むように、個別のＮＲページングメッセージを構築し得る。本明細書で記載されるページング支援情報のシグナリングのためのメカニズムは、どのＤＬ  ＴＸビームをＵＥが受信し得るかを決定するためにネットワークによって使用され得る。図５５は、所定のＤＬ  ＴＸビームで伝送されるＮＲページングメッセージに、どのＵＥ識別情報が含まれる必要があるかを決定するために、ネットワークによって使用され得るアルゴリズムの図である。ページング支援情報を報告しないＵＥは、ＰＯ内で全てのページングブロックおよびビームを使用してページングされ得る。
【０３８２】
ＢＷＰへのＵＥのマッピング
ＵＥは、その能力に応じてページングインジケーションについて１つまたは複数のＢＷＰを監視し得る。電源投入の際に、ＵＥは特定のＳＳＢを検出することによって、セルにキャンプオンし得る。このＳＳＢに関連付けられたＳＩは、自身のページングを受信するようにＵＥを一定のＢＷＰに誘導し得る。ここで、これらのＢＷＰを「ページングＢＷＰ」（ＰＢＷＰ）、ＵＥに割り当てられるＰＢＷＰのセットをその「ＰＢＷＰセット」と呼ぶ。あるいは、ＵＥは、その能力に応じてそのＰＢＷＰセット内の１つまたは複数のまたは全てのＢＷＰを監視する。ＵＥ向けのＰＢＷＰ内のＢＷＰの少なくとも１つは、全てのＵＥの能力がネットワーク内でサポートされ得るように、ＮＲにおいてＵＥが処理し得る最小帯域幅であり得る。
【０３８３】
ＰＢＷＰがＳＳＢを含む場合、ＵＥは、ＳＳＢとページング用の関連付けられたＣＯＲＥＳＥＴとの間のＱＣＬ関係を想定することができる。同様に、ＵＥは、ＤＬページングＣＯＲＥＳＥＴおよびＵＬ  ＰＲＡＣＨ伝送のための同一のＢＰＬを想定することができる。しかし、ＰＢＷＰがＳＳＢを含まない場合、ｇＮＢは、ＵＥが受信および伝送のためのそのビームをどのように向けるべきかを認識するように、別のＢＷＰ（これは、ＰＢＷＰでもあり得る）内のＳＳＢと対象のＰＢＷＰとの間のＱＣＬを指示するようにＳＩを構成してよい。セル内に５つのＢＷＰがある場合の一例を図８３に示す。３つのＢＷＰ（ＢＷＰ１、ＢＷＰ２およびＢＷＰ４）は、ＰＢＷＰとして示される。ＢＷＰ２は、同期信号を搬送しない。そのため、ＳＩは、ＢＷＰ２内のページングＣＯＲＥＳＥＴとＢＷＰ４内のＳＳＢとの間のＱＣＬ情報を構成する。
【０３８４】
ｇＮＢは、少なくとも５つの方法でＵＥをページングし得る。第１に、ｇＮＢは全ＢＷＰでＵＥをページングし得る。例えば、これは、ｇＮＢがどのＢＷＰでＵＥがキャンプしているのかを認識していないときに行われ得る。これにより、過度のシグナリングをもたらす可能性がある。
【０３８５】
第２に、ＳＩは一定のニューメロロジーの全てのＵＥを、全てのＵＥがページングされるデフォルトＰＢＷＰセットに向け得る。この手法は、選択されたＰＢＷＰを用いて著しいページングシグナリング負荷をもたらす可能性がある。図８４は、ＢＷＰ２およびＢＷＰ４が、デフォルトＰＢＷＰであり、全てのＵＥがそれらのＢＷＰ内のページングについて監視する場合の一例を示す。
【０３８６】
第３に、ＳＩは、ＵＥがそれによってＰＢＷＰセットに割り当てられる規則を指示し得る。規則は、ニューメロロジー、遅延要件、電力制約等のＵＥ能力に依存する。ＵＥは、自身の能力に従って自身のＰＢＷＰセットを識別し、ページングについてそのセットを監視する。ＵＥ向けのＰＯは、これらの能力に応じて導出され得る。例えば、ｇＮＢは、６０ＨｚのＳＣＳを処理することができる全てのＵＥを６０ＫＨｚのＰＢＷＰに割り当て得、１５ＫＨｚのＳＣＳだけを処理することができる全てのＵＥを１５ＫＨｚのＰＢＷＰに割り当て得る。あるいは、ｇＮＢは、図８５に示すように、６０ＨｚのＳＣＳを処理することができるＵＥを、６０ＫＨｚ以下のＰＢＷＰに割り当て得る。
【０３８７】
第４に、ネットワークの観点から、異なるＢＷＰ間のＵＥの均等な分配が、ページングシグナリング負荷のバランスをとるのに望まれる場合がある。仕様またはＳＩが、ＵＥ  ＩＤを１つまたは複数のＢＷＰにマップするための規則を提供し得る。例えば、ＵＥのＬ個のＬＳＢが、そのＰＢＷＰセットを決定するのに使用され得る。簡単な例は、ＵＥをＢＷＰｂ＝ＵＥＩＤｍｏｄｎＢＷＰにマップすることであり、ここで、ｎＢＷＰはＵＥに適したＢＷＰの数であり、ＵＥＩＤはＩＭＳＩまたはＳ−ＴＩＭＳＩ等のＵＥのＩＤであり、これにより、ＵＥをそのＰＢＷＰセット内の単一のＰＢＷＰにマップする。しかし、ＵＥがこのＢＷＰ内でブロッキングまたはフェージングを経験する場合、ページングの受信に失敗する可能性がある。より大きなＰＢＷＰセットを構成することが望ましい場合がある。例えば、ＵＥは、｛ｂｉ｝のＰＢＷＰセットにマップされ得る。ｂｉ＝ＵＥＩＤｍｏｄｎＢＷＰ＋ｉであり、式中、ｉ＝０，１，・・・，Ｓ−１である。ここで、ＳはＰＢＷＰセットのサイズである。
【０３８８】
第５に、ＵＥは、シグナリングがそのＰＢＷＰセットにおいて低品質であることを発見することができ、より良好な信号品質の他のＢＷＰを発見し得る。ここで、帯域幅パート追跡グループ（ＢＷＰＴＧ）を、ＵＥが許容可能な信号品質について監視するように構成されたＢＷＰのセットとして定義する。ｇＮＢは、信号測定値に基づいてＵＥ向けにＢＷＰＴＧを構成する。ＵＥが、許容可能な閾値以下のそのＢＷＰＴＧ内の１つまたは複数のＢＷＰを発見した場合、ＵＥは、受信のためにより適した新たなＢＷＰのセットを指示することによってネットワークにＢＷＰＴＧ更新を報告する。ＵＥは、ＲＲＣ接続を確立することによってこれを行う。ＵＥは、上位層シグナリングを通して、もしくはＭｓｇ２またはＭｓｇ４を通してメッセージを送信し得る。ネットワークは、ＵＥ向けのＢＷＰＴＧを、それに応じて再構成し得る。ＵＥのＰＢＷＰセットは、ｇＮＢによって、ＢＷＰＴＧの全体またはサブセットになるように構成される。この構想を、ＰＢＷＰセットが、最初が｛ＢＷＰ１，ＢＷＰ２｝である場合を図８６に示す。ＢＷＰＴＧ更新の後、ＰＢＷＰセットは｛ＢＷＰ３，ＢＷＰ５｝である。
【０３８９】
ＵＥ支援型ページングの場合、ＢＷＰに対するＰＲＡＣＨプリアンブルは、そのＢＷＰ用のＳＩで構成され得る。そのため、各ＢＷＰは、それ固有の構成を有することができ、ＵＥは、各ＢＷＰの規則に従って、異なるプリアンブルを割り当てられ得る。あるいは、１つのＢＷＰ内のＳＩは、全てのＢＷＰに対するＰＲＡＣＨプリアンブルを構成し得る。ＵＥは、全てのＢＷＰに対して使用する同一のプリアンブルに割り当てられ得る。
【０３９０】
ＤＣＩが、ＵＥ向けのＢＷＰを切り替えるために動的に送信されるが、ＵＥがＤＣＩの復号に失敗するときに、ＵＥは、ｇＮＢがＤＣＩを再送信するまでデータ受信があるかどうかを識別できない可能性がある。したがって、データ受信がないか、またはＤＣＩを復号するのに失敗した場合、ＵＥはタイマで開始する。ＵＥがページングインジケーションの監視に失敗した場合で、タイマが次のＰＯ前に終了していない場合、ｇＮＢは次のＰＯサイクルでＰＩを再送信する。タイマが終了した場合、ＵＥはデフォルトＢＷＰに切り替え得、ｇＮＢはＰＩをＵＥのデフォルトＢＷＰに送信し得る。
【０３９１】
ページングスキームの拡張
以下に、ページングバーストシリーズおよびＮＲページングオケージョン（ＮＲ−ＰＯ）を規定するための代替スキームについて記載する。
【０３９２】
Ｔは、ＮＲ  ＤＲＸサイクル周期、例えば、ページングサイクルである。ページングバーストは、Ｍ個のページングブロックを含む。
【０３９３】
ページングバーストシリーズは、Ｌ個のページングバーストを含む。ページングバーストシリーズ内にＬ＊Ｍ個のページングブロックが存在する。ページングバーストシリーズ（Paging  Burst  Series：ＰＢＳ）長は、ＴＰＢＳと表される、１つのページングバーストシリーズの時間間隔長である。
【０３９４】
パラメータＰｒｅｐは、ページングフレーム内にページングの対象とされる各ＵＥがその間に少なくとも１度ページングされるＰＢＳ間のＰＢＳ周期Ｔｐｅｒｉｏｄ＿ＰＢＳを有する連続するＰＢＳの整数である。ＮＲ−ＰＦまたは、本明細書において代替的にページングスイーピングフレーム（ＰＳＦ）とも称されるＮＲページングフレームは、ＰＢＳ間のＰＢＳ周期Ｔｐｅｒｉｏｄ＿ＰＢＳを有する連続するＰＢＳの数Ｐｒｅｐと定義され、ここで、Ｐｒｅｐは１以上の整数である。パラメータＴｐｅｒｉｏｄ＿ＰＢＳは、ページングブロック、またはページングバースト、またはページングバーストシリーズの整数によって、もしくはページングブロック、またはページングバースト、またはページングバーストシリーズの時間間隔単位の整数で表され得る。あるいは、Ｔｐｅｒｉｏｄ＿ＰＢＳは、無線フレームの整数によって表され得る。ＮＲ−ＰＦの時間間隔長ＴＮＲ−ＰＦは、ＴＮＲ−ＰＦ＝Ｐｒｅｐ＊Ｔｐｅｒｉｏｄ＿ＰＢＳと定義される。ＵＥは、パラメータＰｒｅｐおよびＴｐｅｒｉｏｄ＿ＰＢＳを用いて、ＲＲＣシグナリングまたはＭＡＣコントロールエレメント（ＣＥ）シグナリングを通してネットワークによって構成され得る。ページングスイーピングフレーム構想を、図８７、８８および８９に示す。図８８および８９は、ＮＲ  ＳＦＮサイクル内の、ＤＲＸＣｙｃｌｅ＝Ｔの間の第１および第２ページングバーストシリーズを示す。
【０３９５】
ページング無線フレームユニット（Paging  Radio  Frame  Unit：ＰＦＲＵ）と呼ばれる時間単位は、ＮＲ無線フレームで表されるＮＲ−ＰＦまたはＰＳＦの長さを表すのに使用され得る。ＰＲＦＵは、Ｐ個のシステム無線フレームであり得、ここで、Ｐは１以上の整数である。ここで、Ｐ−ＳＦＮは、ＰＲＦＵにおいて表されるＮＲページングシステム無線フレーム番号であるとする。例えば、Ｐ−ＳＦＮの場合、Ｐ−ＳＦＮサイクルの長さは１０２４ＰＦＲＵであり得る。
【０３９６】
ＮＲ  ＤＲＸサイクルであるＴ、例えば、ページングサイクルは、連続するＰＦＲＵの整数として表され得る。ここで、Ｊは、Ｔｐｅｒｉｏｄ＿ＰＢＳ内のページングブロックの数を意味するとする。各ＰＲＦＵは、Ｐｒｅｐ＊Ｊのページングブロック長である。ＮＲ  ＤＲＸサイクル、例えばページングサイクルは、Ｔ＊Ｐｒｅｐ＊Ｊのページングブロックを含む。ＮＲ  ＤＲＸサイクルの長さは、Ｔ＊Ｐｒｅｐ＊Ｔｐｅｒｉｏｄ＿ＰＢＳである。
【０３９７】
ＮＲページングオケージョン（ＮＲ−ＰＯ）は、ＮＲ−ＰＦ内、言い換えるとＰＳＦ内のＫ個のページングブロックと定義され得、ここで、例えば、ＮＲ−ＰＤＣＣＨで伝送されるＰ−ＲＮＴＩに対するページング伝送が行われ得る。Ｋは、１以上の整数である。ＮＲ−ＰＯの開始ページングブロックは、ＮＲ−ＰＯ内のＫ個のページングブロックの最初のページングブロックである。
【０３９８】
ここで、Ｎを、ページングサイクル内のＮＲ−ＰＦの数、言い換えるとページングサイクル内のＰＳＦの数、および、ＮｓはＮＲ−ＰＦまたはＰＳＦ内のＰＯの数を意味するとする。
【０３９９】
ここで、ＰＳＦ内のＮＲ−ＰＯを指し示すインデックスをｉ＿ｓとする。ＮＲ−ＰＦおよびＮＲ−ＰＯは、本明細書に記載されるように計算され得る。
【０４００】
選択肢１、各ＮＲ−ＰＦはＰｒｅｐ  ＰＢＳを有し、各ＰＢＳは１つのＮＲ−ＰＯを有する。
【０４０１】
ｅＮＢおよび／またはＵＥは、下記比較式に従ってＵＥのＰＦを計算し得る。
【０４０２】
ＮＲ−ＰＦ＝Ｐ−ＳＦＮｍｏｄＴ＝（ＴｄｉｖＮ）＊（ＵＥ＿ＩＤｍｏｄＮ）
式中、Ｎ＝ｍｉｎ（Ｔ，ｎＢ）。
【０４０３】
ｉ＿ｓ＝ｆｌｏｏｒ（ＵＥ＿ＩＤ／Ｎ）ｍｏｄＮｓ
【０４０４】
ＰＳＦ内のＮＲ＿ＰＯの数は、ＮＲ＿ＰＦまたはＰＳＦ内のＰＢＳの繰り返しＰｒｅｐの数と等しい。Ｐｒｅｐの可能な値は、仕様によって予め定められ得る。説明のために、ここで、Ｐｒｅｐの可能な値を、Ｐｒｅｐ０＝１＜Ｐｒｅｐ１＜Ｐｒｅｐ２に従い、Ｐｒｅｐ０、Ｐｒｅｐ１、Ｐｒｅｐ２と想定する。表２６は、可能なページングパラメータの一例である。
【表３２】
2020507980.tif 000038
【０４０５】
選択肢１ａは、Ｋ＝Ｌ＊Ｍである。
【０４０６】
ページングブロックを基準にしたＮＲ−ＰＯの長さは、ＰＢＳの長さと同一である。
【０４０７】
選択肢１ｂは、Ｋ＜Ｌ＊Ｍである。
【０４０８】
ＮＲ−ＰＯ長は、ＰＢＳの長さより短い。例えば、ＮＲ−ＰＯは、重なり合わない可能性があり、ページングブロックを換算したＰＢＳの長さは、ＮＲ−ＰＯの長さの倍数である。あるいは、ＮＲ−ＰＯは重なり合う可能性もある。
【０４０９】
ＮＲ−ＰＯの開始ページングブロックの決定
開始ページングブロックの決定は、２つのステップに分割され得、その際、ステップ１はトレーニング段階である。ＵＥは、ページングフレームを、ＮＲ−ＰＦ＝Ｐ−ＳＦＮｍｏｄＴ＝（ＴｄｉｖＮ）＊（ＵＥ＿ＩＤｍｏｄＮ）と計算し、ＮＲ−ＰＯを、ｉ＿ｓ＝ｆｌｏｏｒ（ＵＥ＿ＩＤ／Ｎ）ｍｏｄＮｓのインデックスを用いるＰＯとして計算する。デフォルトにより、ＵＥは、インデックスｉ＿ｓによって指し示されるＫ＝Ｌ＊Ｍページングブロックの最初のページングブロック、例えば、開始ページングブロックが、インデックスｉ＿ｓによって指し示されるＰＢＳ内の最初のページングブロックである場合に、開始ページングブロックを想定する。このステップでは、ＵＥが想定するＰＯの長さは、ＰＢＳの長さ、例えば、Ｌ＊Ｍと同じである。
【０４１０】
ステップ１では、ＵＥは、ページング検出のために、例えば、ＮＲ−ＰＤＣＣＨ上のページングインジケーションの検出のために、全てのＰＢＳを監視する。ＵＥは、識別情報、例えば、ＵＥがページングされる場合のインデックスまたはページングブロックグループ（Ｋページングブロック）のインデックス等を記憶する。ページングされているＵＥが実際に検出する際のＫページングブロックの最初のページングブロックは、ＵＥ  ＮＲ−ＰＯの開始ページングブロックである。ＵＥは、ＵＥがページングされる際の、ビームのインデックス、ｅＮＢ  ＤＬ  Ｔｘビーム、およびＵＥ  ＤＬ  Ｒｘビームを含むビーム構成情報も記憶する。
【０４１１】
ステップ１では、ＵＥは、ＵＥが自身のページングを検出する際のＫ個のページングブロックとしてＰＯを設定する。
【０４１２】
ステップ２は、ＮＲ−ＰＯの開始ページングブロックの洗練である。ＵＥは、ページングフレームを、ＮＲ−ＰＦ＝Ｐ−ＳＦＮｍｏｄＴ＝（ＴｄｉｖＮ）＊（ＵＥ＿ＩＤｍｏｄＮ）と計算する。例えば、ＵＥはステップ１からのＮＲ−ＰＯをＰＯとして使用する。あるいは、ＵＥは新たなＮＲ−ＰＯを、ステップ１からのＮＲ−ＰＯページングブロックの前のｋ１ページングブロック、ステップ１からのＮＲ−ＰＯ、および、ステップからのＮＲ−ＰＯページングブロックに続くｋ２ページングブロック、ｋ１およびｋ２ならびに整数およびネットワークによって構成可能なものの和集合として計算する。
【０４１３】
あるいは、各ＰＢＳは、２つ以上のＮＲ  ＰＯを有し得る。
【０４１４】
共通制御チャネルシグナリングのためのＮＲフレームワーク
ＮＲでは、ＮＲチャネル設計に関連して記載されたメカニズムが、共通制御シグナリングのためにも使用され得る。
【０４１５】
図９０に、本明細書で論じるように、モビリティシグナリング負荷低減の方法およびシステムに基づいて生成され得る例示的ディスプレイ（例えば、グラフィカルユーザーインターフェース）を示す。ディスプレイインターフェース９０１（例えば、タッチスクリーンディスプレイ）は、ＲＲＣ関連パラメータ、方法のフロー、および現在の状態に随伴するＲＲＣ等、モビリティシグナリング負荷低減に関連したテキストをブロック９０２内で提供し得る。本明細書で論じるステップのいずれの進行状況（例えば、送信されたメッセージまたはステップの成功）も、ブロック９０２内で表示され得る。加えて、グラフィカル出力９０２が、ディスプレイインターフェース９０１上で表示され得る。グラフィカル出力９０３は、モビリティシグナリング負荷低減の方法およびシステムを実装するデバイスのトポロジー、本明細書で論じる任意の方法またはシステムの進行状況のグラフィカル出力等であり得る。
【図１Ａ】
2020507980.tif 000039
【図１Ｂ】
2020507980.tif 000040
【図１Ｃ】
2020507980.tif 000041
【図１Ｄ】
2020507980.tif 000042
【図１Ｅ】
2020507980.tif 000043
【図１Ｆ】
2020507980.tif 000044
【図２】
2020507980.tif 000045
【図３】
2020507980.tif 000046
【図４】
2020507980.tif 000047
【図５】
2020507980.tif 000048
【図６】
2020507980.tif 000049
【図７】
2020507980.tif 000050
【図８】
2020507980.tif 000051
【図９】
2020507980.tif 000052
【図１０】
2020507980.tif 000053
【図１１】
2020507980.tif 000054
【図１２】
2020507980.tif 000055
【図１３】
2020507980.tif 000056
【図１４】
2020507980.tif 000057
【図１５】
2020507980.tif 000058
【図１６Ａ】
2020507980.tif 000059
【図１６Ｂ】
2020507980.tif 000060
【図１６Ｃ】
2020507980.tif 000061
【図１７Ａ】
2020507980.tif 000062
【図１７Ｂ】
2020507980.tif 000063
【図１８】
2020507980.tif 000064
【図１９】
2020507980.tif 000065
【図２０】
2020507980.tif 000066
【図２１】
2020507980.tif 000067
【図２２】
2020507980.tif 000068
【図２３】
2020507980.tif 000069
【図２４】
2020507980.tif 000070
【図２５】
2020507980.tif 000071
【図２６】
2020507980.tif 000072
【図２７】
2020507980.tif 000073
【図２８】
2020507980.tif 000074
【図２９】
2020507980.tif 000075
【図３０】
2020507980.tif 000076
【図３１】
2020507980.tif 000077
【図３２】
2020507980.tif 000078
【図３３】
2020507980.tif 000079
【図３４】
2020507980.tif 000080
【図３５】
2020507980.tif 000081
【図３６】
2020507980.tif 000082
【図３７】
2020507980.tif 000083
【図３８】
2020507980.tif 000084
【図３９Ａ１】
2020507980.tif 000085
【図３９Ａ２】
2020507980.tif 000086
【図３９Ａ３】
2020507980.tif 000087
【図３９Ｂ１】
2020507980.tif 000088
【図３９Ｂ２】
2020507980.tif 000089
【図３９Ｂ３】
2020507980.tif 000090
【図３９Ｃ】
2020507980.tif 000091
【図４０Ａ１】
2020507980.tif 000092
【図４０Ａ２】
2020507980.tif 000093
【図４０Ｂ】
2020507980.tif 000094
【図４０Ｃ１】
2020507980.tif 000095
【図４０Ｃ２】
2020507980.tif 000096
【図４０Ｃ３】
2020507980.tif 000097
【図４１Ａ】
2020507980.tif 000098
【図４１Ｂ】
2020507980.tif 000099
【図４１Ｃ】
2020507980.tif 000100
【図４１Ｄ】
2020507980.tif 000101
【図４１Ｅ】
2020507980.tif 000102
【図４２】
2020507980.tif 000103
【図４３Ａ】
2020507980.tif 000104
【図４３Ｂ】
2020507980.tif 000105
【図４３Ｃ】
2020507980.tif 000106
【図４４Ａ】
2020507980.tif 000107
【図４４Ｂ】
2020507980.tif 000108
【図４４Ｃ】
2020507980.tif 000109
【図４５Ａ１】
2020507980.tif 000110
【図４５Ａ２】
2020507980.tif 000111
【図４５Ｂ１】
2020507980.tif 000112
【図４５Ｂ２】
2020507980.tif 000113
【図４５Ｂ３】
2020507980.tif 000114
【図４５Ｃ１】
2020507980.tif 000115
【図４５Ｃ２】
2020507980.tif 000116
【図４５Ｃ３】
2020507980.tif 000117
【図４６Ａ】
2020507980.tif 000118
【図４６Ｂ】
2020507980.tif 000119
【図４６Ｃ】
2020507980.tif 000120
【図４７Ａ】
2020507980.tif 000121
【図４７Ｂ】
2020507980.tif 000122
【図４７Ｃ】
2020507980.tif 000123
【図４８Ａ】
2020507980.tif 000124
【図４８Ｂ】
2020507980.tif 000125
【図４８Ｃ】
2020507980.tif 000126
【図４９Ａ】
2020507980.tif 000127
【図４９Ｂ】
2020507980.tif 000128
【図４９Ｃ】
2020507980.tif 000129
【図５０】
2020507980.tif 000130
【図５１】
2020507980.tif 000131
【図５２】
2020507980.tif 000132
【図５３】
2020507980.tif 000133
【図５４】
2020507980.tif 000134
【図５５Ａ】
2020507980.tif 000135
【図５５Ｂ】
2020507980.tif 000136
【図５６】
2020507980.tif 000137
【図５７】
2020507980.tif 000138
【図５８】
2020507980.tif 000139
【図５９】
2020507980.tif 000140
【図６０Ａ】
2020507980.tif 000141
【図６０Ｂ】
2020507980.tif 000142
【図６０Ｃ】
2020507980.tif 000143
【図６０Ｄ】
2020507980.tif 000144
【図６０Ｅ】
2020507980.tif 000145
【図６１】
2020507980.tif 000146
【図６２】
2020507980.tif 000147
【図６３】
2020507980.tif 000148
【図６４Ａ】
2020507980.tif 000149
【図６４Ｂ】
2020507980.tif 000150
【図６５】
2020507980.tif 000151
【図６６】
2020507980.tif 000152
【図６７】
2020507980.tif 000153
【図６８】
2020507980.tif 000154
【図６９Ａ】
2020507980.tif 000155
【図６９Ｂ】
2020507980.tif 000156
【図６９Ｃ】
2020507980.tif 000157
【図７０Ａ】
2020507980.tif 000158
【図７０Ｂ】
2020507980.tif 000159
【図７１】
2020507980.tif 000160
【図７２】
2020507980.tif 000161
【図７３】
2020507980.tif 000162
【図７４】
2020507980.tif 000163
【図７５】
2020507980.tif 000164
【図７６】
2020507980.tif 000165
【図７７Ａ】
2020507980.tif 000166
【図７７Ｂ】
2020507980.tif 000167
【図７８Ａ】
2020507980.tif 000168
【図７８Ｂ】
2020507980.tif 000169
【図７８Ｃ】
2020507980.tif 000170
【図７９】
2020507980.tif 000171
【図８０Ａ】
2020507980.tif 000172
【図８０Ｂ】
2020507980.tif 000173
【図８１Ａ】
2020507980.tif 000174
【図８１Ｂ】
2020507980.tif 000175
【図８２Ａ】
2020507980.tif 000176
【図８２Ｂ】
2020507980.tif 000177
【図８３】
2020507980.tif 000178
【図８４】
2020507980.tif 000179
【図８５】
2020507980.tif 000180
【図８６】
2020507980.tif 000181
【図８７】
2020507980.tif 000182
【図８８】
2020507980.tif 000183
【図８９】
2020507980.tif 000184
【図９０】
2020507980.tif 000185
【国際調査報告】
2020507980.tif 000186
2020507980.tif 000187